(57)【要約】【課題】顔の鼻筋周辺や目の周囲の陰影を保ちつつ、色ズレ状のノイズやのっぺりとした化粧顔を生じることもなく、エッジ付近に偽色輪郭が発生したり平坦部に偽色斑点を生じることもなく、カラー画像信号に含まれるモトル状の粒状ノイズを抑制し、併せて画像の鮮鋭性を強調することができる、計算負荷の少ない画像処理方法、画像処理装置、画像処理プログラム及び画像記録装置を提供する。【解決手段】元画像を表す画像信号の輝度信号に対し二項ウエーブレット変換を行い、少なくとも第Ｐレベル（Ｐは１以上の整数）の輝度高周波帯域成分に対し輝度高周波帯域成分の信号強度が特定条件である場合に、信号強度を抑制する。【選択図】　　　　図９
2004127064.tif 000002
【特許請求の範囲】
【請求項１】
元画像を表す画像信号を輝度信号と色差信号に変換し、少なくとも前記輝度信号に対し二項ウエーブレット（Ｄｙａｄｉｃ　Ｗａｖｅｌｅｔ）変換を行い、少なくとも第Ｐレベル（Ｐは１以上の整数）の輝度高周波帯域成分に対し前記輝度高周波帯域成分の信号強度が特定条件である場合に、前記信号強度を抑制し、その後二項ウエーブレット逆変換を行い、処理済みの輝度信号と前記色差信号を合成して処理済み画像信号を得ることを特徴とする画像処理方法。
【請求項２】
元画像を表す画像信号を輝度信号と色差信号に変換し、少なくとも前記輝度信号に対し二項ウエーブレット（Ｄｙａｄｉｃ　Ｗａｖｅｌｅｔ）変換を行い、少なくとも第Ｐレベル以下（Ｐは２以上の整数）の輝度高周波帯域成分に対し前記輝度高周波帯域成分の信号強度が特定条件である場合に、前記信号強度を抑制し、その後二項ウエーブレット逆変換を行い、処理済みの輝度信号と前記色差信号を合成して処理済み画像信号を得ることを特徴とする画像処理方法。
【請求項３】
請求項１に記載の画像処理方法において、前記特定条件は、輝度信号に対し第Ｑレベル（Ｑ＞Ｐ）の二項ウエーブレット変換を行い、（第Ｑレベルの輝度高周波帯域成分の信号強度）／（第Ｐレベルの輝度高周波帯域成分の信号強度）≦閾値Ａの関係を充たす場合であることを特徴とする画像処理方法。
【請求項４】
請求項３に記載の画像処理方法において、前記特定条件はさらに、（第Ｐレベル＋１レベルの補正済輝度高周波帯域成分の信号強度）／（第Ｐレベルの補正済輝度高周波帯域成分の信号強度）≦閾値Ａの関係を充たす場合であり、かつ前記閾値Ａは１より大きく１．２以下であることを特徴とする画像処理方法。
【請求項５】
請求項３に記載の画像処理方法において、前記特定条件はさらに、（第Ｐレベル＋１レベルの補正済輝度高周波帯域成分の信号強度）／（第Ｐレベルの補正済輝度高周波帯域成分の信号強度）≦閾値Ａの関係を充たす場合であり、かつ前記閾値Ａは１より大きく１．２以下であり、さらに（第Ｐレベル＋１レベルの補正済輝度高周波帯域成分の信号強度）／（第Ｐレベルの補正済輝度高周波帯域成分の信号強度）≦閾値Ｂの関係を充たす場合に、第Ｐレベルの輝度高周波帯域成分の信号強度を実質的に０とし、かつ前記閾値Ｂは１未満０．８以上であることを特徴とする画像処理方法。
【請求項６】
請求項２に記載の画像処理方法において、前記特定条件は、輝度信号に対し第Ｑレベル（Ｑ＞Ｐ）の二項ウエーブレット変換を行い、（第Ｐレベル以下の各レベルより大きいレベルの輝度高周波帯域成分の信号強度）／（各レベルの輝度高周波帯域成分の信号強度）≦閾値Ａの関係を充たす場合であり、かつＰレベル以下の各レベルの輝度高周波帯域成分の信号強度を抑制することを特徴とする画像処理方法。
【請求項７】
請求項６に記載の画像処理方法において、前記特定条件は、さらに（第Ｐレベル以下の各レベル＋１レベルの補正済輝度高周波帯域成分の信号強度）／（各レベルの補正済輝度高周波帯域成分の信号強度）≦閾値Ａの関係を充たす場合であり、かつ第Ｐレベル以下の各レベルの輝度高周波帯域成分の信号強度を抑制し、かつ前記閾値Ａは１より大きく１．２以下であることを特徴とする画像処理方法。
【請求項８】
請求項６に記載の画像処理方法において、前記特定条件はさらに（第Ｐレベル以下の各レベル＋１レベルの補正済輝度高周波帯域成分の信号強度）／（各レベルの補正済輝度高周波帯域成分の信号強度）≦閾値Ａの関係を充たす場合であり、かつ第Ｐレベル以下の各レベルの輝度高周波帯域成分の信号強度を抑制し、かつ前記閾値Ａは１より大きく１．２以下であり、さらに（第Ｐレベル以下の各レベル＋１レベルの補正済輝度高周波帯域成分の信号強度）／（各レベルの補正済輝度高周波帯域成分の信号強度）≦閾値Ｂの関係を充たす場合に、第Ｐレベル以下の各レベルの輝度高周波帯域成分の信号強度を実質的に０とし、かつ前記閾値Ｂは１未満０．８以上であることを特徴とする画像処理方法。
【請求項９】
請求項１に記載の画像処理方法において、前記特定条件は、Ｐは２以上であり、輝度信号に対し第Ｐレベルの二項ウエーブレット変換を行い、（第Ｐレベルの輝度高周波帯域成分の信号強度）／（第Ｐレベルより低いレベルの輝度高周波帯域成分の信号強度）≦閾値Ｅの関係を充たす場合であり、かつ第Ｐレベルの輝度高周波帯域成分の信号強度を抑制し、その後第Ｐレベルより二項ウエーブレット逆変換を行うことを特徴とする画像処理方法。
【請求項１０】
請求項９に記載の画像処理方法において、前記特定条件は、さらに（第Ｐレベルの補正済輝度高周波帯域成分の信号強度）／（第Ｐ−１レベルの補正済輝度高周波帯域成分の信号強度）≦閾値Ｅの関係を充たす場合であり、かつ第Ｐレベルの輝度高周波帯域成分の信号強度を抑制し、かつ前記閾値Ｅは１より大きく１．２以下であることを特徴とする画像処理方法。
【請求項１１】
請求項９に記載の画像処理方法において、前記特定条件は、さらに（第Ｐレベルの補正済輝度高周波帯域成分の信号強度）／（第Ｐ−１レベルの補正済輝度高周波帯域成分の信号強度）≦閾値Ｅの関係を充たす場合であり、さらに第Ｐレベルの輝度高周波帯域成分の信号強度を抑制し、かつ前記閾値Ｅは１より大きく１．２以下であり、さらに（第Ｐレベルの補正済輝度高周波帯域成分の信号強度）／（第Ｐ−１レベルの補正済輝度高周波帯域成分の信号強度）≦閾値Ｆの関係を充たす場合に、第Ｐレベルの輝度高周波帯域成分の信号強度を実質的に０とし、かつ前記閾値Ｆは１未満０．８以上であることを特徴とする画像処理方法。
【請求項１２】
請求項２に記載の画像処理方法において、輝度信号に対し第Ｐレベルの二項ウエーブレット変換を行い、少なくとも第Ｐレベルの輝度高周波帯域成分に対しては、（第Ｐレベルの輝度高周波帯域成分の信号強度）／（第Ｐレベルより低いレベルの輝度高周波帯域成分の信号強度）≦閾値Ｅの関係を充たす場合に、第Ｐレベルの輝度高周波帯域成分の信号強度を抑制し、その後第Ｐレベルより二項ウエーブレット逆変換を行うことを特徴とする画像処理方法。
【請求項１３】
請求項１２に記載の画像処理方法において、少なくとも第Ｐレベルの輝度高周波帯域成分に対しては、（第Ｐレベルの補正済輝度高周波帯域成分の信号強度）／（第Ｐ−１レベルの補正済輝度高周波帯域成分の信号強度）≦閾値Ｅの関係を充たす場合に、第Ｐレベルの輝度高周波帯域成分の信号強度を抑制し、かつ前記閾値Ｅは１より大きく１．２以下であることを特徴とする画像処理方法。
【請求項１４】
請求項１２に記載の画像処理方法において、少なくとも第Ｐレベルの輝度高周波帯域成分に対しては、（第Ｐレベルの補正済輝度高周波帯域成分の信号強度）／（第Ｐ−１レベルの補正済輝度高周波帯域成分の信号強度）≦閾値Ｅの関係を充たす場合に、第Ｐレベルの輝度高周波帯域成分の信号強度を抑制し、かつ前記閾値Ｅは１より大きく１．２以下であり、かつ（第Ｐレベルの補正済輝度高周波帯域成分の信号強度）／（第Ｐ−１レベルの補正済輝度高周波帯域成分の信号強度）≦閾値Ｆの関係を充たす場合に、第Ｐレベルの輝度高周波帯域成分の信号強度を実質的に０とし、かつ前記閾値Ｆは１未満０．８以上であることを特徴とする画像処理方法。
【請求項１５】
請求項１に記載の画像処理方法において、前記特定条件は、第Ｐレベル輝度高周波帯域成分の信号強度の標準偏差から決定される閾値Ｃに対して、第Ｐレベル輝度高周波帯域成分の信号強度の絶対値が前記閾値Ｃ以下の条件を充たす場合であることを特徴とする画像処理方法。
【請求項１６】
請求項１に記載の画像処理方法において、前記特定条件は、第Ｐレベル輝度高周波帯域成分の信号強度の標準偏差から決定される閾値Ｇに対して、第Ｐレベル輝度高周波帯域成分の信号強度の絶対値が閾値Ｇ以下の条件を充たす場合であり、かつ前記信号強度を実質的に０とすることを特徴とする画像処理方法。
【請求項１７】
請求項１に記載の画像処理方法において、前記特定条件は、第Ｐレベル輝度高周波帯域成分の信号強度の標準偏差から決定される２つの閾値、閾値Ｃ、閾値Ｄであり、閾値Ｃ＜閾値Ｄの関係であり、第Ｐレベル輝度高周波帯域成分の信号強度の絶対値が閾値Ｄ以下の条件を充たす場合であり、かつ前記絶対値が前記閾値Ｃ以下の条件を充たす場合には前記信号強度を実質的に０とすることを特徴とする画像処理方法。
【請求項１８】
請求項２に記載の画像処理方法において、前記特定条件は、第Ｐレベル以下の各レベル毎の輝度高周波帯域成分の信号強度の標準偏差から決定される閾値Ｃに対して、第Ｐレベル以下の各レベル毎の輝度高周波帯域成分の信号強度の絶対値が閾値Ｃ以下の条件を充たす場合であることを特徴とする画像処理方法。
【請求項１９】
請求項２に記載の画像処理方法において、前記特定条件は、第Ｐレベル以下の各レベル毎の輝度高周波帯域成分の信号強度の標準偏差から決定される閾値Ｇに対して、第Ｐレベル以下の各レベル毎の輝度高周波帯域成分の信号強度の絶対値が閾値Ｇ以下の条件を充たす場合であり、かつ前記信号強度を実質的に０とすることを特徴とする画像処理方法。
【請求項２０】
請求項２に記載の画像処理方法において、前記特定条件は、第Ｐレベル以下の各レベル毎の輝度高周波帯域成分の信号強度の標準偏差から決定される２つの閾値、閾値Ｃ、閾値Ｄであり、閾値Ｃ＜閾値Ｄの関係であり、第Ｐレベル以下の各レベル毎の輝度高周波帯域成分の信号強度の絶対値が閾値Ｄ以下の条件を充たす場合であり、さらに前記絶対値が閾値Ｃ以下の条件を充たす場合には前記信号強度を実質的に０とすることを特徴とする画像処理方法。
【請求項２１】
請求項１〜２０のいずれか１項に記載の画像処理方法において、前記特定条件による輝度高周波帯域成分の信号強度の抑制処理を行った後に、鮮鋭性強調処理を行うことを特徴とする画像処理方法。
【請求項２２】
請求項２１に記載の画像処理方法において、抑制処理が行われたレベルの、前記特定条件を満たさなかった輝度高周波帯域成分の信号強度を強調することにより、鮮鋭性強調処理を行うことを特徴とする画像処理方法。
【請求項２３】
請求項１〜２２のいずれか１項に記載の画像処理方法において、前記色差信号の高周波成分の抑制処理を行うことを特徴とする画像処理方法。
【請求項２４】
請求項１〜２３のいずれか１項に記載の画像処理方法において、前記色差信号の低周波帯域成分の特性により、輝度高周波帯域成分の信号強度を抑制する特定条件を変化させることを特徴とする画像処理方法。
【請求項２５】
元画像を表す画像信号を輝度信号と色差信号に変換し、少なくとも前記輝度信号に対し二項ウエーブレット（Ｄｙａｄｉｃ　Ｗａｖｅｌｅｔ）変換を行い、少なくとも第Ｐレベル（Ｐは１以上の整数）の輝度高周波帯域成分に対し前記輝度高周波帯域成分の信号強度が特定条件である場合に、前記信号強度を抑制し、その後二項ウエーブレット逆変換を行い、処理済みの輝度信号と前記色差信号を合成して処理済み画像信号を得ることを特徴とする画像処理方法であって、前記特定条件を輝度低周波帯域成分により変化させることを特徴とする画像処理方法。
【請求項２６】
元画像を表す画像信号を輝度信号と色差信号に変換し、少なくとも前記輝度信号に対し二項ウエーブレット（Ｄｙａｄｉｃ　Ｗａｖｅｌｅｔ）変換を行い、少なくとも第Ｐレベル以下の輝度高周波帯域成分に対し前記輝度高周波帯域成分の信号強度が特定条件である場合に、前記信号強度を抑制し、その後二項ウエーブレット逆変換を行い、処理済みの輝度信号と前記色差信号を合成して処理済み画像信号を得ることを特徴とする画像処理方法であって、前記特定条件を輝度低周波帯域成分の信号強度の違いにより変化させることを特徴とする画像処理方法。
【請求項２７】
請求項２５に記載の画像処理方法において、輝度信号に対し第Ｑレベル（Ｑ＞Ｐ）の二項ウエーブレット変換を行い、前記特定条件は、（第Ｑレベルの輝度高周波帯域成分の信号強度）／（第Ｐレベルの輝度高周波帯域成分の信号強度）≦閾値Ａの関係を充たす場合であり、かつ第Ｐレベルの輝度高周波帯域成分の信号強度を抑制し、その後第Ｐレベルより二項ウエーブレット逆変換を行い、前記閾値Ａを輝度低周波帯域成分の信号強度の違いにより変化させることを特徴とする画像処理方法。
【請求項２８】
請求項２７に記載の画像処理方法において、前記特定条件は、さらに（第Ｐレベル＋１レベルの補正済輝度高周波帯域成分の信号強度）／（第Ｐレベルの補正済輝度高周波帯域成分の信号強度）≦閾値Ａの関係を充たす場合であり、かつ第Ｐレベルの輝度高周波帯域成分の信号強度を抑制し、前記閾値Ａを輝度低周波帯域成分の信号強度の違いにより１より大きく１．５以下で変化させることを特徴とする画像処理方法。
【請求項２９】
請求項２７に記載の画像処理方法において、前記特定条件は、さらに（第Ｐレベルより大きいレベルの補正済輝度高周波帯域成分の信号強度）／（第Ｐレベルの補正済輝度高周波帯域成分の信号強度）≦閾値Ａの関係を充たす場合であり、かつ第Ｐレベルの輝度高周波帯域成分の信号強度を抑制し、かつ前記閾値Ａは輝度低周波帯域成分の信号強度の違いにより１より大きく１．５以下で変化させ、さらに（第Ｐレベル＋１レベルの補正済輝度高周波帯域成分の信号強度）／（第Ｐレベルの補正済輝度高周波帯域成分の信号強度）≦閾値Ｂの関係を充たす場合に、第Ｐレベルの輝度高周波帯域成分の信号強度を実質的に０とし、かつ前記閾値Ｂは輝度低周波帯域成分の信号強度の違いにより１未満０．７以上で変化させることを特徴とする画像処理方法。
【請求項３０】
請求項２６に記載の画像処理方法において、前記特定条件は、輝度信号に対し第Ｑレベル（Ｑ＞Ｐ）の二項ウエーブレット変換を行い、（第Ｐレベル以下の各レベルより大きいレベルの輝度高周波帯域成分の信号強度）／（各レベルの輝度高周波帯域成分の信号強度）≦閾値Ａの関係を充たす場合であり、かつ第Ｐレベル以下の各レベルの輝度高周波帯域成分の信号強度を抑制し、その後第Ｐレベルより二項ウエーブレット逆変換を行い、前記閾値Ａを輝度低周波帯域成分の信号強度の違いにより変化させることを特徴とする画像処理方法。
【請求項３１】
請求項３０に記載の画像処理方法において、前記特定条件は、（第Ｐレベル以下の各レベル＋１レベルの補正済輝度高周波帯域成分の信号強度）／（各レベルの補正済輝度高周波帯域成分の信号強度）≦閾値Ａの関係を充たす場合であり、かつ第Ｐレベル以下の各レベルの輝度高周波帯域成分の信号強度を抑制し、前記閾値Ａを輝度低周波帯域成分の信号強度の違いにより１より大きく２以下で変化させることを特徴とする画像処理方法。
【請求項３２】
請求項３０に記載の画像処理方法において、前記特定条件は、さらに（第Ｐレベル以下の各レベル＋１レベルの補正済輝度高周波帯域成分の信号強度）／（各レベルの補正済輝度高周波帯域成分の信号強度）≦閾値Ａの関係を充たす場合であり、かつ第Ｐレベル以下の各レベルの輝度高周波帯域成分の信号強度を抑制し、かつ前記閾値Ａは輝度低周波帯域成分の信号強度の違いにより１より大きく１．５以下で変化させ、さらに（第Ｐレベル以下の各レベル＋１レベルの補正済輝度高周波帯域成分の信号強度）／（各レベルの補正済輝度高周波帯域成分の信号強度）≦閾値Ｂの関係を充たす場合に、第Ｐレベル以下の各レベルの輝度高周波帯域成分の信号強度を実質的に０とし、かつ前記閾値Ｂは輝度低周波帯域成分の信号強度の違いにより１未満０．７以上で変化させることを特徴とする画像処理方法。
【請求項３３】
請求項２５に記載の画像処理方法において、前記特定条件は、輝度信号に対し第Ｐレベルの二項ウエーブレット変換を行い、（第Ｐレベルの輝度高周波帯域成分の信号強度）／（第Ｐレベルより低いレベルの輝度高周波帯域成分の信号強度）≦閾値Ｅの関係を充たす場合であり、第Ｐレベルの輝度高周波帯域成分の信号強度を抑制し、その後第Ｐレベルより二項ウエーブレット逆変換を行い、かつ前記閾値Ｅを輝度低周波帯域成分の信号強度の違いにより変化させることを特徴とする画像処理方法。
【請求項３４】
請求項３３に記載の画像処理方法において、前記特定条件は、さらに（第Ｐレベルの補正済輝度高周波帯域成分の信号強度）／（第Ｐ−１レベルの補正済輝度高周波帯域成分の信号強度）≦閾値Ｅの関係を充たす場合であり、かつ第Ｐレベルの輝度高周波帯域成分の信号強度を抑制し、前記閾値Ｅを輝度低周波帯域成分の信号強度の違いにより１より大きく１．５以下で変化させることを特徴とする画像処理方法。
【請求項３５】
請求項３３に記載の画像処理方法において、前記特定条件は、さらに（第Ｐレベルの補正済輝度高周波帯域成分の信号強度）／（第Ｐ−１レベルの補正済輝度高周波帯域成分の信号強度）≦閾値Ｅの関係を充たす場合であり、かつ第Ｐレベルの輝度高周波帯域成分の信号強度を抑制し、かつ前記閾値Ｅは輝度低周波帯域成分の信号強度の違いにより１より大きく１．５以下で変化させ、さらに（第Ｐレベルの補正済輝度高周波帯域成分の信号強度）／（第Ｐ−１レベルの補正済輝度高周波帯域成分の信号強度）≦閾値Ｆの関係を充たす場合に、第Ｐレベルの輝度高周波帯域成分の信号強度を実質的に０とし、かつ前記閾値Ｆは輝度低周波帯域成分の信号強度の違いにより１未満０．７以上で変化させることを特徴とする画像処理方法。
【請求項３６】
請求項２６に記載の画像処理方法において、輝度信号に対し第Ｐレベルの二項ウエーブレット変換を行い、少なくとも第Ｐレベルの輝度高周波帯域成分に対しては、（第Ｐレベルの輝度高周波帯域成分の信号強度）／（第Ｐレベルより低いレベルの輝度高周波帯域成分の信号強度）≦閾値Ｅの関係を充たす場合に、第Ｐレベルの輝度高周波帯域成分の信号強度を抑制し、その後第Ｐレベルより二項ウエーブレット逆変換を行い、かつ前記閾値Ｅを輝度低周波帯域成分の信号強度の違いにより変化させることを特徴とする画像処理方法。
【請求項３７】
請求項３６に記載の画像処理方法において、少なくとも第Ｐレベルの輝度高周波帯域成分に対しては、（第Ｐレベルの補正済輝度高周波帯域成分の信号強度）／（第Ｐ−１レベルの補正済輝度高周波帯域成分の信号強度）≦閾値Ｅの関係を充たす場合に、第Ｐレベルの輝度高周波帯域成分の信号強度を抑制し、かつ前記閾値Ｅは１より大きく１．２以下であることを特徴とする画像処理方法。
【請求項３８】
請求項３６に記載の画像処理方法において、少なくとも第Ｐレベルの輝度高周波帯域成分に対しては、（第Ｐレベルの補正済輝度高周波帯域成分の信号強度）／（第Ｐ−１レベルの補正済輝度高周波帯域成分の信号強度）≦閾値Ｅの関係を充たす場合に、第Ｐレベルの輝度高周波帯域成分の信号強度を抑制し、かつ前記閾値Ｅは輝度低周波帯域成分の信号強度の違いにより１より大きく１．５以下で変化させ、かつ（第Ｐレベルの補正済輝度高周波帯域成分の信号強度）／（第Ｐ−１レベルの補正済輝度高周波帯域成分の信号強度）≦閾値Ｆの関係を充たす場合に、第Ｐレベルの輝度高周波帯域成分の信号強度を実質的に０とし、かつ前記閾値Ｆは輝度低周波帯域成分の信号強度の違いにより１未満０．７以上で変化させることを特徴とする画像処理方法。
【請求項３９】
請求項２５に記載の画像処理方法において、前記特定条件は、第Ｐレベル輝度高周波帯域成分の信号強度の標準偏差から決定される閾値Ｃに対して、第Ｐレベル輝度高周波帯域成分の信号強度の絶対値が閾値Ｃ以下の条件を充たす場合であり、かつ前記閾値Ｃを輝度低周波帯域成分の信号強度の違いにより変化させることを特徴とする画像処理方法。
【請求項４０】
請求項２５に記載の画像処理方法において、前記特定条件は、第Ｐレベル輝度高周波帯域成分の信号強度の標準偏差から決定される閾値Ｇに対して、第Ｐレベル輝度高周波帯域成分の信号強度の絶対値が閾値Ｇ以下の条件を充たす場合であり、かつ前記信号強度を実質的に０とすることを特徴とする画像処理方法。
【請求項４１】
請求項２５に記載の画像処理方法において、前記特定条件は、第Ｐレベル輝度高周波帯域成分の信号強度の標準偏差から決定される２つの閾値、閾値Ｃ、閾値Ｄであり、閾値Ｃ＜閾値Ｄの関係であり、第Ｐレベル輝度高周波帯域成分の信号強度の絶対値が閾値Ｄ以下の条件を充たす場合であり、さらに前記絶対値が前記閾値Ｃ以下の条件を充たす場合には前記信号強度を実質的に０とし、かつ前記閾値Ｃ及び前記閾値Ｄを輝度低周波帯域成分の信号強度の違いにより変化させることを特徴とする画像処理方法。
【請求項４２】
請求項２６に記載の画像処理方法において、前記特定条件は、第Ｐレベル以下の各レベル毎の輝度高周波帯域成分の信号強度の標準偏差から決定される閾値Ｃに対して、第Ｐレベル以下の各レベル毎の輝度高周波帯域成分の信号強度の絶対値が閾値Ｃ以下の条件を充たす場合であり、かつ前記閾値Ｃを輝度低周波帯域成分の信号強度の違いにより変化させることを特徴とする画像処理方法。
【請求項４３】
請求項２６に記載の画像処理方法において、前記特定条件は、第Ｐレベル以下の各レベル毎の輝度高周波帯域成分の信号強度の標準偏差から決定される閾値Ｇに対して、第Ｐレベル以下の各レベル毎の輝度高周波帯域成分の信号強度の絶対値が閾値Ｇ以下の条件を充たす場合であり、かつ前記信号強度を実質的に０とすることを特徴とする画像処理方法。
【請求項４４】
請求項２６に記載の画像処理方法において、前記特定条件が第Ｐレベル以下の各レベル毎の輝度高周波帯域成分の信号強度の標準偏差から決定される２つの閾値、閾値Ｃ、閾値Ｄであり、閾値Ｃ＜閾値Ｄの関係であり、第Ｐレベル以下の各レベル毎の輝度高周波帯域成分の信号強度の絶対値が閾値Ｄ以下の条件を充たす場合であり、さらに前記絶対値が前記閾値Ｃ以下の条件を充たす場合には前記信号強度を実質的に０とし、かつ前記閾値Ｃ、閾値Ｄを輝度低周波帯域成分の信号強度の違いにより変化させることを特徴とする画像処理方法。
【請求項４５】
請求項２５〜４４のいずれか１項に記載の画像処理方法において、前記特定条件による輝度高周波帯域成分の信号強度の抑制処理を行った後に、鮮鋭性強調処理を行うことを特徴とする画像処理方法。
【請求項４６】
請求項４５に記載の画像処理方法において、抑制処理が行われたレベルの、前記特定条件を満たさなかった輝度高周波帯域成分の信号強度を強調することにより、鮮鋭性強調処理を行うことを特徴とする画像処理方法。
【請求項４７】
請求項２５〜４６のいずれか１項に記載の画像処理方法において、前記色差信号の高周波成分の抑制処理を行うことを特徴とする画像処理方法。
【請求項４８】
請求項２５〜４７のいずれか１項に記載の画像処理方法において、前記色差信号の低周波帯域成分の特性により、輝度高周波帯域成分の信号強度を抑制する特定条件を変化させることを特徴とする画像処理方法。
【請求項４９】
請求項１〜４８のいずれか１項に記載の画像処理方法において、元画像を表す画像信号が銀塩フィルムをスキャニングして得られたものであることを特徴とする画像処理方法。
【請求項５０】
請求項１〜４９のいずれか１項に記載の画像処理方法において、処理済みの画像信号に対して微弱なノイズを付加することを特徴とする画像処理方法。
【請求項５１】
元画像を表す画像信号を輝度信号と色差信号に変換する分離変換手段、
少なくとも前記輝度信号に対し二項ウエーブレット（Ｄｙａｄｉｃ　Ｗａｖｅｌｅｔ）変換を行うウエーブレット変換手段、
少なくとも第Ｐレベル（Ｐは１以上の整数）の輝度高周波帯域成分に対し前記輝度高周波帯域成分の信号強度が特定条件である場合に、前記信号強度を抑制する処理手段、
前記処理手段により処理された輝度信号に対し二項ウエーブレット逆変換を行う逆ウエーブレット変換手段及び、
処理済みの輝度信号と前記色差信号を合成する合成手段を有することを特徴とする画像処理装置。
【請求項５２】
元画像を表す画像信号を輝度信号と色差信号に変換する分離変換手段、
少なくとも前記輝度信号に対し二項ウエーブレット（Ｄｙａｄｉｃ　Ｗａｖｅｌｅｔ）変換を行うウエーブレット変換手段、
少なくとも第Ｐレベル以下（Ｐは２以上の整数）の輝度高周波帯域成分に対し前記輝度高周波帯域成分の信号強度が特定条件である場合に、前記信号強度を抑制する処理手段、
前記処理手段により処理された輝度信号に対し二項ウエーブレット逆変換を行う逆ウエーブレット変換手段及び、
処理済みの輝度信号と前記色差信号を合成する合成手段を有することを特徴とする画像処理装置。
【請求項５３】
請求項５１に記載の画像処理装置において、前記特定条件は、輝度信号に対し第Ｑレベル（Ｑ＞Ｐ）の二項ウエーブレット変換を行い、（第Ｑレベルの輝度高周波帯域成分の信号強度）／（第Ｐレベルの輝度高周波帯域成分の信号強度）≦閾値Ａの関係を充たす場合であることを特徴とする画像処理装置。
【請求項５４】
請求項５３に記載の画像処理装置において、前記特定条件はさらに、（第Ｐレベル＋１レベルの補正済輝度高周波帯域成分の信号強度）／（第Ｐレベルの補正済輝度高周波帯域成分の信号強度）≦閾値Ａの関係を充たす場合であり、かつ前記閾値Ａは１より大きく１．２以下であることを特徴とする画像処理装置。
【請求項５５】
請求項５３に記載の画像処理装置において、前記特定条件はさらに、（第Ｐレベル＋１レベルの補正済輝度高周波帯域成分の信号強度）／（第Ｐレベルの補正済輝度高周波帯域成分の信号強度）≦閾値Ａの関係を充たす場合であり、かつ前記閾値Ａは１より大きく１．２以下であり、さらに前記処理手段は、（第Ｐレベル＋１レベルの補正済輝度高周波帯域成分の信号強度）／（第Ｐレベルの補正済輝度高周波帯域成分の信号強度）≦閾値Ｂの関係を充たす場合に、第Ｐレベルの輝度高周波帯域成分の信号強度を実質的に０とし、かつ前記閾値Ｂは１未満０．８以上であることを特徴とする画像処理装置。
【請求項５６】
請求項５２に記載の画像処理装置において、前記特定条件は、前記ウエーブレット変換手段が輝度信号に対し第Ｑレベル（Ｑ＞Ｐ）の二項ウエーブレット変換を行い、（第Ｐレベル以下の各レベルより大きいレベルの輝度高周波帯域成分の信号強度）／（各レベルの輝度高周波帯域成分の信号強度）≦閾値Ａの関係を充たす場合であり、該場合に前記処理手段は第Ｐレベル以下の各レベルの輝度高周波帯域成分の信号強度を抑制することを特徴とする画像処理装置。
【請求項５７】
請求項５６に記載の画像処理装置において、前記特定条件は、さらに（第Ｐレベル以下の各レベル＋１レベルの補正済輝度高周波帯域成分の信号強度）／（各レベルの補正済輝度高周波帯域成分の信号強度）≦閾値Ａの関係を充たす場合であり、該場合に前記処理手段は第Ｐレベル以下の各レベルの輝度高周波帯域成分の信号強度を抑制し、かつ前記閾値Ａは１より大きく１．２以下であることを特徴とする画像処理装置。
【請求項５８】
請求項５６に記載の画像処理装置において、前記特定条件はさらに（第Ｐレベル以下の各レベル＋１レベルの補正済輝度高周波帯域成分の信号強度）／（各レベルの補正済輝度高周波帯域成分の信号強度）≦閾値Ａの関係を充たす場合であり、該場合に前記処理手段は第Ｐレベル以下の各レベルの輝度高周波帯域成分の信号強度を抑制し、かつ前記閾値Ａは１より大きく１．２以下であり、さらに（第Ｐレベル以下の各レベル＋１レベルの補正済輝度高周波帯域成分の信号強度）／（各レベルの補正済輝度高周波帯域成分の信号強度）≦閾値Ｂの関係を充たす場合に、前記処理手段は第Ｐレベル以下の各レベルの輝度高周波帯域成分の信号強度を実質的に０とし、かつ前記閾値Ｂは１未満０．８以上であることを特徴とする画像処理装置。
【請求項５９】
請求項５１に記載の画像処理装置において、前記特定条件は、Ｐは２以上であり、前記ウエーブレット変換手段が輝度信号に対し第Ｐレベルの二項ウエーブレット変換を行い、（第Ｐレベルの輝度高周波帯域成分の信号強度）／（第Ｐレベルより低いレベルの輝度高周波帯域成分の信号強度）≦閾値Ｅの関係を充たす場合であり、かつ該場合に前記処理手段は第Ｐレベルの輝度高周波帯域成分の信号強度を抑制し、前記逆ウエーブレット変換手段は第Ｐレベルより二項ウエーブレット逆変換を行うことを特徴とする画像処理装置。
【請求項６０】
請求項５９に記載の画像処理装置において、前記特定条件は、さらに（第Ｐレベルの補正済輝度高周波帯域成分の信号強度）／（第Ｐ−１レベルの補正済輝度高周波帯域成分の信号強度）≦閾値Ｅの関係を充たす場合であり、かつ前記処理手段は第Ｐレベルの輝度高周波帯域成分の信号強度を抑制し、かつ前記閾値Ｅは１より大きく１．２以下であることを特徴とする画像処理装置。
【請求項６１】
請求項５９に記載の画像処理装置において、前記特定条件は、さらに（第Ｐレベルの補正済輝度高周波帯域成分の信号強度）／（第Ｐ−１レベルの補正済輝度高周波帯域成分の信号強度）≦閾値Ｅの関係を充たす場合であり、かつ前記処理手段は第Ｐレベルの輝度高周波帯域成分の信号強度を抑制し、かつ前記閾値Ｅは１より大きく１．２以下であり、さらに（第Ｐレベルの補正済輝度高周波帯域成分の信号強度）／（第Ｐ−１レベルの補正済輝度高周波帯域成分の信号強度）≦閾値Ｆの関係を充たす場合に、前記処理手段は第Ｐレベルの輝度高周波帯域成分の信号強度を実質的に０とし、かつ前記閾値Ｆは１未満０．８以上であることを特徴とする画像処理装置。
【請求項６２】
請求項５２に記載の画像処理装置において、前記ウエーブレット変換手段は輝度信号に対し第Ｐレベルの二項ウエーブレット変換を行い、少なくとも第Ｐレベルの輝度高周波帯域成分に対しては、（第Ｐレベルの輝度高周波帯域成分の信号強度）／（第Ｐレベルより低いレベルの輝度高周波帯域成分の信号強度）≦閾値Ｅの関係を充たす場合に、前記処理手段は第Ｐレベルの輝度高周波帯域成分の信号強度を抑制し、前記逆ウエーブレット変換手段は前記処理手段が処理した輝度信号に対して第Ｐレベルより二項ウエーブレット逆変換を行うことを特徴とする画像処理装置。
【請求項６３】
請求項６２に記載の画像処理装置において、少なくとも第Ｐレベルの輝度高周波帯域成分に対しては、（第Ｐレベルの補正済輝度高周波帯域成分の信号強度）／（第Ｐ−１レベルの補正済輝度高周波帯域成分の信号強度）≦閾値Ｅの関係を充たす場合に、前記処理手段は第Ｐレベルの輝度高周波帯域成分の信号強度を抑制し、かつ前記閾値Ｅは１より大きく１．２以下であることを特徴とする画像処理装置。
【請求項６４】
請求項６２に記載の画像処理装置において、少なくとも第Ｐレベルの輝度高周波帯域成分に対しては、（第Ｐレベルの補正済輝度高周波帯域成分の信号強度）／（第Ｐ−１レベルの補正済輝度高周波帯域成分の信号強度）≦閾値Ｅの関係を充たす場合に、前記処理手段は、第Ｐレベルの輝度高周波帯域成分の信号強度を抑制し、かつ前記閾値Ｅは１より大きく１．２以下であり、かつ（第Ｐレベルの補正済輝度高周波帯域成分の信号強度）／（第Ｐ−１レベルの補正済輝度高周波帯域成分の信号強度）≦閾値Ｆの関係を充たす場合に、前記処理手段は第Ｐレベルの輝度高周波帯域成分の信号強度を実質的に０とし、かつ前記閾値Ｆは１未満０．８以上であることを特徴とする画像処理装置。
【請求項６５】
請求項５１に記載の画像処理装置において、前記特定条件は、第Ｐレベル輝度高周波帯域成分の信号強度の標準偏差から決定される閾値Ｃに対して、第Ｐレベル輝度高周波帯域成分の信号強度の絶対値が前記閾値Ｃ以下の条件を充たす場合であることを特徴とする画像処理装置。
【請求項６６】
請求項５１に記載の画像処理装置において、前記特定条件は、第Ｐレベル輝度高周波帯域成分の信号強度の標準偏差から決定される閾値Ｇに対して、第Ｐレベル輝度高周波帯域成分の信号強度の絶対値が閾値Ｇ以下の条件を充たす場合であり、かつ前記信号強度を実質的に０とすることを特徴とする画像処理装置。
【請求項６７】
請求項５１に記載の画像処理装置において、前記特定条件は、第Ｐレベル輝度高周波帯域成分の信号強度の標準偏差から決定される２つの閾値、閾値Ｃ、閾値Ｄであり、閾値Ｃ＜閾値Ｄの関係であり、第Ｐレベル輝度高周波帯域成分の信号強度の絶対値が閾値Ｄ以下の条件を充たす場合であり、かつ前記処理手段は前記絶対値が前記閾値Ｃ以下の条件を充たす場合には前記信号強度を実質的に０とすることを特徴とする画像処理装置。
【請求項６８】
請求項５２に記載の画像処理装置において、前記特定条件は、第Ｐレベル以下の各レベル毎の輝度高周波帯域成分の信号強度の標準偏差から決定される閾値Ｃに対して、第Ｐレベル以下の各レベル毎の輝度高周波帯域成分の信号強度の絶対値が閾値Ｃ以下の条件を充たす場合であることを特徴とする画像処理装置。
【請求項６９】
請求項５２に記載の画像処理装置において、前記特定条件は、第Ｐレベル以下の各レベル毎の輝度高周波帯域成分の信号強度の標準偏差から決定される閾値Ｇに対して、第Ｐレベル以下の各レベル毎の輝度高周波帯域成分の信号強度の絶対値が閾値Ｇ以下の条件を充たす場合であり、かつ前記処理手段は前記信号強度を実質的に０とすることを特徴とする画像処理装置。
【請求項７０】
請求項５２に記載の画像処理装置において、前記特定条件は、第Ｐレベル以下の各レベル毎の輝度高周波帯域成分の信号強度の標準偏差から決定される２つの閾値、閾値Ｃ、閾値Ｄであり、閾値Ｃ＜閾値Ｄの関係であり、第Ｐレベル以下の各レベル毎の輝度高周波帯域成分の信号強度の絶対値が閾値Ｄ以下の条件を充たす場合であり、さらに前記処理手段は前記絶対値が閾値Ｃ以下の条件を充たす場合には前記信号強度を実質的に０とすることを特徴とする画像処理装置。
【請求項７１】
請求項５１〜７０のいずれか１項に記載の画像処理装置において、前記処理手段は前記特定条件による輝度高周波帯域成分の信号強度の抑制処理を行った後に、鮮鋭性強調処理を行うことを特徴とする画像処理装置。
【請求項７２】
請求項７１に記載の画像処理装置において、抑制処理が行われたレベルの、前記特定条件が満たされなかった輝度高周波帯域成分の信号強度を強調することにより、鮮鋭性強調処理を行うことを特徴とする画像処理装置。
【請求項７３】
請求項５１〜７２のいずれか１項に記載の画像処理装置において、前記処理手段は、前記色差信号の高周波成分の抑制処理を行うことを特徴とする画像処理装置。
【請求項７４】
請求項５１〜７３のいずれか１項に記載の画像処理装置において、前記色差信号の低周波帯域成分の特性により、輝度高周波帯域成分の信号強度を抑制する特定条件を変化させることを特徴とする画像処理装置。
【請求項７５】
元画像を表す画像信号を輝度信号と色差信号に変換する分離変換手段、
少なくとも前記輝度信号に対し二項ウエーブレット（Ｄｙａｄｉｃ　Ｗａｖｅｌｅｔ）変換を行うウエーブレット変換手段、
少なくとも第Ｐレベル（Ｐは１以上の整数）の輝度高周波帯域成分に対し前記輝度高周波帯域成分の信号強度が特定条件である場合に、前記信号強度を抑制する処理手段、
前記処理手段により処理された輝度信号に対し二項ウエーブレット逆変換を行う逆ウエーブレット変換手段及び、
処理済みの輝度信号と前記色差信号を合成して処理済み画像信号を得る合成手段を有する画像処理装置であって、前記特定条件を輝度低周波帯域成分により変化させることを特徴とする画像処理装置。
【請求項７６】
元画像を表す画像信号を輝度信号と色差信号に変換する分離変換手段、
少なくとも前記輝度信号に対し二項ウエーブレット（Ｄｙａｄｉｃ　Ｗａｖｅｌｅｔ）変換を行うウエーブレット変換手段、
少なくとも第Ｐレベル以下の輝度高周波帯域成分に対し前記輝度高周波帯域成分の信号強度が特定条件である場合に、前記信号強度を抑制する処理手段、
前記処理手段により処理された輝度信号に対し二項ウエーブレット逆変換を行う逆ウエーブレット変換手段及び、
処理済みの輝度信号と前記色差信号を合成して処理済み画像信号を得る合成手段を有する画像処理装置であって、前記特定条件を輝度低周波帯域成分の信号強度の違いにより変化させることを特徴とする画像処理装置。
【請求項７７】
請求項７５に記載の画像処理装置において、前記ウエーブレット変換手段は輝度信号に対し第Ｑレベル（Ｑ＞Ｐ）の二項ウエーブレット変換を行い、前記特定条件は、（第Ｑレベルの輝度高周波帯域成分の信号強度）／（第Ｐレベルの輝度高周波帯域成分の信号強度）≦閾値Ａの関係を充たす場合であり、かつ前記処理手段は第Ｐレベルの輝度高周波帯域成分の信号強度を抑制し、さらに前記逆ウエーブレット変換手段は第Ｐレベルより二項ウエーブレット逆変換を行い、かつ前記閾値Ａを輝度低周波帯域成分の信号強度の違いにより変化させることを特徴とする画像処理装置。
【請求項７８】
請求項７７に記載の画像処理装置において、前記特定条件は、さらに（第Ｐレベル＋１レベルの補正済輝度高周波帯域成分の信号強度）／（第Ｐレベルの補正済輝度高周波帯域成分の信号強度）≦閾値Ａの関係を充たす場合であり、かつ前記処理手段は第Ｐレベルの輝度高周波帯域成分の信号強度を抑制し、前記閾値Ａを輝度低周波帯域成分の信号強度の違いにより１より大きく１．５以下で変化させることを特徴とする画像処理装置。
【請求項７９】
請求項７７に記載の画像処理装置において、前記特定条件は、さらに（第Ｐレベルより大きいレベルの補正済輝度高周波帯域成分の信号強度）／（第Ｐレベルの補正済輝度高周波帯域成分の信号強度）≦閾値Ａの関係を充たす場合であり、かつ前記処理手段は第Ｐレベルの輝度高周波帯域成分の信号強度を抑制し、かつ前記閾値Ａは輝度低周波帯域成分の信号強度の違いにより１より大きく１．５以下で変化させ、さらに（第Ｐレベル＋１レベルの補正済輝度高周波帯域成分の信号強度）／（第Ｐレベルの補正済輝度高周波帯域成分の信号強度）≦閾値Ｂの関係を充たす場合に、前記処理手段は第Ｐレベルの輝度高周波帯域成分の信号強度を実質的に０とし、かつ前記閾値Ｂは輝度低周波帯域成分の信号強度の違いにより１未満０．７以上で変化させることを特徴とする画像処理装置。
【請求項８０】
請求項７６に記載の画像処理装置において、前記特定条件は、輝度信号に対し第Ｑレベル（Ｑ＞Ｐ）の二項ウエーブレット変換を行い、（第Ｐレベル以下の各レベルより大きいレベルの輝度高周波帯域成分の信号強度）／（各レベルの輝度高周波帯域成分の信号強度）≦閾値Ａの関係を充たす場合であり、かつ前記処理手段は第Ｐレベル以下の各レベルの輝度高周波帯域成分の信号強度を抑制し、かつ前記逆ウエーブレット変換手段は第Ｐレベルより二項ウエーブレット逆変換を行い、さらに前記閾値Ａを輝度低周波帯域成分の信号強度の違いにより変化させることを特徴とする画像処理装置。
【請求項８１】
請求項８０に記載の画像処理装置において、前記特定条件は、（第Ｐレベル以下の各レベル＋１レベルの補正済輝度高周波帯域成分の信号強度）／（各レベルの補正済輝度高周波帯域成分の信号強度）≦閾値Ａの関係を充たす場合であり、かつ前記処理手段は第Ｐレベル以下の各レベルの輝度高周波帯域成分の信号強度を抑制し、前記閾値Ａを輝度低周波帯域成分の信号強度の違いにより１より大きく２以下で変化させることを特徴とする画像処理装置。
【請求項８２】
請求項８０に記載の画像処理装置において、前記特定条件は、さらに（第Ｐレベル以下の各レベル＋１レベルの補正済輝度高周波帯域成分の信号強度）／（各レベルの補正済輝度高周波帯域成分の信号強度）≦閾値Ａの関係を充たす場合であり、かつ前記処理手段は第Ｐレベル以下の各レベルの輝度高周波帯域成分の信号強度を抑制し、かつ前記閾値Ａは輝度低周波帯域成分の信号強度の違いにより１より大きく１．５以下で変化させ、さらに（第Ｐレベル以下の各レベル＋１レベルの補正済輝度高周波帯域成分の信号強度）／（各レベルの補正済輝度高周波帯域成分の信号強度）≦閾値Ｂの関係を充たす場合に、前記処理手段は第Ｐレベル以下の各レベルの輝度高周波帯域成分の信号強度を実質的に０とし、かつ前記閾値Ｂは輝度低周波帯域成分の信号強度の違いにより１未満０．７以上で変化させることを特徴とする画像処理装置。
【請求項８３】
請求項７５に記載の画像処理装置において、前記特定条件は、輝度信号に対し第Ｐレベルの二項ウエーブレット変換を行い、（第Ｐレベルの輝度高周波帯域成分の信号強度）／（第Ｐレベルより低いレベルの輝度高周波帯域成分の信号強度）≦閾値Ｅの関係を充たす場合であり、かつ前記処理手段は第Ｐレベルの輝度高周波帯域成分の信号強度を抑制し、かつ前記逆ウエーブレット変換手段は第Ｐレベルより二項ウエーブレット逆変換を行い、さらに前記閾値Ｅを輝度低周波帯域成分の信号強度の違いにより変化させることを特徴とする画像処理装置。
【請求項８４】
請求項８３に記載の画像処理装置において、前記特定条件は、さらに（第Ｐレベルの補正済輝度高周波帯域成分の信号強度）／（第Ｐ−１レベルの補正済輝度高周波帯域成分の信号強度）≦閾値Ｅの関係を充たす場合であり、かつ前記処理手段は第Ｐレベルの輝度高周波帯域成分の信号強度を抑制し、さらに前記閾値Ｅを輝度低周波帯域成分の信号強度の違いにより１より大きく１．５以下で変化させることを特徴とする画像処理装置。
【請求項８５】
請求項８３に記載の画像処理装置において、前記特定条件は、さらに（第Ｐレベルの補正済輝度高周波帯域成分の信号強度）／（第Ｐ−１レベルの補正済輝度高周波帯域成分の信号強度）≦閾値Ｅの関係を充たす場合であり、かつ前記処理手段は第Ｐレベルの輝度高周波帯域成分の信号強度を抑制し、かつ前記閾値Ｅは輝度低周波帯域成分の信号強度の違いにより１より大きく１．５以下で変化させ、さらに（第Ｐレベルの補正済輝度高周波帯域成分の信号強度）／（第Ｐ−１レベルの補正済輝度高周波帯域成分の信号強度）≦閾値Ｆの関係を充たす場合に、前記処理手段は第Ｐレベルの輝度高周波帯域成分の信号強度を実質的に０とし、かつ前記閾値Ｆは輝度低周波帯域成分の信号強度の違いにより１未満０．７以上で変化させることを特徴とする画像処理装置。
【請求項８６】
請求項７６に記載の画像処理装置において、前記ウエーブレット変換手段は輝度信号に対し第Ｐレベルの二項ウエーブレット変換を行い、少なくとも第Ｐレベルの輝度高周波帯域成分に対しては、（第Ｐレベルの輝度高周波帯域成分の信号強度）／（第Ｐレベルより低いレベルの輝度高周波帯域成分の信号強度）≦閾値Ｅの関係を充たす場合に、前記処理手段は第Ｐレベルの輝度高周波帯域成分の信号強度を抑制し、前記逆ウエーブレット変換手段は第Ｐレベルより二項ウエーブレット逆変換を行い、かつ前記閾値Ｅを輝度低周波帯域成分の信号強度の違いにより変化させることを特徴とする画像処理装置。
【請求項８７】
請求項８６に記載の画像処理装置において、少なくとも第Ｐレベルの輝度高周波帯域成分に対しては、（第Ｐレベルの補正済輝度高周波帯域成分の信号強度）／（第Ｐ−１レベルの補正済輝度高周波帯域成分の信号強度）≦閾値Ｅの関係を充たす場合に、前記処理手段は第Ｐレベルの輝度高周波帯域成分の信号強度を抑制し、かつ前記閾値Ｅは１より大きく１．２以下であることを特徴とする画像処理装置。
【請求項８８】
請求項８６に記載の画像処理装置において、少なくとも第Ｐレベルの輝度高周波帯域成分に対しては、（第Ｐレベルの補正済輝度高周波帯域成分の信号強度）／（第Ｐ−１レベルの補正済輝度高周波帯域成分の信号強度）≦閾値Ｅの関係を充たす場合に、前記処理手段は第Ｐレベルの輝度高周波帯域成分の信号強度を抑制し、かつ前記閾値Ｅは輝度低周波帯域成分の信号強度の違いにより１より大きく１．５以下で変化させ、さらに（第Ｐレベルの補正済輝度高周波帯域成分の信号強度）／（第Ｐ−１レベルの補正済輝度高周波帯域成分の信号強度）≦閾値Ｆの関係を充たす場合に、前記処理手段は第Ｐレベルの輝度高周波帯域成分の信号強度を実質的に０とし、かつ前記閾値Ｆは輝度低周波帯域成分の信号強度の違いにより１未満０．７以上で変化させることを特徴とする画像処理装置。
【請求項８９】
請求項７５に記載の画像処理装置において、前記特定条件は、第Ｐレベル輝度高周波帯域成分の信号強度の標準偏差から決定される閾値Ｃに対して、第Ｐレベル輝度高周波帯域成分の信号強度の絶対値が閾値Ｃ以下の条件を充たす場合であり、かつ前記閾値Ｃを輝度低周波帯域成分の信号強度の違いにより変化させることを特徴とする画像処理装置。
【請求項９０】
請求項７５に記載の画像処理装置において、前記特定条件は、第Ｐレベル輝度高周波帯域成分の信号強度の標準偏差から決定される閾値Ｇに対して、第Ｐレベル輝度高周波帯域成分の信号強度の絶対値が閾値Ｇ以下の条件を充たす場合であり、かつ前記処理手段は前記信号強度を実質的に０とすることを特徴とする画像処理装置。
【請求項９１】
請求項７５に記載の画像処理装置において、前記特定条件は、第Ｐレベル輝度高周波帯域成分の信号強度の標準偏差から決定される２つの閾値、閾値Ｃ、閾値Ｄであり、閾値Ｃ＜閾値Ｄの関係であり、第Ｐレベル輝度高周波帯域成分の信号強度の絶対値が閾値Ｄ以下の条件を充たす場合であり、さらに前記絶対値が前記閾値Ｃ以下の条件を充たす場合には前記処理手段は前記信号強度を実質的に０とし、かつ前記閾値Ｃ及び前記閾値Ｄを輝度低周波帯域成分の信号強度の違いにより変化させることを特徴とする画像処理装置。
【請求項９２】
請求項７６に記載の画像処理装置において、前記特定条件は、第Ｐレベル以下の各レベル毎の輝度高周波帯域成分の信号強度の標準偏差から決定される閾値Ｃに対して、第Ｐレベル以下の各レベル毎の輝度高周波帯域成分の信号強度の絶対値が閾値Ｃ以下の条件を充たす場合であり、かつ前記閾値Ｃを輝度低周波帯域成分の信号強度の違いにより変化させることを特徴とする画像処理装置。
【請求項９３】
請求項７６に記載の画像処理装置において、前記特定条件は、第Ｐレベル以下の各レベル毎の輝度高周波帯域成分の信号強度の標準偏差から決定される閾値Ｇに対して、第Ｐレベル以下の各レベル毎の輝度高周波帯域成分の信号強度の絶対値が閾値Ｇ以下の条件を充たす場合であり、かつ前記処理手段は前記信号強度を実質的に０とすることを特徴とする画像処理装置。
【請求項９４】
請求項７６に記載の画像処理装置において、前記特定条件が第Ｐレベル以下の各レベル毎の輝度高周波帯域成分の信号強度の標準偏差から決定される２つの閾値、閾値Ｃ、閾値Ｄであり、閾値Ｃ＜閾値Ｄの関係であり、第Ｐレベル以下の各レベル毎の輝度高周波帯域成分の信号強度の絶対値が閾値Ｄ以下の条件を充たす場合であり、さらに前記絶対値が前記閾値Ｃ以下の条件を充たす場合には前記処理手段は前記信号強度を実質的に０とし、かつ前記閾値Ｃ、閾値Ｄを輝度低周波帯域成分の信号強度の違いにより変化させることを特徴とする画像処理装置。
【請求項９５】
請求項７５〜９４のいずれか１項に記載の画像処理装置において、前記処理手段は前記特定条件による輝度高周波帯域成分の信号強度の抑制処理を行った後に、鮮鋭性強調処理を行うことを特徴とする画像処理装置。
【請求項９６】
請求項９５に記載の画像処理装置において、抑制処理が行われたレベルの、前記特定条件が満たされなかった輝度高周波帯域成分の信号強度を強調することにより、鮮鋭性強調処理を行うことを特徴とする画像処理装置。
【請求項９７】
請求項７５〜９６のいずれか１項に記載の画像処理装置において、前記処理手段は前記色差信号の高周波成分の抑制処理を行うことを特徴とする画像処理装置。
【請求項９８】
請求項７５〜９７のいずれか１項に記載の画像処理装置において、前記処理手段は前記色差信号の低周波帯域成分の特性により、輝度高周波帯域成分の信号強度を抑制する特定条件を変化させることを特徴とする画像処理装置。
【請求項９９】
請求項５１〜９８のいずれか１項に記載の画像処理装置において、元画像を表す画像信号が銀塩フィルムをスキャニングして得られたものであることを特徴とする画像処理装置。
【請求項１００】
請求項５１〜９９のいずれか１項に記載の画像処理装置において、処理済みの画像信号に対して微弱なノイズを付加することを特徴とする画像処理装置。
【請求項１０１】
コンピュータを作動させる画像処理プログラムであって、前記画像処理プログラムは、
元画像を表す画像信号を輝度信号と色差信号に変換する分離変換手段、
少なくとも前記輝度信号に対し二項ウエーブレット（Ｄｙａｄｉｃ　Ｗａｖｅｌｅｔ）変換を行うウエーブレット変換手段、
少なくとも第Ｐレベル（Ｐは１以上の整数）の輝度高周波帯域成分に対し前記輝度高周波帯域成分の信号強度が特定条件である場合に、前記信号強度を抑制する処理手段、
前記処理手段により処理された輝度信号に対し二項ウエーブレット逆変換を行う逆ウエーブレット変換手段及び、
処理済みの輝度信号と前記色差信号を合成する合成手段を有することを特徴とする画像処理プログラム。
【請求項１０２】
元画像を表す画像信号を輝度信号と色差信号に変換する分離変換手段、
少なくとも前記輝度信号に対し二項ウエーブレット（Ｄｙａｄｉｃ　Ｗａｖｅｌｅｔ）変換を行うウエーブレット変換手段、
少なくとも第Ｐレベル以下（Ｐは２以上の整数）の輝度高周波帯域成分に対し前記輝度高周波帯域成分の信号強度が特定条件である場合に、前記信号強度を抑制する処理手段、
前記処理手段により処理された輝度信号に対し二項ウエーブレット逆変換を行う逆ウエーブレット変換手段及び、
処理済みの輝度信号と前記色差信号を合成する合成手段を有することを特徴とする画像処理プログラム。
【請求項１０３】
請求項１０１に記載の画像処理プログラムにおいて、前記特定条件は、輝度信号に対し第Ｑレベル（Ｑ＞Ｐ）の二項ウエーブレット変換を行い、（第Ｑレベルの輝度高周波帯域成分の信号強度）／（第Ｐレベルの輝度高周波帯域成分の信号強度）≦閾値Ａの関係を充たす場合であることを特徴とする画像処理プログラム。
【請求項１０４】
請求項１０３に記載の画像処理プログラムにおいて、前記特定条件はさらに、（第Ｐレベル＋１レベルの補正済輝度高周波帯域成分の信号強度）／（第Ｐレベルの補正済輝度高周波帯域成分の信号強度）≦閾値Ａの関係を充たす場合であり、かつ前記閾値Ａは１より大きく１．２以下であることを特徴とする画像処理プログラム。
【請求項１０５】
請求項１０３に記載の画像処理プログラムにおいて、前記特定条件はさらに、（第Ｐレベル＋１レベルの補正済輝度高周波帯域成分の信号強度）／（第Ｐレベルの補正済輝度高周波帯域成分の信号強度）≦閾値Ａの関係を充たす場合であり、かつ前記閾値Ａは１より大きく１．２以下であり、さらに前記処理手段は、（第Ｐレベル＋１レベルの補正済輝度高周波帯域成分の信号強度）／（第Ｐレベルの補正済輝度高周波帯域成分の信号強度）≦閾値Ｂの関係を充たす場合に、第Ｐレベルの輝度高周波帯域成分の信号強度を実質的に０とし、かつ前記閾値Ｂは１未満０．８以上であることを特徴とする画像処理プログラム。
【請求項１０６】
請求項１０２に記載の画像処理プログラムにおいて、前記特定条件は、前記ウエーブレット変換手段が輝度信号に対し第Ｑレベル（Ｑ＞Ｐ）の二項ウエーブレット変換を行い、（第Ｐレベル以下の各レベルより大きいレベルの輝度高周波帯域成分の信号強度）／（各レベルの輝度高周波帯域成分の信号強度）≦閾値Ａの関係を充たす場合であり、該場合に前記処理手段は第Ｐレベル以下の各レベルの輝度高周波帯域成分の信号強度を抑制することを特徴とする画像処理プログラム。
【請求項１０７】
請求項１０６に記載の画像処理プログラムにおいて、前記特定条件は、さらに（第Ｐレベル以下の各レベル＋１レベルの補正済輝度高周波帯域成分の信号強度）／（各レベルの補正済輝度高周波帯域成分の信号強度）≦閾値Ａの関係を充たす場合であり、該場合に前記処理手段は第Ｐレベル以下の各レベルの輝度高周波帯域成分の信号強度を抑制し、かつ前記閾値Ａは１より大きく１．２以下であることを特徴とする画像処理プログラム。
【請求項１０８】
請求項１０６に記載の画像処理プログラムにおいて、前記特定条件はさらに（第Ｐレベル以下の各レベル＋１レベルの補正済輝度高周波帯域成分の信号強度）／（各レベルの補正済輝度高周波帯域成分の信号強度）≦閾値Ａの関係を充たす場合であり、該場合に前記処理手段は第Ｐレベル以下の各レベルの輝度高周波帯域成分の信号強度を抑制し、かつ前記閾値Ａは１より大きく１．２以下であり、さらに（第Ｐレベル以下の各レベル＋１レベルの補正済輝度高周波帯域成分の信号強度）／（各レベルの補正済輝度高周波帯域成分の信号強度）≦閾値Ｂの関係を充たす場合に、前記処理手段は第Ｐレベル以下の各レベルの輝度高周波帯域成分の信号強度を実質的に０とし、かつ前記閾値Ｂは１未満０．８以上であることを特徴とする画像処理プログラム。
【請求項１０９】
請求項１０１に記載の画像処理プログラムにおいて、前記特定条件は、Ｐは２以上であり、前記ウエーブレット変換手段が輝度信号に対し第Ｐレベルの二項ウエーブレット変換を行い、（第Ｐレベルの輝度高周波帯域成分の信号強度）／（第Ｐレベルより低いレベルの輝度高周波帯域成分の信号強度）≦閾値Ｅの関係を充たす場合であり、かつ該場合に前記処理手段は第Ｐレベルの輝度高周波帯域成分の信号強度を抑制し、前記逆ウエーブレット変換手段は第Ｐレベルより二項ウエーブレット逆変換を行うことを特徴とする画像処理プログラム。
【請求項１１０】
請求項１０９に記載の画像処理プログラムにおいて、前記特定条件は、さらに（第Ｐレベルの補正済輝度高周波帯域成分の信号強度）／（第Ｐ−１レベルの補正済輝度高周波帯域成分の信号強度）≦閾値Ｅの関係を充たす場合であり、かつ前記処理手段は第Ｐレベルの輝度高周波帯域成分の信号強度を抑制し、かつ前記閾値Ｅは１より大きく１．２以下であることを特徴とする画像処理プログラム。
【請求項１１１】
請求項１０９に記載の画像処理プログラムにおいて、前記特定条件は、さらに（第Ｐレベルの補正済輝度高周波帯域成分の信号強度）／（第Ｐ−１レベルの補正済輝度高周波帯域成分の信号強度）≦閾値Ｅの関係を充たす場合であり、かつ前記処理手段は第Ｐレベルの輝度高周波帯域成分の信号強度を抑制し、かつ前記閾値Ｅは１より大きく１．２以下であり、さらに（第Ｐレベルの補正済輝度高周波帯域成分の信号強度）／（第Ｐ−１レベルの補正済輝度高周波帯域成分の信号強度）≦閾値Ｆの関係を充たす場合に、前記処理手段は第Ｐレベルの輝度高周波帯域成分の信号強度を実質的に０とし、かつ前記閾値Ｆは１未満０．８以上であることを特徴とする画像処理プログラム。
【請求項１１２】
請求項１０２に記載の画像処理プログラムにおいて、前記ウエーブレット変換手段は輝度信号に対し第Ｐレベルの二項ウエーブレット変換を行い、少なくとも第Ｐレベルの輝度高周波帯域成分に対しては、（第Ｐレベルの輝度高周波帯域成分の信号強度）／（第Ｐレベルより低いレベルの輝度高周波帯域成分の信号強度）≦閾値Ｅの関係を充たす場合に、前記処理手段は第Ｐレベルの輝度高周波帯域成分の信号強度を抑制し、前記逆ウエーブレット変換手段は前記処理手段が処理した輝度信号に対して第Ｐレベルより二項ウエーブレット逆変換を行うことを特徴とする画像処理プログラム。
【請求項１１３】
請求項１１２に記載の画像処理プログラムにおいて、少なくとも第Ｐレベルの輝度高周波帯域成分に対しては、（第Ｐレベルの補正済輝度高周波帯域成分の信号強度）／（第Ｐ−１レベルの補正済輝度高周波帯域成分の信号強度）≦閾値Ｅの関係を充たす場合に、前記処理手段は第Ｐレベルの輝度高周波帯域成分の信号強度を抑制し、かつ前記閾値Ｅは１より大きく１．２以下であることを特徴とする画像処理プログラム。
【請求項１１４】
請求項１１２に記載の画像処理プログラムにおいて、少なくとも第Ｐレベルの輝度高周波帯域成分に対しては、（第Ｐレベルの補正済輝度高周波帯域成分の信号強度）／（第Ｐ−１レベルの補正済輝度高周波帯域成分の信号強度）≦閾値Ｅの関係を充たす場合に、前記処理手段は、第Ｐレベルの輝度高周波帯域成分の信号強度を抑制し、かつ前記閾値Ｅは１より大きく１．２以下であり、かつ（第Ｐレベルの補正済輝度高周波帯域成分の信号強度）／（第Ｐ−１レベルの補正済輝度高周波帯域成分の信号強度）≦閾値Ｆの関係を充たす場合に、前記処理手段は第Ｐレベルの輝度高周波帯域成分の信号強度を実質的に０とし、かつ前記閾値Ｆは１未満０．８以上であることを特徴とする画像処理プログラム。
【請求項１１５】
請求項１０１に記載の画像処理プログラムにおいて、前記特定条件は、第Ｐレベル輝度高周波帯域成分の信号強度の標準偏差から決定される閾値Ｃに対して、第Ｐレベル輝度高周波帯域成分の信号強度の絶対値が前記閾値Ｃ以下の条件を充たす場合であることを特徴とする画像処理プログラム。
【請求項１１６】
請求項１０１に記載の画像処理プログラムにおいて、前記特定条件は、第Ｐレベル輝度高周波帯域成分の信号強度の標準偏差から決定される閾値Ｇに対して、第Ｐレベル輝度高周波帯域成分の信号強度の絶対値が閾値Ｇ以下の条件を充たす場合であり、かつ前記信号強度を実質的に０とすることを特徴とする画像処理プログラム。
【請求項１１７】
請求項１０１に記載の画像処理プログラムにおいて、前記特定条件は、第Ｐレベル輝度高周波帯域成分の信号強度の標準偏差から決定される２つの閾値、閾値Ｃ、閾値Ｄであり、閾値Ｃ＜閾値Ｄの関係であり、第Ｐレベル輝度高周波帯域成分の信号強度の絶対値が閾値Ｄ以下の条件を充たす場合であり、かつ前記処理手段は前記絶対値が前記閾値Ｃ以下の条件を充たす場合には前記信号強度を実質的に０とすることを特徴とする画像処理プログラム。
【請求項１１８】
請求項１０２に記載の画像処理プログラムにおいて、前記特定条件は、第Ｐレベル以下の各レベル毎の輝度高周波帯域成分の信号強度の標準偏差から決定される閾値Ｃに対して、第Ｐレベル以下の各レベル毎の輝度高周波帯域成分の信号強度の絶対値が閾値Ｃ以下の条件を充たす場合であることを特徴とする画像処理プログラム。
【請求項１１９】
請求項１０２に記載の画像処理プログラムにおいて、前記特定条件は、第Ｐレベル以下の各レベル毎の輝度高周波帯域成分の信号強度の標準偏差から決定される閾値Ｇに対して、第Ｐレベル以下の各レベル毎の輝度高周波帯域成分の信号強度の絶対値が閾値Ｇ以下の条件を充たす場合であり、かつ前記処理手段は前記信号強度を実質的に０とすることを特徴とする画像処理プログラム。
【請求項１２０】
請求項１０２に記載の画像処理プログラムにおいて、前記特定条件は、第Ｐレベル以下の各レベル毎の輝度高周波帯域成分の信号強度の標準偏差から決定される２つの閾値、閾値Ｃ、閾値Ｄであり、閾値Ｃ＜閾値Ｄの関係であり、第Ｐレベル以下の各レベル毎の輝度高周波帯域成分の信号強度の絶対値が閾値Ｄ以下の条件を充たす場合であり、さらに前記処理手段は前記絶対値が閾値Ｃ以下の条件を充たす場合には前記信号強度を実質的に０とすることを特徴とする画像処理プログラム。
【請求項１２１】
請求項１０１〜１２０のいずれか１項に記載の画像処理プログラムにおいて、前記処理手段は前記特定条件による輝度高周波帯域成分の信号強度の抑制処理を行った後に、鮮鋭性強調処理を行うことを特徴とする画像処理プログラム。
【請求項１２２】
請求項１２１に記載の画像処理プログラムにおいて、抑制処理が行われたレベルの、前記特定条件が満たされなかった輝度高周波帯域成分の信号強度を強調することにより、鮮鋭性強調処理を行うことを特徴とする画像処理プログラム。
【請求項１２３】
請求項１０１〜１２２のいずれか１項に記載の画像処理プログラムにおいて、前記処理手段は、前記色差信号の高周波成分の抑制処理を行うことを特徴とする画像処理プログラム。
【請求項１２４】
請求項１０１〜１２３のいずれか１項に記載の画像処理プログラムにおいて、前記色差信号の低周波帯域成分の特性により、輝度高周波帯域成分の信号強度を抑制する特定条件を変化させることを特徴とする画像処理プログラム。
【請求項１２５】
コンピュータを作動させる画像処理プログラムであって、前記画像処理プログラムは、
元画像を表す画像信号を輝度信号と色差信号に変換する分離変換手段、
少なくとも前記輝度信号に対し二項ウエーブレット（Ｄｙａｄｉｃ　Ｗａｖｅｌｅｔ）変換を行うウエーブレット変換手段、
少なくとも第Ｐレベル（Ｐは１以上の整数）の輝度高周波帯域成分に対し前記輝度高周波帯域成分の信号強度が特定条件である場合に、前記信号強度を抑制する処理手段、
前記処理手段により処理された輝度信号に対し二項ウエーブレット逆変換を行う逆ウエーブレット変換手段及び、
処理済みの輝度信号と前記色差信号を合成して処理済み画像信号を得る合成手段を有する画像処理プログラムであって、前記特定条件を輝度低周波帯域成分により変化させることを特徴とする画像処理プログラム。
【請求項１２６】
コンピュータを作動させる画像処理プログラムであって、前記画像処理プログラムは、
元画像を表す画像信号を輝度信号と色差信号に変換する分離変換手段、
少なくとも前記輝度信号に対し二項ウエーブレット（Ｄｙａｄｉｃ　Ｗａｖｅｌｅｔ）変換を行うウエーブレット変換手段、
少なくとも第Ｐレベル以下の輝度高周波帯域成分に対し前記輝度高周波帯域成分の信号強度が特定条件である場合に、前記信号強度を抑制する処理手段、
前記処理手段により処理された輝度信号に対し二項ウエーブレット逆変換を行う逆ウエーブレット変換手段及び、
処理済みの輝度信号と前記色差信号を合成して処理済み画像信号を得る合成手段を有する画像処理プログラムであって、前記特定条件を輝度低周波帯域成分の信号強度の違いにより変化させることを特徴とする画像処理プログラム。
【請求項１２７】
請求項１２５に記載の画像処理プログラムにおいて、前記ウエーブレット変換手段は輝度信号に対し第Ｑレベル（Ｑ＞Ｐ）の二項ウエーブレット変換を行い、前記特定条件は、（第Ｑレベルの輝度高周波帯域成分の信号強度）／（第Ｐレベルの輝度高周波帯域成分の信号強度）≦閾値Ａの関係を充たす場合であり、かつ前記処理手段は第Ｐレベルの輝度高周波帯域成分の信号強度を抑制し、さらに前記逆ウエーブレット変換手段は第Ｐレベルより二項ウエーブレット逆変換を行い、かつ前記閾値Ａを輝度低周波帯域成分の信号強度の違いにより変化させることを特徴とする画像処理プログラム。
【請求項１２８】
請求項１２７に記載の画像処理プログラムにおいて、前記特定条件は、さらに（第Ｐレベル＋１レベルの補正済輝度高周波帯域成分の信号強度）／（第Ｐレベルの補正済輝度高周波帯域成分の信号強度）≦閾値Ａの関係を充たす場合であり、かつ前記処理手段は第Ｐレベルの輝度高周波帯域成分の信号強度を抑制し、前記閾値Ａを輝度低周波帯域成分の信号強度の違いにより１より大きく１．５以下で変化させることを特徴とする画像処理プログラム。
【請求項１２９】
請求項１２７に記載の画像処理プログラムにおいて、前記特定条件は、さらに（第Ｐレベルより大きいレベルの補正済輝度高周波帯域成分の信号強度）／（第Ｐレベルの補正済輝度高周波帯域成分の信号強度）≦閾値Ａの関係を充たす場合であり、かつ前記処理手段は第Ｐレベルの輝度高周波帯域成分の信号強度を抑制し、かつ前記閾値Ａは輝度低周波帯域成分の信号強度の違いにより１より大きく１．５以下で変化させ、さらに（第Ｐレベル＋１レベルの補正済輝度高周波帯域成分の信号強度）／（第Ｐレベルの補正済輝度高周波帯域成分の信号強度）≦閾値Ｂの関係を充たす場合に、前記処理手段は第Ｐレベルの輝度高周波帯域成分の信号強度を実質的に０とし、かつ前記閾値Ｂは輝度低周波帯域成分の信号強度の違いにより１未満０．７以上で変化させることを特徴とする画像処理プログラム。
【請求項１３０】
請求項１２６に記載の画像処理プログラムにおいて、前記特定条件は、輝度信号に対し第Ｑレベル（Ｑ＞Ｐ）の二項ウエーブレット変換を行い、（第Ｐレベル以下の各レベルより大きいレベルの輝度高周波帯域成分の信号強度）／（各レベルの輝度高周波帯域成分の信号強度）≦閾値Ａの関係を充たす場合であり、かつ前記処理手段は第Ｐレベル以下の各レベルの輝度高周波帯域成分の信号強度を抑制し、かつ前記逆ウエーブレット変換手段は第Ｐレベルより二項ウエーブレット逆変換を行い、さらに前記閾値Ａを輝度低周波帯域成分の信号強度の違いにより変化させることを特徴とする画像処理プログラム。
【請求項１３１】
請求項１３０に記載の画像処理プログラムにおいて、前記特定条件は、（第Ｐレベル以下の各レベル＋１レベルの補正済輝度高周波帯域成分の信号強度）／（各レベルの補正済輝度高周波帯域成分の信号強度）≦閾値Ａの関係を充たす場合であり、かつ前記処理手段は第Ｐレベル以下の各レベルの輝度高周波帯域成分の信号強度を抑制し、前記閾値Ａを輝度低周波帯域成分の信号強度の違いにより１より大きく２以下で変化させることを特徴とする画像処理プログラム。
【請求項１３２】
請求項１３０に記載の画像処理プログラムにおいて、前記特定条件は、さらに（第Ｐレベル以下の各レベル＋１レベルの補正済輝度高周波帯域成分の信号強度）／（各レベルの補正済輝度高周波帯域成分の信号強度）≦閾値Ａの関係を充たす場合であり、かつ前記処理手段は第Ｐレベル以下の各レベルの輝度高周波帯域成分の信号強度を抑制し、かつ前記閾値Ａは輝度低周波帯域成分の信号強度の違いにより１より大きく１．５以下で変化させ、さらに（第Ｐレベル以下の各レベル＋１レベルの補正済輝度高周波帯域成分の信号強度）／（各レベルの補正済輝度高周波帯域成分の信号強度）≦閾値Ｂの関係を充たす場合に、前記処理手段は第Ｐレベル以下の各レベルの輝度高周波帯域成分の信号強度を実質的に０とし、かつ前記閾値Ｂは輝度低周波帯域成分の信号強度の違いにより１未満０．７以上で変化させることを特徴とする画像処理プログラム。
【請求項１３３】
請求項１２５に記載の画像処理プログラムにおいて、前記特定条件は、輝度信号に対し第Ｐレベルの二項ウエーブレット変換を行い、（第Ｐレベルの輝度高周波帯域成分の信号強度）／（第Ｐレベルより低いレベルの輝度高周波帯域成分の信号強度）≦閾値Ｅの関係を充たす場合であり、かつ前記処理手段は第Ｐレベルの輝度高周波帯域成分の信号強度を抑制し、かつ前記逆ウエーブレット変換手段は第Ｐレベルより二項ウエーブレット逆変換を行い、さらに前記閾値Ｅを輝度低周波帯域成分の信号強度の違いにより変化させることを特徴とする画像処理プログラム。
【請求項１３４】
請求項１３３に記載の画像処理プログラムにおいて、前記特定条件は、さらに（第Ｐレベルの補正済輝度高周波帯域成分の信号強度）／（第Ｐ−１レベルの補正済輝度高周波帯域成分の信号強度）≦閾値Ｅの関係を充たす場合であり、かつ前記処理手段は第Ｐレベルの輝度高周波帯域成分の信号強度を抑制し、さらに前記閾値Ｅを輝度低周波帯域成分の信号強度の違いにより１より大きく１．５以下で変化させることを特徴とする画像処理プログラム。
【請求項１３５】
請求項１３３に記載の画像処理プログラムにおいて、前記特定条件は、さらに（第Ｐレベルの補正済輝度高周波帯域成分の信号強度）／（第Ｐ−１レベルの補正済輝度高周波帯域成分の信号強度）≦閾値Ｅの関係を充たす場合であり、かつ前記処理手段は第Ｐレベルの輝度高周波帯域成分の信号強度を抑制し、かつ前記閾値Ｅは輝度低周波帯域成分の信号強度の違いにより１より大きく１．５以下で変化させ、さらに（第Ｐレベルの補正済輝度高周波帯域成分の信号強度）／（第Ｐ−１レベルの補正済輝度高周波帯域成分の信号強度）≦閾値Ｆの関係を充たす場合に、前記処理手段は第Ｐレベルの輝度高周波帯域成分の信号強度を実質的に０とし、かつ前記閾値Ｆは輝度低周波帯域成分の信号強度の違いにより１未満０．７以上で変化させることを特徴とする画像処理プログラム。
【請求項１３６】
請求項１２６に記載の画像処理プログラムにおいて、前記ウエーブレット変換手段は輝度信号に対し第Ｐレベルの二項ウエーブレット変換を行い、少なくとも第Ｐレベルの輝度高周波帯域成分に対しては、（第Ｐレベルの輝度高周波帯域成分の信号強度）／（第Ｐレベルより低いレベルの輝度高周波帯域成分の信号強度）≦閾値Ｅの関係を充たす場合に、前記処理手段は第Ｐレベルの輝度高周波帯域成分の信号強度を抑制し、前記逆ウエーブレット変換手段は第Ｐレベルより二項ウエーブレット逆変換を行い、かつ前記閾値Ｅを輝度低周波帯域成分の信号強度の違いにより変化させることを特徴とする画像処理プログラム。
【請求項１３７】
請求項１３６に記載の画像処理プログラムにおいて、少なくとも第Ｐレベルの輝度高周波帯域成分に対しては、（第Ｐレベルの補正済輝度高周波帯域成分の信号強度）／（第Ｐ−１レベルの補正済輝度高周波帯域成分の信号強度）≦閾値Ｅの関係を充たす場合に、前記処理手段は第Ｐレベルの輝度高周波帯域成分の信号強度を抑制し、かつ前記閾値Ｅは１より大きく１．２以下であることを特徴とする画像処理プログラム。
【請求項１３８】
請求項１３６に記載の画像処理プログラムにおいて、少なくとも第Ｐレベルの輝度高周波帯域成分に対しては、（第Ｐレベルの補正済輝度高周波帯域成分の信号強度）／（第Ｐ−１レベルの補正済輝度高周波帯域成分の信号強度）≦閾値Ｅの関係を充たす場合に、前記処理手段は第Ｐレベルの輝度高周波帯域成分の信号強度を抑制し、かつ前記閾値Ｅは輝度低周波帯域成分の信号強度の違いにより１より大きく１．５以下で変化させ、さらに（第Ｐレベルの補正済輝度高周波帯域成分の信号強度）／（第Ｐ−１レベルの補正済輝度高周波帯域成分の信号強度）≦閾値Ｆの関係を充たす場合に、前記処理手段は第Ｐレベルの輝度高周波帯域成分の信号強度を実質的に０とし、かつ前記閾値Ｆは輝度低周波帯域成分の信号強度の違いにより１未満０．７以上で変化させることを特徴とする画像処理プログラム。
【請求項１３９】
請求項１２５に記載の画像処理プログラムにおいて、前記特定条件は、第Ｐレベル輝度高周波帯域成分の信号強度の標準偏差から決定される閾値Ｃに対して、第Ｐレベル輝度高周波帯域成分の信号強度の絶対値が閾値Ｃ以下の条件を充たす場合であり、かつ前記閾値Ｃを輝度低周波帯域成分の信号強度の違いにより変化させることを特徴とする画像処理プログラム。
【請求項１４０】
請求項１２５に記載の画像処理プログラムにおいて、前記特定条件は、第Ｐレベル輝度高周波帯域成分の信号強度の標準偏差から決定される閾値Ｇに対して、第Ｐレベル輝度高周波帯域成分の信号強度の絶対値が閾値Ｇ以下の条件を充たす場合であり、かつ前記処理手段は前記信号強度を実質的に０とすることを特徴とする画像処理プログラム。
【請求項１４１】
請求項１２５に記載の画像処理プログラムにおいて、前記特定条件は、第Ｐレベル輝度高周波帯域成分の信号強度の標準偏差から決定される２つの閾値、閾値Ｃ、閾値Ｄであり、閾値Ｃ＜閾値Ｄの関係であり、第Ｐレベル輝度高周波帯域成分の信号強度の絶対値が閾値Ｄ以下の条件を充たす場合であり、さらに前記絶対値が前記閾値Ｃ以下の条件を充たす場合には前記処理手段は前記信号強度を実質的に０とし、かつ前記閾値Ｃ及び前記閾値Ｄを輝度低周波帯域成分の信号強度の違いにより変化させることを特徴とする画像処理プログラム。
【請求項１４２】
請求項１２６に記載の画像処理プログラムにおいて、前記特定条件は、第Ｐレベル以下の各レベル毎の輝度高周波帯域成分の信号強度の標準偏差から決定される閾値Ｃに対して、第Ｐレベル以下の各レベル毎の輝度高周波帯域成分の信号強度の絶対値が閾値Ｃ以下の条件を充たす場合であり、かつ前記閾値Ｃを輝度低周波帯域成分の信号強度の違いにより変化させることを特徴とする画像処理プログラム。
【請求項１４３】
請求項１２６に記載の画像処理プログラムにおいて、前記特定条件は、第Ｐレベル以下の各レベル毎の輝度高周波帯域成分の信号強度の標準偏差から決定される閾値Ｇに対して、第Ｐレベル以下の各レベル毎の輝度高周波帯域成分の信号強度の絶対値が閾値Ｇ以下の条件を充たす場合であり、かつ前記処理手段は前記信号強度を実質的に０とすることを特徴とする画像処理プログラム。
【請求項１４４】
請求項１２６に記載の画像処理プログラムにおいて、前記特定条件が第Ｐレベル以下の各レベル毎の輝度高周波帯域成分の信号強度の標準偏差から決定される２つの閾値、閾値Ｃ、閾値Ｄであり、閾値Ｃ＜閾値Ｄの関係であり、第Ｐレベル以下の各レベル毎の輝度高周波帯域成分の信号強度の絶対値が閾値Ｄ以下の条件を充たす場合であり、さらに前記絶対値が前記閾値Ｃ以下の条件を充たす場合には前記処理手段は前記信号強度を実質的に０とし、かつ前記閾値Ｃ、閾値Ｄを輝度低周波帯域成分の信号強度の違いにより変化させることを特徴とする画像処理プログラム。
【請求項１４５】
請求項１２５〜１４４のいずれか１項に記載の画像処理プログラムにおいて、前記処理手段は前記特定条件による輝度高周波帯域成分の信号強度の抑制処理を行った後に、鮮鋭性強調処理を行うことを特徴とする画像処理プログラム。
【請求項１４６】
請求項１４５に記載の画像処理プログラムにおいて、抑制処理が行われたレベルの、前記特定条件が満たされなかった輝度高周波帯域成分の信号強度を強調することにより、鮮鋭性強調処理を行うことを特徴とする画像処理プログラム。
【請求項１４７】
請求項１２５〜１４６のいずれか１項に記載の画像処理プログラムにおいて、前記処理手段は前記色差信号の高周波成分の抑制処理を行うことを特徴とする画像処理プログラム。
【請求項１４８】
請求項１２５〜１４７のいずれか１項に記載の画像処理プログラムにおいて、前記処理手段は前記色差信号の低周波帯域成分の特性により、輝度高周波帯域成分の信号強度を抑制する特定条件を変化させることを特徴とする画像処理プログラム。
【請求項１４９】
請求項１０１〜１４８のいずれか１項に記載の画像処理プログラムにおいて、元画像を表す画像信号が銀塩フィルムをスキャニングして得られたものであることを特徴とする画像処理プログラム。
【請求項１５０】
請求項１０１〜１４９のいずれか１項に記載の画像処理プログラムにおいて、処理済みの画像信号に対して微弱なノイズを付加することを特徴とする画像処理プログラム。
【請求項１５１】
画像処理装置及び前記画像処理装置が生成する画像信号に基づいて画像記録を行う画像記録手段を有する画像記録装置であって、前記画像処理装置は、
元画像を表す画像信号を輝度信号と色差信号に変換する分離変換手段、
少なくとも前記輝度信号に対し二項ウエーブレット（Ｄｙａｄｉｃ　Ｗａｖｅｌｅｔ）変換を行うウエーブレット変換手段、
少なくとも第Ｐレベル（Ｐは１以上の整数）の輝度高周波帯域成分に対し前記輝度高周波帯域成分の信号強度が特定条件である場合に、前記信号強度を抑制する処理手段、
前記処理手段により処理された輝度信号に対し二項ウエーブレット逆変換を行う逆ウエーブレット変換手段及び、
処理済みの輝度信号と前記色差信号を合成する合成手段を有することを特徴とする画像記録装置。
【請求項１５２】
画像処理装置及び前記画像処理装置が生成する画像信号に基づいて画像記録を行う画像記録手段を有する画像記録装置であって、前記画像処理装置は、
元画像を表す画像信号を輝度信号と色差信号に変換する分離変換手段、
少なくとも前記輝度信号に対し二項ウエーブレット（Ｄｙａｄｉｃ　Ｗａｖｅｌｅｔ）変換を行うウエーブレット変換手段、
少なくとも第Ｐレベル以下（Ｐは２以上の整数）の輝度高周波帯域成分に対し前記輝度高周波帯域成分の信号強度が特定条件である場合に、前記信号強度を抑制する処理手段、
前記処理手段により処理された輝度信号に対し二項ウエーブレット逆変換を行う逆ウエーブレット変換手段及び、
処理済みの輝度信号と前記色差信号を合成する合成手段を有することを特徴とする画像記録装置。
【請求項１５３】
請求項１５１に記載の画像記録装置において、前記特定条件は、輝度信号に対し第Ｑレベル（Ｑ＞Ｐ）の二項ウエーブレット変換を行い、（第Ｑレベルの輝度高周波帯域成分の信号強度）／（第Ｐレベルの輝度高周波帯域成分の信号強度）≦閾値Ａの関係を充たす場合であることを特徴とする画像記録装置。
【請求項１５４】
請求項１５３に記載の画像記録装置において、前記特定条件はさらに、（第Ｐレベル＋１レベルの補正済輝度高周波帯域成分の信号強度）／（第Ｐレベルの補正済輝度高周波帯域成分の信号強度）≦閾値Ａの関係を充たす場合であり、かつ前記閾値Ａは１より大きく１．２以下であることを特徴とする画像記録装置。
【請求項１５５】
請求項１５３に記載の画像記録装置において、前記特定条件はさらに、（第Ｐレベル＋１レベルの補正済輝度高周波帯域成分の信号強度）／（第Ｐレベルの補正済輝度高周波帯域成分の信号強度）≦閾値Ａの関係を充たす場合であり、かつ前記閾値Ａは１より大きく１．２以下であり、さらに前記処理手段は、（第Ｐレベル＋１レベルの補正済輝度高周波帯域成分の信号強度）／（第Ｐレベルの補正済輝度高周波帯域成分の信号強度）≦閾値Ｂの関係を充たす場合に、第Ｐレベルの輝度高周波帯域成分の信号強度を実質的に０とし、かつ前記閾値Ｂは１未満０．８以上であることを特徴とする画像記録装置。
【請求項１５６】
請求項１５２に記載の画像記録装置において、前記特定条件は、前記ウエーブレット変換手段が輝度信号に対し第Ｑレベル（Ｑ＞Ｐ）の二項ウエーブレット変換を行い、（第Ｐレベル以下の各レベルより大きいレベルの輝度高周波帯域成分の信号強度）／（各レベルの輝度高周波帯域成分の信号強度）≦閾値Ａの関係を充たす場合であり、該場合に前記処理手段は第Ｐレベル以下の各レベルの輝度高周波帯域成分の信号強度を抑制することを特徴とする画像記録装置。
【請求項１５７】
請求項１５６に記載の画像記録装置において、前記特定条件は、さらに（第Ｐレベル以下の各レベル＋１レベルの補正済輝度高周波帯域成分の信号強度）／（各レベルの補正済輝度高周波帯域成分の信号強度）≦閾値Ａの関係を充たす場合であり、該場合に前記処理手段は第Ｐレベル以下の各レベルの輝度高周波帯域成分の信号強度を抑制し、かつ前記閾値Ａは１より大きく１．２以下であることを特徴とする画像記録装置。
【請求項１５８】
請求項１５６に記載の画像記録装置において、前記特定条件はさらに（第Ｐレベル以下の各レベル＋１レベルの補正済輝度高周波帯域成分の信号強度）／（各レベルの補正済輝度高周波帯域成分の信号強度）≦閾値Ａの関係を充たす場合であり、該場合に前記処理手段は第Ｐレベル以下の各レベルの輝度高周波帯域成分の信号強度を抑制し、かつ前記閾値Ａは１より大きく１．２以下であり、さらに（第Ｐレベル以下の各レベル＋１レベルの補正済輝度高周波帯域成分の信号強度）／（各レベルの補正済輝度高周波帯域成分の信号強度）≦閾値Ｂの関係を充たす場合に、前記処理手段は第Ｐレベル以下の各レベルの輝度高周波帯域成分の信号強度を実質的に０とし、かつ前記閾値Ｂは１未満０．８以上であることを特徴とする画像記録装置。
【請求項１５９】
請求項１５１に記載の画像記録装置において、前記特定条件は、Ｐは２以上であり、前記ウエーブレット変換手段が輝度信号に対し第Ｐレベルの二項ウエーブレット変換を行い、（第Ｐレベルの輝度高周波帯域成分の信号強度）／（第Ｐレベルより低いレベルの輝度高周波帯域成分の信号強度）≦閾値Ｅの関係を充たす場合であり、かつ該場合に前記処理手段は第Ｐレベルの輝度高周波帯域成分の信号強度を抑制し、前記逆ウエーブレット変換手段は第Ｐレベルより二項ウエーブレット逆変換を行うことを特徴とする画像記録装置。
【請求項１６０】
請求項１５９に記載の画像記録装置において、前記特定条件は、さらに（第Ｐレベルの補正済輝度高周波帯域成分の信号強度）／（第Ｐ−１レベルの補正済輝度高周波帯域成分の信号強度）≦閾値Ｅの関係を充たす場合であり、かつ前記処理手段は第Ｐレベルの輝度高周波帯域成分の信号強度を抑制し、かつ前記閾値Ｅは１より大きく１．２以下であることを特徴とする画像記録装置。
【請求項１６１】
請求項１５９に記載の画像記録装置において、前記特定条件は、さらに（第Ｐレベルの補正済輝度高周波帯域成分の信号強度）／（第Ｐ−１レベルの補正済輝度高周波帯域成分の信号強度）≦閾値Ｅの関係を充たす場合であり、かつ前記処理手段は第Ｐレベルの輝度高周波帯域成分の信号強度を抑制し、かつ前記閾値Ｅは１より大きく１．２以下であり、さらに（第Ｐレベルの補正済輝度高周波帯域成分の信号強度）／（第Ｐ−１レベルの補正済輝度高周波帯域成分の信号強度）≦閾値Ｆの関係を充たす場合に、前記処理手段は第Ｐレベルの輝度高周波帯域成分の信号強度を実質的に０とし、かつ前記閾値Ｆは１未満０．８以上であることを特徴とする画像記録装置。
【請求項１６２】
請求項１５２に記載の画像記録装置において、前記ウエーブレット変換手段は輝度信号に対し第Ｐレベルの二項ウエーブレット変換を行い、少なくとも第Ｐレベルの輝度高周波帯域成分に対しては、（第Ｐレベルの輝度高周波帯域成分の信号強度）／（第Ｐレベルより低いレベルの輝度高周波帯域成分の信号強度）≦閾値Ｅの関係を充たす場合に、前記処理手段は第Ｐレベルの輝度高周波帯域成分の信号強度を抑制し、前記逆ウエーブレット変換手段は前記処理手段が処理した輝度信号に対して第Ｐレベルより二項ウエーブレット逆変換を行うことを特徴とする画像記録装置。
【請求項１６３】
請求項１６２に記載の画像記録装置において、少なくとも第Ｐレベルの輝度高周波帯域成分に対しては、（第Ｐレベルの補正済輝度高周波帯域成分の信号強度）／（第Ｐ−１レベルの補正済輝度高周波帯域成分の信号強度）≦閾値Ｅの関係を充たす場合に、前記処理手段は第Ｐレベルの輝度高周波帯域成分の信号強度を抑制し、かつ前記閾値Ｅは１より大きく１．２以下であることを特徴とする画像記録装置。
【請求項１６４】
請求項１６２に記載の画像記録装置において、少なくとも第Ｐレベルの輝度高周波帯域成分に対しては、（第Ｐレベルの補正済輝度高周波帯域成分の信号強度）／（第Ｐ−１レベルの補正済輝度高周波帯域成分の信号強度）≦閾値Ｅの関係を充たす場合に、前記処理手段は、第Ｐレベルの輝度高周波帯域成分の信号強度を抑制し、かつ前記閾値Ｅは１より大きく１．２以下であり、かつ（第Ｐレベルの補正済輝度高周波帯域成分の信号強度）／（第Ｐ−１レベルの補正済輝度高周波帯域成分の信号強度）≦閾値Ｆの関係を充たす場合に、前記処理手段は第Ｐレベルの輝度高周波帯域成分の信号強度を実質的に０とし、かつ前記閾値Ｆは１未満０．８以上であることを特徴とする画像記録装置。
【請求項１６５】
請求項１５１に記載の画像記録装置において、前記特定条件は、第Ｐレベル輝度高周波帯域成分の信号強度の標準偏差から決定される閾値Ｃに対して、第Ｐレベル輝度高周波帯域成分の信号強度の絶対値が前記閾値Ｃ以下の条件を充たす場合であることを特徴とする画像記録装置。
【請求項１６６】
請求項１５１に記載の画像記録装置において、前記特定条件は、第Ｐレベル輝度高周波帯域成分の信号強度の標準偏差から決定される閾値Ｇに対して、第Ｐレベル輝度高周波帯域成分の信号強度の絶対値が閾値Ｇ以下の条件を充たす場合であり、かつ前記信号強度を実質的に０とすることを特徴とする画像記録装置。
【請求項１６７】
請求項１５１に記載の画像記録装置において、前記特定条件は、第Ｐレベル輝度高周波帯域成分の信号強度の標準偏差から決定される２つの閾値、閾値Ｃ、閾値Ｄであり、閾値Ｃ＜閾値Ｄの関係であり、第Ｐレベル輝度高周波帯域成分の信号強度の絶対値が閾値Ｄ以下の条件を充たす場合であり、かつ前記処理手段は前記絶対値が前記閾値Ｃ以下の条件を充たす場合には前記信号強度を実質的に０とすることを特徴とする画像記録装置。
【請求項１６８】
請求項１５２に記載の画像記録装置において、前記特定条件は、第Ｐレベル以下の各レベル毎の輝度高周波帯域成分の信号強度の標準偏差から決定される閾値Ｃに対して、第Ｐレベル以下の各レベル毎の輝度高周波帯域成分の信号強度の絶対値が閾値Ｃ以下の条件を充たす場合であることを特徴とする画像記録装置。
【請求項１６９】
請求項１５２に記載の画像記録装置において、前記特定条件は、第Ｐレベル以下の各レベル毎の輝度高周波帯域成分の信号強度の標準偏差から決定される閾値Ｇに対して、第Ｐレベル以下の各レベル毎の輝度高周波帯域成分の信号強度の絶対値が閾値Ｇ以下の条件を充たす場合であり、かつ前記処理手段は前記信号強度を実質的に０とすることを特徴とする画像記録装置。
【請求項１７０】
請求項１５２に記載の画像記録装置において、前記特定条件は、第Ｐレベル以下の各レベル毎の輝度高周波帯域成分の信号強度の標準偏差から決定される２つの閾値、閾値Ｃ、閾値Ｄであり、閾値Ｃ＜閾値Ｄの関係であり、第Ｐレベル以下の各レベル毎の輝度高周波帯域成分の信号強度の絶対値が閾値Ｄ以下の条件を充たす場合であり、さらに前記処理手段は前記絶対値が閾値Ｃ以下の条件を充たす場合には前記信号強度を実質的に０とすることを特徴とする画像記録装置。
【請求項１７１】
請求項１５１〜１７０のいずれか１項に記載の画像記録装置において、前記処理手段は前記特定条件による輝度高周波帯域成分の信号強度の抑制処理を行った後に、鮮鋭性強調処理を行うことを特徴とする画像記録装置。
【請求項１７２】
請求項１７１に記載の画像記録装置において、抑制処理が行われたレベルの、前記特定条件が満たされなかった輝度高周波帯域成分の信号強度を強調することにより、鮮鋭性強調処理を行うことを特徴とする画像記録装置。
【請求項１７３】
請求項１５１〜１７２のいずれか１項に記載の画像記録装置において、前記処理手段は、前記色差信号の高周波成分の抑制処理を行うことを特徴とする画像記録装置。
【請求項１７４】
請求項１５１〜１７３のいずれか１項に記載の画像記録装置において、前記色差信号の低周波帯域成分の特性により、輝度高周波帯域成分の信号強度を抑制する特定条件を変化させることを特徴とする画像記録装置。
【請求項１７５】
画像処理装置及び前記画像処理装置が生成する画像信号に基づいて画像記録を行う画像記録手段を有する画像記録装置であって、前記画像処理装置は、
元画像を表す画像信号を輝度信号と色差信号に変換する分離変換手段、
少なくとも前記輝度信号に対し二項ウエーブレット（Ｄｙａｄｉｃ　Ｗａｖｅｌｅｔ）変換を行うウエーブレット変換手段、
少なくとも第Ｐレベル（Ｐは１以上の整数）の輝度高周波帯域成分に対し前記輝度高周波帯域成分の信号強度が特定条件である場合に、前記信号強度を抑制する処理手段、
前記処理手段により処理された輝度信号に対し二項ウエーブレット逆変換を行う逆ウエーブレット変換手段及び、
処理済みの輝度信号と前記色差信号を合成して処理済み画像信号を得る合成手段を有し、前記特定条件を輝度低周波帯域成分により変化させることを特徴とする画像記録装置。
【請求項１７６】
画像処理装置及び前記画像処理装置が生成する画像信号に基づいて画像記録を行う画像記録手段を有する画像記録装置であって、前記画像処理装置は、
元画像を表す画像信号を輝度信号と色差信号に変換する分離変換手段、
少なくとも前記輝度信号に対し二項ウエーブレット（Ｄｙａｄｉｃ　Ｗａｖｅｌｅｔ）変換を行うウエーブレット変換手段、
少なくとも第Ｐレベル以下の輝度高周波帯域成分に対し前記輝度高周波帯域成分の信号強度が特定条件である場合に、前記信号強度を抑制する処理手段、
前記処理手段により処理された輝度信号に対し二項ウエーブレット逆変換を行う逆ウエーブレット変換手段及び、
処理済みの輝度信号と前記色差信号を合成して処理済み画像信号を得る合成手段を有し、前記特定条件を輝度低周波帯域成分の信号強度の違いにより変化させることを特徴とする画像記録装置。
【請求項１７７】
請求項１７５に記載の画像記録装置において、前記ウエーブレット変換手段は輝度信号に対し第Ｑレベル（Ｑ＞Ｐ）の二項ウエーブレット変換を行い、前記特定条件は、（第Ｑレベルの輝度高周波帯域成分の信号強度）／（第Ｐレベルの輝度高周波帯域成分の信号強度）≦閾値Ａの関係を充たす場合であり、かつ前記処理手段は第Ｐレベルの輝度高周波帯域成分の信号強度を抑制し、さらに前記逆ウエーブレット変換手段は第Ｐレベルより二項ウエーブレット逆変換を行い、かつ前記閾値Ａを輝度低周波帯域成分の信号強度の違いにより変化させることを特徴とする画像記録装置。
【請求項１７８】
請求項１７７に記載の画像記録装置において、前記特定条件は、さらに（第Ｐレベル＋１レベルの補正済輝度高周波帯域成分の信号強度）／（第Ｐレベルの補正済輝度高周波帯域成分の信号強度）≦閾値Ａの関係を充たす場合であり、かつ前記処理手段は第Ｐレベルの輝度高周波帯域成分の信号強度を抑制し、前記閾値Ａを輝度低周波帯域成分の信号強度の違いにより１より大きく１．５以下で変化させることを特徴とする画像記録装置。
【請求項１７９】
請求項１７７に記載の画像記録装置において、前記特定条件は、さらに（第Ｐレベルより大きいレベルの補正済輝度高周波帯域成分の信号強度）／（第Ｐレベルの補正済輝度高周波帯域成分の信号強度）≦閾値Ａの関係を充たす場合であり、かつ前記処理手段は第Ｐレベルの輝度高周波帯域成分の信号強度を抑制し、かつ前記閾値Ａは輝度低周波帯域成分の信号強度の違いにより１より大きく１．５以下で変化させ、さらに（第Ｐレベル＋１レベルの補正済輝度高周波帯域成分の信号強度）／（第Ｐレベルの補正済輝度高周波帯域成分の信号強度）≦閾値Ｂの関係を充たす場合に、前記処理手段は第Ｐレベルの輝度高周波帯域成分の信号強度を実質的に０とし、かつ前記閾値Ｂは輝度低周波帯域成分の信号強度の違いにより１未満０．７以上で変化させることを特徴とする画像記録装置。
【請求項１８０】
請求項１７６に記載の画像記録装置において、前記特定条件は、輝度信号に対し第Ｑレベル（Ｑ＞Ｐ）の二項ウエーブレット変換を行い、（第Ｐレベル以下の各レベルより大きいレベルの輝度高周波帯域成分の信号強度）／（各レベルの輝度高周波帯域成分の信号強度）≦閾値Ａの関係を充たす場合であり、かつ前記処理手段は第Ｐレベル以下の各レベルの輝度高周波帯域成分の信号強度を抑制し、かつ前記逆ウエーブレット変換手段は第Ｐレベルより二項ウエーブレット逆変換を行い、さらに前記閾値Ａを輝度低周波帯域成分の信号強度の違いにより変化させることを特徴とする画像記録装置。
【請求項１８１】
請求項１８０に記載の画像記録装置において、前記特定条件は、（第Ｐレベル以下の各レベル＋１レベルの補正済輝度高周波帯域成分の信号強度）／（各レベルの補正済輝度高周波帯域成分の信号強度）≦閾値Ａの関係を充たす場合であり、かつ前記処理手段は第Ｐレベル以下の各レベルの輝度高周波帯域成分の信号強度を抑制し、前記閾値Ａを輝度低周波帯域成分の信号強度の違いにより１より大きく２以下で変化させることを特徴とする画像記録装置。
【請求項１８２】
請求項１８０に記載の画像記録装置において、前記特定条件は、さらに（第Ｐレベル以下の各レベル＋１レベルの補正済輝度高周波帯域成分の信号強度）／（各レベルの補正済輝度高周波帯域成分の信号強度）≦閾値Ａの関係を充たす場合であり、かつ前記処理手段は第Ｐレベル以下の各レベルの輝度高周波帯域成分の信号強度を抑制し、かつ前記閾値Ａは輝度低周波帯域成分の信号強度の違いにより１より大きく１．５以下で変化させ、さらに（第Ｐレベル以下の各レベル＋１レベルの補正済輝度高周波帯域成分の信号強度）／（各レベルの補正済輝度高周波帯域成分の信号強度）≦閾値Ｂの関係を充たす場合に、前記処理手段は第Ｐレベル以下の各レベルの輝度高周波帯域成分の信号強度を実質的に０とし、かつ前記閾値Ｂは輝度低周波帯域成分の信号強度の違いにより１未満０．７以上で変化させることを特徴とする画像記録装置。
【請求項１８３】
請求項１７５に記載の画像記録装置において、前記特定条件は、輝度信号に対し第Ｐレベルの二項ウエーブレット変換を行い、（第Ｐレベルの輝度高周波帯域成分の信号強度）／（第Ｐレベルより低いレベルの輝度高周波帯域成分の信号強度）≦閾値Ｅの関係を充たす場合であり、かつ前記処理手段は第Ｐレベルの輝度高周波帯域成分の信号強度を抑制し、かつ前記逆ウエーブレット変換手段は第Ｐレベルより二項ウエーブレット逆変換を行い、さらに前記閾値Ｅを輝度低周波帯域成分の信号強度の違いにより変化させることを特徴とする画像記録装置。
【請求項１８４】
請求項１８３に記載の画像記録装置において、前記特定条件は、さらに（第Ｐレベルの補正済輝度高周波帯域成分の信号強度）／（第Ｐ−１レベルの補正済輝度高周波帯域成分の信号強度）≦閾値Ｅの関係を充たす場合であり、かつ前記処理手段は第Ｐレベルの輝度高周波帯域成分の信号強度を抑制し、さらに前記閾値Ｅを輝度低周波帯域成分の信号強度の違いにより１より大きく１．５以下で変化させることを特徴とする画像記録装置。
【請求項１８５】
請求項１８３に記載の画像記録装置において、前記特定条件は、さらに（第Ｐレベルの補正済輝度高周波帯域成分の信号強度）／（第Ｐ−１レベルの補正済輝度高周波帯域成分の信号強度）≦閾値Ｅの関係を充たす場合であり、かつ前記処理手段は第Ｐレベルの輝度高周波帯域成分の信号強度を抑制し、かつ前記閾値Ｅは輝度低周波帯域成分の信号強度の違いにより１より大きく１．５以下で変化させ、さらに（第Ｐレベルの補正済輝度高周波帯域成分の信号強度）／（第Ｐ−１レベルの補正済輝度高周波帯域成分の信号強度）≦閾値Ｆの関係を充たす場合に、前記処理手段は第Ｐレベルの輝度高周波帯域成分の信号強度を実質的に０とし、かつ前記閾値Ｆは輝度低周波帯域成分の信号強度の違いにより１未満０．７以上で変化させることを特徴とする画像記録装置。
【請求項１８６】
請求項１７６に記載の画像記録装置において、前記ウエーブレット変換手段は輝度信号に対し第Ｐレベルの二項ウエーブレット変換を行い、少なくとも第Ｐレベルの輝度高周波帯域成分に対しては、（第Ｐレベルの輝度高周波帯域成分の信号強度）／（第Ｐレベルより低いレベルの輝度高周波帯域成分の信号強度）≦閾値Ｅの関係を充たす場合に、前記処理手段は第Ｐレベルの輝度高周波帯域成分の信号強度を抑制し、前記逆ウエーブレット変換手段は第Ｐレベルより二項ウエーブレット逆変換を行い、かつ前記閾値Ｅを輝度低周波帯域成分の信号強度の違いにより変化させることを特徴とする画像記録装置。
【請求項１８７】
請求項１８６に記載の画像記録装置において、少なくとも第Ｐレベルの輝度高周波帯域成分に対しては、（第Ｐレベルの補正済輝度高周波帯域成分の信号強度）／（第Ｐ−１レベルの補正済輝度高周波帯域成分の信号強度）≦閾値Ｅの関係を充たす場合に、前記処理手段は第Ｐレベルの輝度高周波帯域成分の信号強度を抑制し、かつ前記閾値Ｅは１より大きく１．２以下であることを特徴とする画像記録装置。
【請求項１８８】
請求項１８６に記載の画像記録装置において、少なくとも第Ｐレベルの輝度高周波帯域成分に対しては、（第Ｐレベルの補正済輝度高周波帯域成分の信号強度）／（第Ｐ−１レベルの補正済輝度高周波帯域成分の信号強度）≦閾値Ｅの関係を充たす場合に、前記処理手段は第Ｐレベルの輝度高周波帯域成分の信号強度を抑制し、かつ前記閾値Ｅは輝度低周波帯域成分の信号強度の違いにより１より大きく１．５以下で変化させ、さらに（第Ｐレベルの補正済輝度高周波帯域成分の信号強度）／（第Ｐ−１レベルの補正済輝度高周波帯域成分の信号強度）≦閾値Ｆの関係を充たす場合に、前記処理手段は第Ｐレベルの輝度高周波帯域成分の信号強度を実質的に０とし、かつ前記閾値Ｆは輝度低周波帯域成分の信号強度の違いにより１未満０．７以上で変化させることを特徴とする画像記録装置。
【請求項１８９】
請求項１７５に記載の画像記録装置において、前記特定条件は、第Ｐレベル輝度高周波帯域成分の信号強度の標準偏差から決定される閾値Ｃに対して、第Ｐレベル輝度高周波帯域成分の信号強度の絶対値が閾値Ｃ以下の条件を充たす場合であり、かつ前記閾値Ｃを輝度低周波帯域成分の信号強度の違いにより変化させることを特徴とする画像記録装置。
【請求項１９０】
請求項１７５に記載の画像記録装置において、前記特定条件は、第Ｐレベル輝度高周波帯域成分の信号強度の標準偏差から決定される閾値Ｇに対して、第Ｐレベル輝度高周波帯域成分の信号強度の絶対値が閾値Ｇ以下の条件を充たす場合であり、かつ前記処理手段は前記信号強度を実質的に０とすることを特徴とする画像記録装置。
【請求項１９１】
請求項１７５に記載の画像記録装置において、前記特定条件は、第Ｐレベル輝度高周波帯域成分の信号強度の標準偏差から決定される２つの閾値、閾値Ｃ、閾値Ｄであり、閾値Ｃ＜閾値Ｄの関係であり、第Ｐレベル輝度高周波帯域成分の信号強度の絶対値が閾値Ｄ以下の条件を充たす場合であり、さらに前記絶対値が前記閾値Ｃ以下の条件を充たす場合には前記処理手段は前記信号強度を実質的に０とし、かつ前記閾値Ｃ及び前記閾値Ｄを輝度低周波帯域成分の信号強度の違いにより変化させることを特徴とする画像記録装置。
【請求項１９２】
請求項１７６に記載の画像記録装置において、前記特定条件は、第Ｐレベル以下の各レベル毎の輝度高周波帯域成分の信号強度の標準偏差から決定される閾値Ｃに対して、第Ｐレベル以下の各レベル毎の輝度高周波帯域成分の信号強度の絶対値が閾値Ｃ以下の条件を充たす場合であり、かつ前記閾値Ｃを輝度低周波帯域成分の信号強度の違いにより変化させることを特徴とする画像記録装置。
【請求項１９３】
請求項１７６に記載の画像記録装置において、前記特定条件は、第Ｐレベル以下の各レベル毎の輝度高周波帯域成分の信号強度の標準偏差から決定される閾値Ｇに対して、第Ｐレベル以下の各レベル毎の輝度高周波帯域成分の信号強度の絶対値が閾値Ｇ以下の条件を充たす場合であり、かつ前記処理手段は前記信号強度を実質的に０とすることを特徴とする画像記録装置。
【請求項１９４】
請求項１７６に記載の画像記録装置において、前記特定条件が第Ｐレベル以下の各レベル毎の輝度高周波帯域成分の信号強度の標準偏差から決定される２つの閾値、閾値Ｃ、閾値Ｄであり、閾値Ｃ＜閾値Ｄの関係であり、第Ｐレベル以下の各レベル毎の輝度高周波帯域成分の信号強度の絶対値が閾値Ｄ以下の条件を充たす場合であり、さらに前記絶対値が前記閾値Ｃ以下の条件を充たす場合には前記処理手段は前記信号強度を実質的に０とし、かつ前記閾値Ｃ、閾値Ｄを輝度低周波帯域成分の信号強度の違いにより変化させることを特徴とする画像記録装置。
【請求項１９５】
請求項１７５〜１９４のいずれか１項に記載の画像記録装置において、前記処理手段は前記特定条件による輝度高周波帯域成分の信号強度の抑制処理を行った後に、鮮鋭性強調処理を行うことを特徴とする画像記録装置。
【請求項１９６】
請求項１４５に記載の画像記録装置において、抑制処理が行われたレベルの、前記特定条件が満たされなかった輝度高周波帯域成分の信号強度を強調することにより、鮮鋭性強調処理を行うことを特徴とする画像記録装置。
【請求項１９７】
請求項１７５〜１９６のいずれか１項に記載の画像記録装置において、前記処理手段は前記色差信号の高周波成分の抑制処理を行うことを特徴とする画像記録装置。
【請求項１９８】
請求項１７５〜１９７のいずれか１項に記載の画像記録装置において、前記処理手段は前記色差信号の低周波帯域成分の特性により、輝度高周波帯域成分の信号強度を抑制する特定条件を変化させることを特徴とする画像記録装置。
【請求項１９９】
請求項１５１〜１９８のいずれか１項に記載の画像記録装置において、元画像を表す画像信号が銀塩フィルムをスキャニングして得られたものであることを特徴とする画像記録装置。
【請求項２００】
請求項１５１〜１９９のいずれか１項に記載の画像記録装置において、処理済みの画像信号に対して微弱なノイズを付加することを特徴とする画像記録装置。
【発明の詳細な説明】
【０００１】
【発明の属する技術分野】
本発明は、カラー画像の画像処理方法、画像処理装置、画像処理プログラム、画像記録装置に関する。特にカラー写真フィルムをスキャンして画像信号化した画像に対する画像処理方法、画像処理装置、画像処理プログラム、画像記録装置に関する。
【０００２】
【従来の技術】
カラー写真フィルム上に形成された画像をＣＣＤセンサー等で光電的に読みとって、画像信号に変換することが行なわれている。かかる画像信号は、ネガポジ反転・輝度調整・カラーバランス調整・粒状除去・鮮鋭性強調に代表される種々の画像処理を施された後に、ＣＤ−Ｒ・フロッピー（Ｒ）ディスク・メモリーカード等の媒体やインターネット経由で配布され、銀塩印画紙・インクジェットプリンタ・サーマルプリンタ等でハードコピー画像として出力されたり、ＣＲＴ・液晶ディスプレイ・プラズマディスプレイ等の媒体に表示されたりして鑑賞される。
【０００３】
一般にカラー写真フィルムの画像は、様々な大きさの色素雲が集合して形成される。このため画像を拡大して観察すると、本来一様な色であるべきところに、色素雲の大きさに基づいたモトル状の粒状ムラが存在する。これに起因して、写真フィルム上に形成された画像をＣＣＤセンサー等で光電的に読みとって得られる画像信号には、対応する粒状ノイズ信号が含有される。この粒状ノイズ信号は、特に鮮鋭性強調の画像処理に伴って著しく増大し、画像の品位を劣化させる点が問題となっている。
【０００４】
また近年は安価なデジタルスチルカメラ（以下ＤＳＣと略す）が広く普及し、携帯電話やラップトップパソコン等の機器に組み込まれたＤＳＣも広く使用されるようになってきた。安価なＤＳＣに用いられているイメージセンサは画素ピッチが短く、低感度でショットノイズが出やすいうえ、イメージセンサの冷却にも考慮されていないので暗電流ノイズも目立つ。更に安価なＤＳＣはＣＭＯＳイメージセンサを採用する事が多いのでリーク電流のノイズも顕著である。こうしたノイズが更にカラーフィルタ配列の補間やエッジ強調の画像処理を経ることで、モトル状の粒状ムラを形成し画像の品位を劣化させる点が問題となっている。（ＤＳＣのノイズや、カラーフィルター配列の補間については、例えば、非特許文献１を参照）
画像信号に含有されるノイズ除去の方法としては、ローパスフィルタ・メジアンフィルタの手法が知られている（例えば、非特許文献２参照）。しかしながら、単純なフィルタ処理によるノイズ除去では画像鮮鋭性の低下を伴うため、満足な画像を得ることができない。
【０００５】
上記の問題を解決する為に、複数のフィルタを用いて画像信号を複数の周波数帯域成分に分離した後に、周波数帯域別に抑制・強調を行う手法も広く知られている。例えば、特許文献１や特許文献２では、入力された画像信号を低周波数帯域成分・中間周波数帯域成分・高周波数帯域成分に分解し、前記高周波数帯域成分を強調処理するとともに、前記中間周波数帯域成分を抑制処理し、処理後の高周波数帯域成分・中間周波数帯域成分と低周波数帯域成分を合成して処理済画像信号を得ることで、粒状を抑制しつつ鮮鋭性を強調する技術が提案されている。この技術は、粒状ノイズが主として存在する中間周波数帯域成分を一律に抑制することにより、画像にモトル状に見える粒状ムラを消滅させる効果を有しているが、併せて中間周波数帯域成分に存在する画像構造情報が抑制されるために、たとえば顔の鼻筋周辺や目の周囲の陰影が抑制されて顔にボケ感が生じ、のっぺりとした化粧顔になってしまう。
【０００６】
特許文献３や特許文献４では、サイズや形状が可変のローパスフィルタを用いて、画像の局所部位毎にフィルタ条件を変える技術が提案されている。この技術では顔の頬や青空など輝度変化が単調な平坦部では中高周波数帯域成分を抑制して粒状感を除去する一方で、髪の毛や顔の輪郭等の輝度変化が急激なエッジ部では中高周波数帯域成分を抑制せずボケ感を防止する事ができる。しかしこうした効果を上げる為には、１画素の処理毎にローパスフィルタのサイズや形状を適切に設定する判断が必要であり、非常に計算時間がかかるし、任意の画像を自動処理して充分な効果を上げる事は困難である。
【０００７】
画像の局所部位毎に周波数帯域の分割を行い、周波数帯域別に抑制・強調を行なう効率的な方法として、ウエーブレット変換を応用する技術が知られている。ウエーブレット変換の詳細については、例えば、非特許文献３や、非特許文献４に記載されているが、ここでは概要を説明する。
【０００８】
ウエーブレット変換とは図１に例示されるような有限範囲で振動するウエーブレット関数
【０００９】
【数１】
2004127064.tif 000003
【００１０】
を用いて、入力信号ｆ（ｘ）に対するウエーブレット変換係数〈ｆ，ψａ，ｂ〉を
【００１１】
【数２】
2004127064.tif 000004
【００１２】
で求める事により、入力信号を下記のようなウエーブレット関数の総和に分解する変換である。
【００１３】
【数３】
2004127064.tif 000005
【００１４】
上式で、ａはウエーブレット関数のスケールを表し、ｂはウエーブレット関数の位置を示す。図１に例示するように、スケールａの値が大きいほどウエーブレット関数ψａ，ｂ（ｘ）の周波数は小さくなり、また位置ｂの値に従ってウエーブレット関数ψａ，ｂ（ｘ）が振動する位置が移動する。従って式（３）は、入力信号ｆ（ｘ）を種々のスケールと位置を持つウエーブレット関数ψａ，ｂ（ｘ）の総和に分解する事を意味している。
【００１５】
上記のような変換を可能にするウエーブレット関数は多くのものが知られているが、画像処理分野では計算が高速な直交ウエーブレット（ｏｒｔｈｏｇｏｎａｌ　ｗａｖｅｌｅｔ）・双直交ウエーブレット（ｂｉｏｒｔｈｏｇｏｎａｌ　ｗａｖｅｌｅｔ）が広く用いられている。以下、直交ウエーブレット・双直交ウエーブレットの変換計算の概要を説明する。
【００１６】
直交ウエーブレット・双直交ウエーブレットのウエーブレット関数は下記のように定義される。
【００１７】
【数４】
2004127064.tif 000006
【００１８】
式（４）と式（１）を比べると、直交ウエーブレット・双直交ウエーブレットではスケールａの値が２のｉ乗で離散的に定義され、また位置ｂの最小移動単位が２ｉで離散的に定義されている事が判る。このｉの値はレベルと呼ばれる。また実用的にはレベルｉを有限な上限Ｎまでに制限して、入力信号を下記のように変換することが行われる。
【００１９】
【数５】
2004127064.tif 000007
【００２０】
式（５）の第２項は、レベル１のウエーブレット関数ψ１，ｊ（ｘ）の総和で表せない残差の低周波数帯域成分を、レベル１のスケーリング関数φ１，ｊ（ｘ）の総和で表したものである。スケーリング関数はウエーブレット関数に対応して適切なものが用いられる（非特許文献３、４を参照）。式（５）に示す１レベルのウエーブレット変換により入力信号ｆ（ｘ）≡Ｓ０は、レベル１の高周波数帯域成分Ｗ１と低周波数帯域成分Ｓ１に信号分解された事になる。ウエーブレット関数ψｉ，ｊ（ｘ）の最小移動単位は２ｉなので、入力信号Ｓ０の信号量に対して高周波数帯域成分Ｗ１と低周波数帯域成分Ｓ１の信号量は各々１／２となり、Ｗ１とＳ１の信号量の総和は、入力信号Ｓ０の信号量と等しくなる。レベル１の低周波数帯域成分Ｓ１は式（６）でレベル２の高周波数帯域成分Ｗ２と低周波数帯域成分Ｓ２に分解され、以下同様にレベルＮ迄の変換を繰り返すことで、入力信号Ｓ０は、式（７）に示すようにレベル１〜Ｎの高周波数帯域成分の総和とレベルＮの低周波数帯域成分の和に分解される。
【００２１】
ここで、式（６）で示す１レベルのウエーブレット変換は、図２に示すようなフィルタ処理で計算できる事が知られている（非特許文献３、４を参照を参照）。図２においてＬＰＦはローパスフィルタ、ＨＰＦはハイパスフィルタを示している。フィルタ係数はウエーブレット関数に応じて適切に定められる（非特許文献３、４を参照）。また２↓は、信号を１つおきに間引くダウンサンプリングを示す。画像信号のような２次元信号における１レベルのウエーブレット変換は、図３に示すようなフィルタ処理で計算される。図３においてＬＰＦｘ，ＨＰＦｘ，２↓ｘはｘ方向の処理を示し、ＬＰＦｙ，ＨＰＦｙ，２↓ｙはｙ方向の処理を示す。この１レベルのウエーブレット変換により、低周波数帯域成分Ｓｎ−１は３つの高周波数帯域成分Ｗｖｎ，Ｗｈｎ，Ｗｄｎと１つの低周波数帯域成分Ｓｎに分解される。分解で生成するＷｖｎ，Ｗｈｎ，Ｗｄｎ，Ｓｎの各々の信号量は、分解前のＳｎ−１に比べて縦横ともに１／２となるので、分解後の４成分の信号量の総和は、分解前のＳｎ−１の信号と等しくなる。入力信号Ｓ０が３レベルのウエーブレット変換で信号分解される過程の模式図を図４に示す。
【００２２】
また、分解で生成したＷｖｎ，Ｗｈｎ，Ｗｄｎ，Ｓｎに図５で示すようなフィルタ処理で計算されるウエーブレット逆変換をほどこすことにより、分解前の信号Ｓｎ−１を完全再構成できる事が知られている。図５においてＬＰＦ’はローパスフィルタ、ＨＰＦ’はハイパスフィルタを示している。このフィルタ係数は、直交ウエーブレットの場合にはウエーブレット変換に用いたのと同じ係数が使用されるが、双直交ウエーブレットの場合にはウエーブレット変換に用いたのと異なる係数が使用される。（前述の参考文献を参照）。また２↑は、信号に１つおきにゼロを挿入するアップサンプリングを示す。またＬＰＦ’ｘ，ＨＰＦ’ｘ，２↑ｘはｘ方向の処理を示し、ＬＰＦ’ｙ，ＨＰＦ’ｙ，２↓ｙはｙ方向の処理を示す。
【００２３】
このような直交ウエーブレット・双直交ウエーブレットを用いて画像信号を複数の周波数帯域成分に分解し、各周波数帯域成分に編集（データ処理）を施した後に逆変換を行い、ノイズが低減された画像信号を構成する技術が知られている。特許文献５では、放射線画像を表す画像信号をウエーブレット変換することにより、前記画像信号を複数の周波数帯域成分に分解し、前記複数の周波数帯域成分のうち所定の周波数帯域成分に対して、前記各信号値の絶対値が所定の閾値以下の信号値を０とする処理を施し、前記処理が施された周波数帯域成分および他の周波数帯域成分を逆ウエーブレット変換することによりノイズが低減された画像信号を得ることを特徴とする画像処理方法が提案されている。しかしながら、当前記技術をカラー画像に適用すると被写体のエッジ付近のＲＧＢバランスが崩れ偽色輪郭を生じ大変見苦しくなる。またカラー写真フィルム上に形成された画像をＣＣＤセンサー等で光電的に読みとって得られる画像信号のノイズ構造は放射線画像と異なり、発色色素雲の大きさに基づいたモトル状の粒状ムラが支配的になる。このモトル状のムラが消去されるような大きな閾値を設定すると画像の鮮鋭性が著しく失われてしまったり、またアーティファクトが発生してしまう。逆に画像の鮮鋭性が保持される程度の小さな閾値ではモトル状のムラが解消されない。以上の理由により特許文献５の技術をカラー画像に用いても充分な効果は得られない。
【００２４】
特開２０００−２２４４２１号では、画像信号に対してウエーブレット変換を施して、前記画像信号を複数の周波数帯域成分に分解し、所定の周波数帯域成分に対してノイズ抽出処理を施し、前記ノイズ抽出処理の結果に基づいて前記所定周波数帯域成分に対してノイズ除去処理を施して処理済み周波数帯域成分を得、前記処理済み周波数帯域成分に対してウエーブレット変換処理を施して前記所定周波数帯域成分よりも１段階低い（レベルの高い）低周波数帯域成分を得、前記１段階低い低周波数帯域成分を前記所定周波数帯域成分とする前記ノイズ抽出処理、前記ノイズ除去処理および前記ウエーブレット変換処理を所望とする周波数帯域まで繰り返し行うことにより、各周波数帯域成分毎の処理済み周波数帯域成分を得、前記処理済み周波数帯域成分信号に対して逆ウエーブレット変換処理を施すことによりノイズが低減された画像信号を得ることを特徴とする画像処理方法が提案されている。しかしながら、当前記技術をカラー画像に適用するとモトル状のムラが解消された領域でＲＧＢバランスが崩れ偽色斑点を生じ大変見苦しくなる。また１レベルの変換の都度、低周波信号のノイズ抽出とノイズ除去処理を繰り返す必要があり計算負荷が大変大きくなる。また特許文献６が想定している医用画像は被写体の種類が限定され比較的単調な画像が多いのに対し、カラー写真画像では森を背景にした人物ポートレートのように画像の中に細かい構造が密集している部分と平坦な部分、明るい部分と暗い部分など求められる画質の異なる領域が混在している事が特徴である。このようなカラー画像においては大局的な領域構造把握に基づきノイズ除去条件を変化させる必要があるが、特許文献６の技術は解像度ｎレベルのノイズ除去処理条件を当前記の解像度ｎレベルの情報で判断する必要があるので、ノイズ除去条件を決定するアルゴリズムの設計が困難である。
【００２５】
本発明で利用する二項ウエーブレット（Ｄｙａｄｉｃ　Ｗａｖｅｌｅｔ）については、非特許文献５や非特許文献６や非特許文献７に詳細な説明があるが、以下に概要を説明する。
【００２６】
二項ウエーブレットのウエーブレット関数は下記のように定義される。
【００２７】
【数６】
2004127064.tif 000008
【００２８】
直交ウエーブレット・双直交ウエーブレットのウエーブレット関数は前述のようにレベルｉにおける位置の最小移動単位が２ｉで離散的に定義されていたのに対し、二項ウエーブレットはレベルｉにかかわらず位置の最小移動単位が一定である。この相違により、二項ウエーブレット変換には下記の特徴が生じる。
【００２９】
特徴１：下記に示す１レベルの二項ウエーブレット変換で生成する、高周波数帯域成分Ｗｉと低周波数帯域成分Ｓｉの各々の信号量は、変換前の信号Ｓｉ−１と同一である。
【００３０】
【数７】
2004127064.tif 000009
【００３１】
特徴２：スケーリング関数φｉ，ｊ（ｘ）とウエーブレット関数ψｉ，ｊ（ｘ）の間に下記の関係が成立する。
【００３２】
【数８】
2004127064.tif 000010
【００３３】
従って二項ウエーブレット変換で生成する、高周波数帯域成分Ｗｉは、低周波数帯域成分Ｓｉの一次微分（勾配）を表す。
【００３４】
特徴３：ウエーブレット変換のレベルｉに応じて定められた係数γｉ（前出の二項ウエーブレットに関する参考文献参照）を高周波数帯域成分に乗じたＷｉ・γｉ（以下、これを補正済高周波数帯域成分と呼ぶ）について、入力信号の信号変化の特異性（ｓｉｎｇｕｌａｒｉｔｙ）に応じて、前記変換後の補正済高周波数帯域成分Ｗｉ・γｉの信号強度のレベル間の関係が一定の法則に従う。すなわち図６の１や４に示すなだらかな（微分可能な）信号変化に対応する補正済高周波数帯域成分Ｗｉ・γｉはレベル数ｉが増大するほど信号強度が増大するのに対して、図６の２に示すステップ状の信号変化に対応する補正済高周波数帯域成分Ｗｉ・γｉはレベル数ｉに関わらず信号強度が一定となり、図６の３に示すδ関数状の信号変化に対応する補正済高周波数帯域成分Ｗｉ・γｉはレベル数ｉが増大するほど信号強度が減少する。
【００３５】
特徴４：画像信号のような２次元信号における１レベルの二項ウエーブレット変換の方法は、前述の直交ウエーブレット・双直交ウエーブレットの方法と異なり、図７のように行われる。この１レベルのウエーブレット変換により、低周波数帯域成分Ｓｎ−１は２つの高周波数帯域成分Ｗｘｎ，Ｗｙｎと１つの低周波数帯域成分Ｓｎに分解される。２つの高周波数帯域成分は低周波数帯域成分Ｓｎの２次元における変化ベクトルＶｎのｘ成分とｙ成分に相当する。変化ベクトルＶｎの大きさＭｎと偏角Ａｎは下式で与えられる。
【００３６】
【数９】
2004127064.tif 000011
【００３７】
また二項ウエーブレット変換で得られた２つの高周波数帯域成分Ｗｘｎ，Ｗｙｎと１つの低周波数帯域成分Ｓｎに図８に示す二項ウエーブレット逆変換をほどこす事で、変換前のＳｎ−１を再構成できる事が知られている。
【００３８】
特許文献５においては、モノクロ画像に加えられたホワイトノイズ（Ｇａｕｓｓｉａｎ　ｗｈｉｔｅ　ｎｏｉｓｅ）を、二項ウエーブレットを用いて除去する方法について下記の方法が提案されている。
ステップ１：各レベルの高周波帯域成分の極大を探索し、レベル間の極大の位置の対応づけを行う。
ステップ２：対応づけされた極大がレベル数が増すにつれて絶対値が減少する場合に、その極大を除去する。
ステップ３：残った極大の平面上の連結をチェックし、閾値以上の長さの連結があるものを残す。
【００３９】
また、上記の操作に加えて下記の操作を行う事も提唱されている。
ステップ４：第１レベルの高周波帯域成分の信号値はすべて破棄し、下記方法で信号値を合成する。
▲１▼極大の位置は、ステップ１〜３の操作で残った第２レベルの極大の位置と同じにする。
▲２▼上記位置において式（１１）で定義した変化ベクトルの大きさＭｎの第２レベル以上でのレベル間での強度を外挿して、第１レベルの大きさＭ１を決定する。
▲３▼上記位置において式（１２）で定義した変化ベクトルの偏角Ａｎの第２レベルでの値Ａ２を、第１レベルでの偏角Ａ１にコピーする。
▲４▼上記で求めたＭ１とＡ１から第１レベルの高周波帯域成分の信号値を合成する。
【００４０】
しかし、上記に提案された方法は計算量が大変多く手間がかかるうえ、画像信号に加わったノイズがホワイトノイズである事を前提としているため、たとえば銀塩フィルムをスキャンして得た画像や安価なＤＳＣの画像に見られるモトル状の粒状ノイズを持つ画像に上記の方法を適用すると、粒状ノイズの除去が不充分であったり、一部の粒状ノイズが強調される。また、上記方法をカラー画像のＲＧＢ各プレーンに適用すると色ズレ上の細かい粒状ノイズが新たに生じるという問題が発生する。
【００４１】
【特許文献１】
特開平９−２２４６０号公報
【００４２】
【特許文献２】
特開２０００−２１５３０７号公報
【００４３】
【特許文献３】
特開２００１−１４３０６８号公報
【００４４】
【特許文献４】
特開２００１−１５５１４８号公報
【００４５】
【特許文献５】
特開平９−２１２６２３号公報
【００４６】
【特許文献６】
特開２０００−２２４４２１号公報
【００４７】
【非特許文献１】
「ファインイメージングとディジタル写真」２．３章，日本写真学会
出版委員会編，コロナ社
【００４８】
【非特許文献２】
「Ｃ言語で学ぶ実践画像処理」，Ｐ５４，井上誠喜・八木伸行・林
正樹・中須英輔・三谷公二・奥井誠人　共著，オーム社
【００４９】
【非特許文献３】
“Ｗａｖｅｌｅｔ　ａｎｄ　Ｆｉｌｔｅｒ　Ｂａｎｋｓ”　ｂｙ　Ｇ．Ｓｔｒａｎｇ　＆　Ｔ．Ｎｇｕｙｅｎ，Ｗｅｌｌｅｓｌｅｙ−Ｃａｍｂｒｉｄｇｅ　Ｐｒｅｓｓ（邦訳　「ウエーブレット解析とフィルタバンク」，Ｇ．ストラング・Ｔ．グエン共著，培風館）
【００５０】
【非特許文献４】
Ａ　ｗａｖｅｌｅｔ　ｔｏｕｒ　ｏｆ　ｓｉｇｎａｌ　ｐｒｏｃｅｓｓｉｎｇ　２ｅｄ．”　ｂｙ　Ｓ．Ｍａｌｌａｔ，ＡｃａｄｅｍｉｃＰｒｅｓｓ
【００５１】
【非特許文献５】
Ｓｉｎｇｕｌａｒｉｔｙ　ｄｅｔｅｃｔｉｏｎ　ａｎｄ　ｐｒｏｃｅｓｓｉｎｇ　ｗｉｔｈ　ｗａｖｅｌｅｔｓ”　ｂｙ　Ｓ．Ｍａｌｌａｔ　ａｎｄ　Ｗ．Ｌ．Ｈｗａｎｇ，ＩＥＥＥ　Ｔｒａｎｓ．Ｉｎｆｏｒｍ．Ｔｈｅｏｒｙ　３８　６１７　（１９９２）
【００５２】
【非特許文献６】
Ｃｈａｒａｃｔｅｒｉｚａｔｉｏｎ　ｏｆ　ｓｉｇｎａｌｓ　ｆｒｏｍ　ｍｕｌｔｉｓｃａｌｅ　ｅｄｇｅｓ”　ｂｙ　Ｓ．Ｍａｌｌａｔａｎｄ　Ｓ．Ｚｈｏｎｇ，ＩＥＥＥ　Ｔｒａｎｓ．ＰａｔｔｅｒｎＡｎａｌ．　Ｍａｃｈｉｎｅ　Ｉｎｔｅｌ．１４　７１０　（１９９２）
【００５３】
【非特許文献７】
Ａ　ｗａｖｅｌｅｔ　ｔｏｕｒ　ｏｆ　ｓｉｇｎａｌ　ｐｒｏｃｅｓｓｉｎｇ　２ｅｄ．”　ｂｙ　Ｓ．Ｍａｌｌａｔ，ＡｃａｄｅｍｉｃＰｒｅｓｓ
【００５４】
【発明が解決しようとする課題】
本発明は上記事情に基づき、顔の鼻筋周辺や目の周囲の陰影を保ちつつ、色ズレ状のノイズやのっぺりとした化粧顔を生じることもなく、エッジ付近に偽色輪郭が発生したり平坦部に偽色斑点を生じることもなく、カラー画像信号に含まれるモトル状の粒状ノイズを抑制し、併せて画像の鮮鋭性を強調することができる、計算負荷の少ない画像処理方法、画像処理装置、画像処理プログラム及び画像記録装置を提供することを目的とするものである。
【００５５】
【課題を解決するための手段】
本発明の上記目的は、下記の構成により達成される。
【００５６】
本発明において、画像信号を輝度信号と色差信号に変換する操作とは、例えば元画像のＲ・Ｇ・Ｂの３色強度信号を、当業者間で公知のＹＩＱ基底・ＨＳＶ基底・ＹＵＶ基底などに変換するか、あるいはｓＲＧＢやＮＴＳＣなどに規格に基づきＣＩＥ１９３１表色系のＸＹＺ基底・ＣＩＥ１９７６の勧告するＬ＊ａ＊ｂ＊基底・Ｌ＊ｕ＊ｖ＊基底などに変換する操作を意味する。本発明における輝度信号と色差信号の分離は色彩学的に完全に緻密な変換でなくても充分な効果を発揮するので、例えば特開昭６３−２６７８３号公報の実施例に見られるようなＲＧＢの平均値を輝度信号とし、これに直交する２軸を色差信号とするような変換も態様として含まれる。
【００５７】
本発明における二項ウエーブレット変換処理の概念を図９に示す。入力信号Ｓ０に対してＮレベルの二項ウエーブレット変換を行い、得られた高周波数帯域成分・低周波数帯域成分に対して後述する特定条件に基づき信号強度の抑制処理を行った後に、Ｎレベルの二項ウエーブレット逆変換を行い、出力信号を生成する。図９においてＬＰＦは変換用ローパスフィルタ、ＨＰＦは変換用ハイパスフィルタを示し、ＬＰＦ’は逆変換用ローパスフィルタ、ＨＰＦ’は逆変換用ハイパスフィルタを示している。これらのフィルタ係数はウエーブレット関数に応じて適切に定められる（前述の非特許文献５、６、７を参照）。また、ＬＰＦｘ，ＨＰＦｘ，ＬＰＦ’ｘ，ＨＰＦ’ｘ，はｘ方向の処理を示し、ＬＰＦｙ，ＨＰＦｙ，ＬＰＦ’ｙ，ＨＰＦ’ｙはｙ方向の処理を示す。また二項ウエーブレットにおいては、レベル毎にフィルタ係数が異なり、レベルｎのフィルタ係数は、レベル１のフィルタの各係数の間に２ｎ−１−１個のゼロを挿入したものが用いられる（前述の非特許文献５、６、７を参照）。
【００５８】
本発明の第１発明（請求項１、５１、１０１又は請求項１５１に記載の発明）画像処理方法、画像処理装置、画像処理プログラム、画像記録装置は、カラー画像を表す画像信号を輝度信号と色差信号に変換し、少なくとも輝度信号に対し二項ウエーブレット変換を行う（図９において、入力信号Ｓ０を輝度信号として二項ウエーブレット変換）、少なくとも任意の第Ｐレベル（Ｐ≦Ｎ）の高周波帯域成分ＷｘｐおよびＷｙｐの信号強度が特定条件を充たす場合に、その信号強度を抑制し、その後に逆変換し、処理済みの輝度信号と色差信号を再合成し、処理済みの画像信号を得ることにより達成される。本発明者が検討した結果、画像上の粒状ノイズ等が最も多いレベルは入力画像の種類により異なることが判明した。従って本発明における任意のＰレベルは、画像上に現れるノイズが最も多いレベルを選択することが重要であり、入力画像の種類（ＤＳＣの解像度・銀塩フィルムのＩＳＯ感度・スキャナーの解像度等々）により決定することが好ましい。例えばＩＳＯ２００〜４００程度の１３５ｍｍサイズの銀塩フィルムを４０〜７０ｐｉｘｅｌ／ｍｍ程度の解像度でスキャンニングした場合、Ｐ＝２とすることが好ましい。任意のＰレベルを決定する方法としては、例えば銀塩フィルムの場合潜像バーコードからＩＳＯ感度を自動的に読みとって決定してもよく、ＤＳＣの場合はＪＰＥＧ，ＴＩＦＦ，Ｅｘｉｆ等に代表される各種の汎用画像フォーマットに規定されている既存のタグ情報等から、メーカー名、機種名、画像解像度に関わる各種の情報を参照し決定しても良い。またオペレーターによる手動入力であっても良いが、これらの方法に限定するものではない。信号強度の抑制量としては、概ね２／３以下とする事が好ましく、更に好ましくは１／２以下である。また抑制量は一定ではなく、信号強度と特定条件の関係から変動しても良い。本発明の態様によれば、顔の鼻筋周辺や目の周囲の陰影を保ちつつ、色ズレ状のノイズやのっぺりとした化粧顔を生じることもなく、エッジ付近に偽色輪郭が発生したり平坦部に偽色斑点を生じることもなく、カラー画像信号に含まれるモトル状の粒状ノイズを抑制する画像処理が可能となる。
【００５９】
第２の発明（請求項２、５２、１０２又は１５２に記載の発明）による画像処理方法、画像処理装置、画像処理プログラム、画像記録装置は、図９において、入力信号Ｓ０を輝度信号とし、任意のＰレベル（２≦Ｐ≦Ｎ）以下の各レベルの高周波帯域成分Ｗｘｐ、Ｗ（ｘｐ−ｚ）…　およびＷｙｐ、Ｗ（ｙｐ−ｚ）…　が特定条件を充たす場合に、各レベルの信号強度を抑制し、その後に逆変換することにより達成される。任意のＰレベルは第１の発明と同様に入力画像の種類により決定されるが、例えば最もノイズの多いレベルがレベル２とレベル３にまたがった周波数となるような場合にはＰ＝３とし、レベル１には処理を行わず、レベル３と２の輝度高周波帯域成分（Ｗｘ２、Ｗｘ３、Ｗｙ２、Ｗｙ３）に特定条件による抑制処理を行うことが良い。また周波数が異なる複数のノイズがある場合、例えば安価なＤＳＣでショットノイズ等がレベル１に現れ、画像補間によるモトル等がレベル２、３の中間の周波数となってしまった場合にはＰ＝３とし、レベル１，２，３の輝度高周波帯域成分の全てに特定条件による抑制処理を行うことが良い。任意のＰレベルの決定方法およびＰレベル以下のどのレベルに対して処理を行うかは、前述した方法の例えば銀塩フィルムの場合潜像バーコードからＩＳＯ感度を自動的に読みとって決定してもよく、ＤＳＣの場合はＪＰＥＧ，ＴＩＦＦ，Ｅｘｉｆ等に代表される各種の汎用画像フォーマットに規定されている既存のタグ情報等から、メーカー名、機種名、画像解像度に関わる各種の情報を参照し決定しても良い。またオペレーターによる手動入力であっても良いが、これらの方法に限定するものではない。本発明の態様によれば、画像上の抑制したい粒状ノイズ等が異なる複数のレベルに存在した場合でも、目的とする画像処理を可能とする。
【００６０】
第３の発明（請求項３、５３、１０３又は１５３に記載の発明）による画像処理方法、画像処理装置、画像処理プログラム、画像記録装置は、輝度信号に対し第Ｑレベル（Ｑ＞Ｐ）の二項ウエーブレット変換を行い、（第Ｑレベルの輝度高周波帯域成分の信号強度）／（第Ｐレベルの輝度高周波帯域成分の信号強度）がある閾値以下である場合に、第Ｐレベルの輝度高周波帯域成分の信号強度を抑制し、その後第Ｐレベルより二項ウエーブレット逆変換を行う事により達成される。例えばＰ＝２である場合、Ｗｘ２のそれぞれの画素の信号強度と、ＷｘＱ（Ｑ＞２）のＷｘ２と対応する位置の画素の信号強度を比較し、閾値以下の条件を充たす場合には、Ｗｘ２のその画素の信号強度を抑制する。Ｗｙ２に対しても同様である。信号強度の抑制量としては、一定量や一定の比率で抑制しても良いが、閾値よりも小さい方に離れるにつれ抑制量や抑制率を大きくしても良い。
【００６１】
第４の発明（請求項４、５４、１０４又は１５４に記載の発明）による画像処理方法、画像処理装置、画像処理プログラム、画像記録装置は、（第Ｐレベル＋１レベルの補正済輝度高周波帯域成分の信号強度）／（第Ｐレベルの補正済輝度高周波帯域成分の信号強度）≦閾値Ａである場合に、第Ｐレベルの輝度高周波帯域成分の信号強度を抑制し、かつ閾値Ａが１より大きく１．２以下とすることにより達成される。ここで補正済高周波帯域成分とは、前述したようにウエーブレット変換のレベルｉに応じて定められた係数γｉを高周波数帯域成分に乗じたものである。例えばＰ＝２である場合、Ｗｘ２のそれぞれの画素の信号強度＊γ２と、Ｗｘ３のＷｘ２と対応する位置の画素の信号強度＊γ３を比較し、閾値Ａ以下の条件を充たす場合には、Ｗｘ２のその画素の信号強度を抑制する。Ｗｙ２に対しても同様である。本発明者が検討した結果、閾値Ａを１より大きく１．２以下とすることにより、画像上の大部分の粒状ノイズを取り除くことができることが判明した。閾値Ａを１．２より大きくすると、画像にボケ感が発生しはじめ好ましくない。さらに１．０５〜１．１とすることが好ましい。本発明においては第Ｐレベルと第Ｐ＋１レベルの補正済輝度高周波帯域成分を比較しているが、補正済輝度高周波帯域成分を生成することが目的ではない。すなわち補正係数γを閾値Ａに乗じることにより輝度高周波帯域成分で比較することも可能である。本発明の主旨の算術的な比較が成り立てば良い。また本発明において、二項ウエーブレット変換はＰ＋１レベルまで行えばよい。
【００６２】
第５の発明（請求項５、５５、１０５又は１５５に記載の発明）による画像処理方法、画像処理装置、画像処理プログラム、画像記録装置は、（第Ｐレベル＋１レベルの補正済輝度高周波帯域成分の信号強度）／（第Ｐレベルの補正済輝度高周波帯域成分の信号強度）≦閾値Ａである場合に、第Ｐレベルの輝度高周波帯域成分の信号強度を抑制し、かつ閾値Ａが１より大きく１．２以下とし、かつ第Ｐレベル＋１レベルの補正済輝度高周波帯域成分の信号強度）／（第Ｐレベルの補正済輝度高周波帯域成分の信号強度）≦閾値Ｂである場合に、第Ｐレベルの輝度高周波帯域成分の信号強度を実質的に０とし、かつ閾値Ｂが１未満０．８以上とすることにより達成される。本発明者が検討した結果、本発明の態様により、画像上のほとんどの粒状ノイズを取り除くことができることが判明した。閾値Ｂ以下である場合は、完全に画像ノイズであることが判明したため、信号強度を実質的に０としてノイズを完全に除去する。また閾値Ａ以下（かつ閾値Ｂ以上）である場合は、画像ノイズである可能性が高いがノイズでない画像要素である可能性が若干あるので、信号強度を０ではなく抑制することが良い。また閾値Ａと閾値Ｂ間で、閾値Ｂに近い方が画像ノイズである可能性が高くなるので、閾値Ｂに近づくにつれて抑制量を増大させることが好ましい。一般に入力信号に対してある閾値以下で出力信号を抑制する処理はコアリング処理と呼ばれる。コアリング処理の詳細については、特願２００１−３２９２０５に詳細な記述がなされている。本発明においては非線形コアリング処理を施すことが最も好ましい。
【００６３】
第６の発明（請求項６、５６、１０６又は１５６に記載の発明）による画像処理方法、画像処理装置、画像処理プログラム、画像記録装置は、輝度信号に対し第Ｑレベル（Ｑ＞Ｐ）の二項ウエーブレット変換を行い、（第Ｐレベル以下の各レベルの輝度高周波帯域成分の信号強度）／（第Ｐレベル以下の各レベルの輝度高周波帯域成分の信号強度）がある閾値以下である場合に、第Ｐレベル以下の各レベルの輝度高周波帯域成分の信号強度を抑制し、その後第Ｐレベルより二項ウエーブレット逆変換を行う事により達成される。例えばＰ＝３とし、第３レベルと第２レベルに信号処理を施したい場合、Ｗｘ３のそれぞれの画素の信号強度と、ＷｘＱ（Ｑ＞３）のＷｘ３と対応する位置の画素の信号強度を比較し、閾値以下の条件を充たす場合には、Ｗｘ３のその画素の信号強度を抑制し、Ｗｘ２のそれぞれの画素の信号強度と、ＷｘＱ１（Ｑ≧Ｑ１＞２）のＷｘ２と対応する位置の画素の信号強度を比較し、閾値以下の条件を充たす場合には、Ｗｘ２のその画素の信号強度を抑制する。Ｗｙ３，Ｗｙ２に対しても同様である。ここで各レベル毎の閾値はそれぞれ独立に設定されるが、同じ閾値であっても良い。信号強度の抑制量としては、一定量や一定の比率で抑制しても良いが、閾値よりも小さい方に離れるにつれ抑制量や抑制率を大きくしても良い。
【００６４】
第７の発明（請求項７、５７、１０７又は１５７に記載の発明）による画像処理方法、画像処理装置、画像処理プログラム、画像記録装置は、（第Ｐレベル以下の各レベル＋１レベルの補正済輝度高周波帯域成分の信号強度）／（第Ｐレベル以下の各レベルの補正済輝度高周波帯域成分の信号強度）≦閾値Ａである場合に、第Ｐレベル以下の各レベルの輝度高周波帯域成分の信号強度を抑制し、かつ閾値Ａが１より大きく１．２以下とすることにより達成される。ここで補正済高周波帯域成分とは、前述したようにウエーブレット変換のレベルｉに応じて定められた係数γｉを高周波数帯域成分に乗じたものである。例えばＰ＝３とし、第３レベルと第１レベルに信号処理を施したい場合、Ｗｘ３のそれぞれの画素の信号強度＊γ３と、Ｗｘ４のＷｘ３と対応する位置の画素の信号強度＊γ４を比較し、閾値Ａ以下の条件を充たす場合には、Ｗｘ３のその画素の信号強度を抑制する。Ｗｘ１のそれぞれの画素の信号強度＊γ１と、Ｗｘ２のＷｘ１と対応する位置の画素の信号強度＊γ２を比較し、閾値Ａ以下の条件を充たす場合には、Ｗｘ１のその画素の信号強度を抑制する。Ｗｙ１，Ｗｙ３に対しても同様である。本発明者が検討した結果、本発明の態様により、画像上の抑制したい粒状ノイズ等が異なる複数のレベルに存在した場合でも、画像上の大部分の粒状ノイズを取り除くことができることが判明した。閾値Ａを１．２より大きくすると、画像にボケ感が発生しはじめ好ましくない。さらに１．０５〜１．１とすることが好ましい。ここで各レベル毎の閾値は１より大きく１．２以下でそれぞれ独立に設定されるが、同じ閾値であっても良い。本発明においては各レベルの補正済輝度高周波帯域成分を用いて比較を行っているが、補正済輝度高周波帯域成分を生成することが目的ではない。すなわち補正係数γを閾値Ａに乗じることにより輝度高周波帯域成分で比較することも可能である。本発明の主旨の算術的な比較が成り立てば良い。また本発明において、二項ウエーブレット変換はＰ＋１レベルまで行えばよい。
【００６５】
第８の発明（請求項８、５８、１０８又は１５８に記載の発明）による画像処理方法、画像処理装置、画像処理プログラム、画像記録装置は、（第Ｐレベル以下の各レベル＋１レベルの補正済輝度高周波帯域成分の信号強度）／（第Ｐレベル以下の各レベルの補正済輝度高周波帯域成分の信号強度）≦閾値Ａである場合に、第Ｐレベル以下の各レベルの輝度高周波帯域成分の信号強度を抑制し、かつ閾値Ａが１より大きく１．２以下とし、かつ（第Ｐレベル以下の各レベル＋１レベルの補正済輝度高周波帯域成分の信号強度）／（第Ｐレベル以下の各レベルの補正済輝度高周波帯域成分の信号強度）≦閾値Ｂである場合に、第Ｐレベル以下の各レベルの輝度高周波帯域成分の信号強度を実質的に０とし、かつ閾値Ｂが１未満０．８以上とすることにより達成される。本発明者が検討した結果、本発明の態様により、画像上の抑制したい粒状ノイズ等が異なる複数のレベルに存在した場合でも、画像上のほとんどの粒状ノイズを取り除くことができることが判明した。閾値Ｂ以下である場合は、完全に画像ノイズであることが判明したため、信号強度を実質的に０としてノイズを完全に除去する。また閾値Ａ以下（かつ閾値Ｂ以上）である場合は、画像ノイズである可能性が高いがノイズでない画像要素である可能性が若干あるので、信号強度を０ではなく抑制することが良い。また閾値Ａと閾値Ｂ間で、閾値Ｂに近い方が画像ノイズである可能性が高くなるので、閾値Ｂに近づくにつれて抑制量を増大させることが好ましい。ここで各レベル毎の閾値Ａ，Ｂは本発明の範囲内でそれぞれ独立に設定されるが、同じ閾値であっても良い。
【００６６】
第９の発明（請求項９、５９、１０９又は１５９に記載の発明）による画像処理方法、画像処理装置、画像処理プログラム、画像記録装置は、Ｐが２以上であり、輝度信号に対し第Ｐレベルの二項ウエーブレット変換を行い、（第Ｐレベルの輝度高周波帯域成分の信号強度）／（第Ｐレベルより低いレベルの輝度高周波帯域成分の信号強度）がある閾値以下である場合に、第Ｐレベルの輝度高周波帯域成分の信号強度を抑制し、その後第Ｐレベルより二項ウエーブレット逆変換を行う事により達成される。例えばＰ＝３である場合、Ｗｘ３のそれぞれの画素の信号強度と、ＷｘＲ（Ｒ＝１ｏｒ２）のＷｘ３と対応する位置の画素の信号強度を比較し、閾値以下の条件を充たす場合には、Ｗｘ３のその画素の信号強度を抑制する。Ｗｙ３に対しても同様である。本発明と第３の発明との違いは、第Ｐレベルの輝度高周波帯域成分に対して、Ｐより低いレベルと比較するか、Ｐより大きいレベルと比較するかの差である。本発明者が検討した結果、どちらの場合でも画像ノイズを除去する上でほぼ同等の効果があることが判明した。但し上記のＷｘＲでＲ＝１の場合には若干効果が劣るため、Ｐ≧３，Ｒ≧２であることが更に好ましい。信号強度の抑制量としては、一定量や一定の比率で抑制しても良いが、閾値よりも小さい方に離れるにつれ抑制量や抑制率を大きくしても良い。本発明によれば、第Ｐレベルの信号処理を行う際に、第Ｐレベルまで二項ウエーブレット変換を行えば良いので、第Ｑレベル（Ｑ＞Ｐ）まで二項ウエーブレット変換を行う場合よりも処理速度の観点で好ましい。
【００６７】
第１０の発明（請求項１０、６０、１１０又は１６０に記載の発明）による画像処理方法、画像処理装置、画像処理プログラム、画像記録装置は、（第Ｐレベルの補正済輝度高周波帯域成分の信号強度）／（第Ｐ−１レベルの補正済輝度高周波帯域成分の信号強度）≦閾値Ｅである場合に、第Ｐレベルの輝度高周波帯域成分の信号強度を抑制し、かつ閾値Ｅが１より大きく１．２以下とすることにより達成される。ここで補正済高周波帯域成分とは、前述したようにウエーブレット変換のレベルｉに応じて定められた係数γｉを高周波数帯域成分に乗じたものである。例えばＰ＝３である場合、Ｗｘ３のそれぞれの画素の信号強度＊γ３と、Ｗｘ２のＷｘ３と対応する位置の画素の信号強度＊γ２を比較し、閾値Ｅ以下の条件を充たす場合には、Ｗｘ３のその画素の信号強度を抑制する。Ｗｙ３に対しても同様である。本発明者が検討した結果、閾値Ｅを１より大きく１．２以下とすることにより、画像上の大部分の粒状ノイズを取り除くことができることが判明した。閾値Ｅを１．２より大きくすると、画像にボケ感が発生しはじめ好ましくない。さらに１．０５〜１．１とすることが好ましい。本発明においては第Ｐレベルと第Ｐ−１レベルの補正済輝度高周波帯域成分を比較しているが、補正済輝度高周波帯域成分を生成することが目的ではない。すなわち補正係数γを閾値Ａに乗じることにより輝度高周波帯域成分で比較することも可能である。本発明の主旨の算術的な比較が成り立てば良い。本発明と第４の発明との違いは、第Ｐレベルの輝度高周波帯域成分に対して、Ｐ−１レベルと比較するか、Ｐ＋１レベルと比較するかの差である。本発明者が検討した結果、どちらの場合でも画像ノイズを除去する上でほぼ同等の効果があることが判明した。但し第１レベルを比較対照に用いる場合、すなわちＰ＝２の場合には若干効果が劣るため、Ｐ≧３であることが更に好ましい。本発明によれば、第Ｐレベルの信号処理を行う際に、第Ｐレベルまで二項ウエーブレット変換を行えば良いので、第Ｑレベル（Ｑ＞Ｐ）まで二項ウエーブレット変換を行う場合よりも処理速度の観点で好ましい。
【００６８】
第１１の発明（請求項１１、６１、１１１又は１６１に記載の発明）による画像処理方法、画像処理装置、画像処理プログラム、画像記録装置は、（第Ｐレベルの補正済輝度高周波帯域成分の信号強度）／（第Ｐ−１レベルの補正済輝度高周波帯域成分の信号強度）≦閾値Ｅである場合に、第Ｐレベルの輝度高周波帯域成分の信号強度を抑制し、かつ閾値Ｅが１より大きく１．２以下とし、かつ（第Ｐレベルの補正済輝度高周波帯域成分の信号強度）／（第Ｐ−１レベルの補正済輝度高周波帯域成分の信号強度）≦閾値Ｆである場合に、第Ｐレベルの輝度高周波帯域成分の信号強度を実質的に０とし、かつ閾値Ｆが１未満０．８以上とすることにより達成される。本発明者が検討した結果、本発明の態様により、画像上のほとんどの粒状ノイズを取り除くことができることが判明した。閾値Ｆ以下である場合は、完全に画像ノイズであることが判明したため、信号強度を実質的に０としてノイズを完全に除去する。また閾値Ｅ以下（かつ閾値Ｆ以上）である場合は、画像ノイズである可能性が高いがノイズでない画像要素である可能性が若干あるので、信号強度を０ではなく抑制することが良い。また閾値Ｅと閾値Ｆ間で、閾値Ｆに近い方が画像ノイズである可能性が高くなるので、閾値Ｆに近づくにつれて抑制量を増大させることが好ましい。本発明と第５の発明との違いは、第Ｐレベルの輝度高周波帯域成分に対して、Ｐ−１レベルと比較するか、Ｐ＋１レベルと比較するかの差である。本発明者が検討した結果、どちらの場合でも画像ノイズを除去する上でほぼ同等の効果があることが判明した。但し第１レベルを比較対照に用いる場合、すなわちＰ＝２の場合には若干効果が劣るため、Ｐ≧３であることが更に好ましい。本発明によれば、第Ｐレベルの信号処理を行う際に、第Ｐレベルまで二項ウエーブレット変換を行えば良いので、第Ｑレベル（Ｑ＞Ｐ）まで二項ウエーブレット変換を行う場合よりも処理速度の観点で好ましい。
【００６９】
第１２の発明（請求項１２、６２、１１２又は１６２に記載の発明）による画像処理方法、画像処理装置、画像処理プログラム、画像記録装置は、輝度信号に対し第Ｐレベルの二項ウエーブレット変換を行い、少なくとも第Ｐレベルの輝度高周波帯域成分に対しては、（第Ｐレベルの輝度高周波帯域成分の信号強度）／（第Ｐレベルより低いレベルの輝度高周波帯域成分の信号強度）がある閾値以下である場合に、第Ｐレベルの輝度高周波帯域成分の信号強度を抑制し、その後第Ｐレベルより二項ウエーブレット逆変換を行う事により達成される。例えばＰ＝３とし、第３レベルと第２レベルに信号処理を施したい場合、Ｗｘ３のそれぞれの画素の信号強度と、ＷｘＲ（Ｒ＝１ｏｒ２）のＷｘ３と対応する位置の画素の信号強度を比較し、閾値以下の条件を充たす場合には、Ｗｘ３のその画素の信号強度を抑制する。Ｗｙ３に対しても同様である。Ｗｘ２とＷｙ２に対しては、Ｗｘ１とＷｙ１と比較し閾値以下の条件を充たす場合にはＷｘ２，Ｗｙ２の信号強度を抑制してもよく、またＷｘ３，Ｗｙ３と比較し閾値以下の条件を充たす場合にＷｘ２，Ｗｙ２の信号強度を抑制する方法を用いても良い。また両者を併用しても良い。（但し、第１レベルに信号処理を施したい場合には、第１レベルより低いレベルは存在しないので、第１レベルより大きいレベルとの比較に限定される。）本発明と第６の発明との違いは、第Ｐレベルの輝度高周波帯域成分に対して、Ｐ−１レベルと比較するか、Ｐ＋１レベルと比較するかの差である。Ｐ未満のレベルについては特に限定しない。本発明者が検討した結果、どちらの場合でも画像ノイズを除去する上でほぼ同等の効果があることが判明した。信号強度の抑制量としては、一定量や一定の比率で抑制しても良いが、閾値よりも小さい方に離れるにつれ抑制量や抑制率を大きくしても良い。本発明によれば、第Ｐレベル以下のレベルに対し信号処理を行う際に、第Ｐレベルまで二項ウエーブレット変換を行えば良いので、第Ｑレベル（Ｑ＞Ｐ）まで二項ウエーブレット変換を行う場合よりも処理速度の観点で好ましい。
【００７０】
第１３の発明（請求項１３、６３、１１３又は１６３に記載の発明）による画像処理方法、画像処理装置、画像処理プログラム、画像記録装置は、少なくとも第Ｐレベルの輝度高周波帯域成分に対し、（第Ｐレベルの補正済輝度高周波帯域成分の信号強度）／（第Ｐ−１レベルの補正済輝度高周波帯域成分の信号強度）≦閾値Ｅである場合に、第Ｐレベルの輝度高周波帯域成分の信号強度を抑制し、かつ閾値Ｅが１より大きく１．２以下とすることにより達成される。ここで補正済高周波帯域成分とは、前述したようにウエーブレット変換のレベルｉに応じて定められた係数γｉを高周波数帯域成分に乗じたものである。例えばＰ＝３とし、第３レベルと第２レベルに信号処理を施したい場合、Ｗｘ３のそれぞれの画素の信号強度＊γ３と、Ｗｘ２のＷｘ３と対応する位置の画素の信号強度＊γ２を比較し、閾値Ｅ以下の条件を充たす場合には、Ｗｘ３のその画素の信号強度を抑制する。Ｗｙ３についても同様である。Ｗｘ２とＷｙ２に対しては、Ｗｘ１とＷｙ１と比較し閾値以下の条件を充たす場合にはＷｘ２，Ｗｙ２の信号強度を抑制してもよく、またＷｘ３，Ｗｙ３と比較し閾値以下の条件を充たす場合にＷｘ２，Ｗｙ２の信号強度を抑制する方法を用いても良い。また両者を併用しても良い。本発明と第７の発明との違いは、第Ｐレベルの輝度高周波帯域成分に対して、Ｐ−１レベルと比較するか、Ｐ＋１レベルと比較するかの差である。Ｐ未満のレベルについては特に限定しない。本発明者が検討した結果、どちらの場合でも画像ノイズを除去する上でほぼ同等の効果があることが判明した。本発明によれば、第Ｐレベル以下のレベルに対し信号処理を行う際に、第Ｐレベルまで二項ウエーブレット変換を行えば良いので、第Ｑレベル（Ｑ＞Ｐ）まで二項ウエーブレット変換を行う場合よりも処理速度の観点で好ましい。本発明者が検討した結果、本発明の態様により、画像上の抑制したい粒状ノイズ等が異なる複数のレベルに存在した場合でも、画像上の大部分の粒状ノイズを取り除くことができることが判明した。閾値Ｅを１．２より大きくすると、画像にボケ感が発生しはじめ好ましくない。さらに１．０５〜１．１とすることが好ましい。本発明においては各レベルの補正済輝度高周波帯域成分を用いて比較を行っているが、補正済輝度高周波帯域成分を生成することが目的ではない。すなわち補正係数γを閾値Ｅに乗じることにより輝度高周波帯域成分で比較することも可能である。本発明の主旨の算術的な比較が成り立てば良い。
【００７１】
第１４の発明（請求項１４、６４、１１４又は１６４に記載の発明）による画像処理方法、画像処理装置、画像処理プログラム、画像記録装置は、少なくとも第Ｐレベルの輝度高周波帯域成分に対し、（第Ｐレベルの補正済輝度高周波帯域成分の信号強度）／（第Ｐ−１の補正済輝度高周波帯域成分の信号強度）≦閾値Ｅである場合に、第Ｐレベルの輝度高周波帯域成分の信号強度を抑制し、かつ閾値Ｅが１より大きく１．２以下とし、かつ（第Ｐレベルの補正済輝度高周波帯域成分の信号強度）／（第Ｐ−１レベルの補正済輝度高周波帯域成分の信号強度）≦閾値Ｆである場合に、第Ｐレベルの輝度高周波帯域成分の信号強度を実質的に０とし、かつ閾値Ｆが１未満０．８以上とすることにより達成される。本発明と第８の発明との違いは、第Ｐレベルの輝度高周波帯域成分に対して、Ｐ−１レベルと比較するか、Ｐ＋１レベルと比較するかの差である。Ｐ未満のレベルについては特に限定しない。本発明者が検討した結果、どちらの場合でも画像ノイズを除去する上でほぼ同等の効果があることが判明した。本発明によれば、第Ｐレベル以下のレベルに対し信号処理を行う際に、第Ｐレベルまで二項ウエーブレット変換を行えば良いので、第Ｑレベル（Ｑ＞Ｐ）まで二項ウエーブレット変換を行う場合よりも処理速度の観点で好ましい。本発明者が検討した結果、本発明の態様により、画像上の抑制したい粒状ノイズ等が異なる複数のレベルに存在した場合でも、画像上のほとんどの粒状ノイズを取り除くことができることが判明した。閾値Ｆ以下である場合は、完全に画像ノイズであることが判明したため、信号強度を実質的に０としてノイズを完全に除去する。また閾値Ｅ以下（かつ閾値Ｆ以上）である場合は、画像ノイズである可能性が高いがノイズでない画像要素である可能性が若干あるので、信号強度を０ではなく抑制することが良い。また閾値Ｅと閾値Ｆ間で、閾値Ｆに近い方が画像ノイズである可能性が高くなるので、閾値Ｆに近づくにつれて抑制量を増大させることが好ましい。
【００７２】
第１５の発明（請求項１５、６５、１１５又は１６５に記載の発明）による画像処理方法、画像処理装置、画像処理プログラム、画像記録装置は、第１の発明における特定条件が、第Ｐレベルの輝度高周波帯域成分の信号強度の標準偏差から決定される閾値Ｃに対して、第Ｐレベルの輝度高周波帯域成分の信号強度の絶対値が閾値Ｃ以下を充たす場合に信号強度を抑制する事により達成される。例えばＰ＝２である場合、Ｗｘ２の全ての画素から信号強度の標準偏差を計算し、その標準偏差の値から閾値Ｃを決定する。Ｗｘ２のそれぞれの画素の信号強度と閾値Ｃを比較し、閾値以下の条件を充たす場合には、Ｗｘ２のその画素の信号強度を抑制する。Ｗｙ２に対しても同様である。本発明者が検討した結果、実際のカラー画像においては閾値Ｃは、標準偏差＊０．９〜＊１．３程度とすることが良く、更に＊１．０〜＊１．２とすることが好ましい。＊１．３以上とすると画像にボケ感が発生しはじめ好ましくない。信号強度の抑制量としては、一定量や一定の比率で抑制しても良いが、閾値よりも小さい方に離れるにつれ抑制量や抑制率を大きくしても良い。本発明の態様により、第４の発明および第１０の発明とほぼ同様の効果が得られることが判明した。本発明においては、標準偏差を用いて閾値Ｃを決定しているが、例えば信号強度の平均値、メジアン、モード等を用いて閾値を決定しても良い。但しいろいろな画像シーンに対して検討した結果、本発明の目的に対しては、標準偏差を用いることが最も良かった。
【００７３】
第１６の発明（請求項１６、６６、１１６又は１６６に記載の発明）による画像処理方法、画像処理装置、画像処理プログラム、画像記録装置は、第１の発明における特定条件が、第Ｐレベルの輝度高周波帯域成分の信号強度の標準偏差から決定される閾値Ｇに対して、第Ｐレベルの輝度高周波帯域成分の信号強度の絶対値が閾値Ｇ以下を充たす場合に信号強度を実質的に０とする事により達成される。本発明者がいろいろなカラー画像シーンについて検討した結果、閾値Ｇは標準偏差＊０．７〜＊１．１程度とすることが良く、更に＊０．８〜＊１．０とすることが好ましい。本発明の態様により、第４の発明および第１０の発明とほぼ同様の効果が得られることが判明した。本発明においては、標準偏差を用いて閾値Ｃを決定しているが、例えば信号強度の平均値、メジアン、モード等を用いて閾値を決定しても良い。但しいろいろな画像シーンに対して検討した結果、本発明の目的に対しては、標準偏差を用いることが最も良かった。
【００７４】
第１７の発明（請求項１７、６７、１１７又は１６７に記載の発明）による画像処理方法、画像処理装置、画像処理プログラム、画像記録装置は、第１の発明における特定条件が、第Ｐレベルの輝度高周波帯域成分の信号強度の標準偏差から決定される２つの閾値、閾値Ｃ、閾値Ｄであり、閾値Ｃ＜閾値Ｄの関係であり、第Ｐレベルの輝度高周波帯域成分の信号強度の絶対値が閾値Ｄ以下（閾値Ｃよりは大きい）を充たす場合に信号強度を抑制し、閾値Ｃ以下の条件を充たす場合には実質的に０とする事により達成される。本発明者がいろいろなカラー画像シーンについて検討した結果、閾値Ｃは標準偏差＊０．５〜＊０．８程度とすることが良く、閾値Ｄは標準偏差＊１．１〜＊１．４程度とすることが好ましい。閾値Ｃ以下である場合は、完全に画像ノイズであることが判明したため、信号強度を実質的に０としてノイズを完全に除去する。また閾値Ｄ以下（かつ閾値Ｃ以上）である場合は、画像ノイズである可能性が高いがノイズでない画像要素である可能性が若干あるので、信号強度を０ではなく抑制することが良い。また閾値Ｃと閾値Ｄ間で、閾値Ｃに近い方が画像ノイズである可能性が高くなるので、閾値Ｂに近づくにつれて抑制量を増大させることが好ましい。本発明の態様により、第５の発明および第１１の発明とほぼ同様の効果が得られることが判明した。本発明においては、標準偏差を用いて閾値Ｃを決定しているが、例えば信号強度の平均値、メジアン、モード等を用いて閾値を決定しても良い。但しいろいろな画像シーンに対して検討した結果、本発明の目的に対しては、標準偏差を用いることが最も良かった。
【００７５】
第１８の発明（請求項１８、６８、１１８又は１６８に記載の発明）による画像処理方法、画像処理装置、画像処理プログラム、画像記録装置は、第２の発明における特定条件が、第Ｐレベル以下の各レベル毎の輝度高周波帯域成分の信号強度の標準偏差から決定される閾値Ｃに対して、第Ｐレベル以下の各レベル毎の輝度高周波帯域成分の信号強度の絶対値が閾値Ｃ以下を充たす場合に信号強度を抑制する事により達成される。例えばＰ＝３とし、第３レベルと第２レベルに信号処理を施したい場合、Ｗｘ３の全ての画素から信号強度の標準偏差を計算し、その標準偏差の値から閾値Ｃを決定する。Ｗｘ３のそれぞれの画素の信号強度と閾値Ｃを比較し、閾値以下の条件を充たす場合には、Ｗｘ３のその画素の信号強度を抑制する。Ｗｙ３，Ｗｘ２，Ｗｙ２に対しても同様である。本発明者が検討した結果、実際のカラー画像においては閾値Ｃは、標準偏差＊０．９〜＊１．３程度とすることが良く、更に＊１．０〜＊１．２とすることが好ましい。＊１．３以上とすると画像にボケ感が発生しはじめ好ましくない。ここで各レベル毎の閾値はそれぞれ独立に設定されるが、同じ閾値であっても良い。信号強度の抑制量としては、一定量や一定の比率で抑制しても良いが、閾値よりも小さい方に離れるにつれ抑制量や抑制率を大きくしても良い。本発明の態様により、第７の発明および第１３の発明とほぼ同様の効果が得られることが判明した。本発明においては、標準偏差を用いて閾値Ｃを決定しているが、例えば信号強度の平均値、メジアン、モード等を用いて閾値を決定しても良い。但しいろいろな画像シーンに対して検討した結果、本発明の目的に対しては、標準偏差を用いることが最も良かった。
【００７６】
第１９の発明（請求項１９、６９、１１９又は１６９に記載の発明）による画像処理方法、画像処理装置、画像処理プログラム、画像記録装置は、第２の発明における特定条件が、第Ｐレベル以下の各レベル毎の輝度高周波帯域成分の信号強度の標準偏差から決定される閾値Ｇに対して、第Ｐレベル以下の各レベル毎の輝度高周波帯域成分の信号強度の絶対値が閾値Ｇ以下を充たす場合に信号強度を実質的に０とする事により達成される。本発明者がいろいろなカラー画像シーンについて検討した結果、閾値Ｇは標準偏差＊０．７〜＊１．１程度とすることが良く、更に＊０．８〜＊１．０とすることが好ましい。ここで各レベル毎の閾値はそれぞれ独立に設定されるが、同じ閾値であっても良い。本発明の態様により、第７の発明および第１３の発明とほぼ同様の効果が得られることが判明した。本発明においては、標準偏差を用いて閾値Ｃを決定しているが、例えば信号強度の平均値、メジアン、モード等を用いて閾値を決定しても良い。但しいろいろな画像シーンに対して検討した結果、本発明の目的に対しては、標準偏差を用いることが最も良かった。
【００７７】
第２０の発明（請求項２０、７０、１２０又は１７０に記載の発明）による画像処理方法、画像処理装置、画像処理プログラム、画像記録装置は、第１の発明における特定条件が、第Ｐレベル以下の各レベル毎の輝度高周波帯域成分の信号強度の標準偏差から決定される２つの閾値、閾値Ｃ、閾値Ｄであり、閾値Ｃ＜閾値Ｄの関係であり、第Ｐレベル以下の各レベル毎の輝度高周波帯域成分の信号強度の絶対値が閾値Ｄ以下（閾値Ｃよりは大きい）を充たす場合に信号強度を抑制し、閾値Ｃ以下の条件を充たす場合には実質的に０とする事により達成される。本発明者がいろいろなカラー画像シーンについて検討した結果、閾値Ｃは標準偏差＊０．５〜＊０．８程度とすることが良く、閾値Ｄは標準偏差＊１．１〜＊１．４程度とすることが好ましい。閾値Ｃ以下である場合は、完全に画像ノイズであることが判明したため、信号強度を実質的に０としてノイズを完全に除去する。また閾値Ｄ以下（かつ閾値Ｃ以上）である場合は、画像ノイズである可能性が高いがノイズでない画像要素である可能性が若干あるので、信号強度を０ではなく抑制することが良い。また閾値Ｃと閾値Ｄ間で、閾値Ｃに近い方が画像ノイズである可能性が高くなるので、閾値Ｂに近づくにつれて抑制量を増大させることが好ましい。ここで各レベル毎の閾値はそれぞれ独立に設定されるが、同じ閾値であっても良い。本発明の態様により、第８の発明および第１４の発明とほぼ同様の効果が得られることが判明した。本発明においては、標準偏差を用いて閾値Ｃを決定しているが、例えば信号強度の平均値、メジアン、モード等を用いて閾値を決定しても良い。但しいろいろな画像シーンに対して検討した結果、本発明の目的に対しては、標準偏差を用いることが最も良かった。
【００７８】
第２１の発明（請求項２１、７１、１２１又は１７１に記載の発明）による画像処理方法、画像処理装置、画像処理プログラム、画像記録装置は、第１〜２０の発明において輝度高周波帯域成分の抑制処理を行った後に、鮮鋭性強調処理を行うことにより達成される。ここで鮮鋭性強調処理とは、下記に限定するものではないが、例えば二項ウエーブレット逆変換後で再構成された輝度信号に対して、公知のラプラシアンフィルター・ソーベルフィルター・ヒュッケルフィルター等のハイパスフィルターを適用して輪郭成分を抽出して加算する方法やアンシャープマスクを用いる鮮鋭性強調技法が適用できる。こうした公知の鮮鋭性強調技法は、例えば「Ｃ言語で学ぶ実践画像処理（オーム社，井上誠喜・八木伸行・林正樹・中須英輔・三谷公二・奥井誠人　共著）」などに詳細な解説がなされている。本発明における鮮鋭性強調処理の好ましい方法としては、輝度高周波帯域成分の信号強度を増加させ、その後二項ウエーブレット逆変換により輝度信号を再構成する方法が好ましい。本発明者が検討した結果、増加量としては信号強度＊１．２〜＊１．７程度が好ましい。また抑制処理を行ったレベルの輝度高周波帯域成分の信号強度を増加させることが良い。抑制処理を行っていないレベルの輝度高周波帯域成分の信号強度を増加させても良いが、増加量は＊１．１〜＊１．３程度にする事が好ましい。
【００７９】
第２２の発明（請求項２２、７２、１２２又は１７２に記載の発明）による画像処理方法、画像処理装置、画像処理プログラム、画像記録装置は、第２１の発明において、抑制処理を行ったレベルの、抑制処理がなされていない輝度高周波帯域成分の信号強度を強調（増加）させることにより、鮮鋭性強調処理を行うことにより達成される。本発明者が検討した結果、増加量としては信号強度＊１．２〜＊１．７程度が好ましい。本発明の態様により、粒状ノイズを悪化させることなく鮮鋭性強調を行うことができる。
【００８０】
第２３の発明（請求項２３、７３、１２３又は１７３に記載の発明）による画像処理方法、画像処理装置、画像処理プログラム、画像記録装置は、第１〜２２の発明において、色差信号の高周波成分を抑制することにより達成される。原画像に大きな色づれがあると、輝度高周波帯域成分の抑制だけでは充分に色づれを取りきれない場合がある。本発明者が検討した結果、そのような大きな色づれがある場合には、色差信号の高周波帯域成分を抑制することにより色づれをなくす事ができることが判明した。色差信号の高周波帯域成分を抽出する方法としては、前述した公知のハイパスフィルター・直交、双直交ウエーブレット等の方法が適用できるが、本発明における好ましい方法としては、色差信号に対しても二項ウエーブレット変換を行い、色差高周波帯域成分を生成した後、抑制を行う方法が最も好ましい。
【００８１】
第２４の発明（請求項２４、７４、１２４又は１７４に記載の発明）による画像処理方法、画像処理装置、画像処理プログラム、画像記録装置は、第１〜２３の発明において、色差信号の低周波帯域成分の特性により、輝度高周波帯域成分の信号強度を抑制する特定条件を変化させることにより達成される。一般に人間の顔・肌や青空などの特定の被写体においては粒状ノイズが特に目立ちやすいため、できるだけ輝度高周波帯域成分の抑制を大きくしたい。本発明の態様である、色差の低周波帯域成分の色彩が人間の肌色や空色などの特定領域の特性をしめす場合には、対応する位置の画素の輝度高周波帯域成分を抑制する特定条件をより多くの粒状ノイズが除去できるように変化させることにより、この問題を解決できる。色差の低周波帯域成分を得る方法としては、公知の方法を用いることができるが、本発明においては二項ウエーブレット変換により得る方法が好ましい。
【００８２】
第２５の発明（請求項２５、７５、１２５又は１７５に記載の発明）による画像処理方法、画像処理装置、画像処理プログラム、画像記録装置は、カラー画像を表す画像信号を輝度信号と色差信号に変換し、少なくとも輝度信号に対し二項ウエーブレット変換を行う（図９において、入力信号Ｓ０を輝度信号として二項ウエーブレット変換）、少なくとも任意の第Ｐレベル（Ｐ≦Ｎ）の高周波帯域成分ＷｘｐおよびＷｙｐの信号強度が特定条件を充たす場合に、その信号強度を抑制し、その後に逆変換し、処理済みの輝度信号と色差信号を再合成し、処理済みの画像信号を得る、かつ特定条件を輝度低周波帯域成分の信号強度の違いにより変化させることにより達成される。一般的な画像において、粒状ノイズは画像の暗い部分（輝度が低い部分）が目立ちやすいので、暗い部分の輝度高周波帯域成分をできるだけ多く抑制したい。本発明の態様である、輝度低周波帯域成分の信号強度の違いにより、対応する位置の画素の高周波帯域成分を抑制する特定条件をより多くの粒状ノイズを除去できるように変化させることによりこの問題を解決でき、本発明の目的である、顔の鼻筋周辺や目の周囲の陰影を保ちつつ、色ズレ状のノイズやのっぺりとした化粧顔を生じることもなく、エッジ付近に偽色輪郭が発生したり平坦部に偽色斑点を生じることもなく、カラー画像信号に含まれるモトル状の粒状ノイズを抑制する画像処理を更に向上させることが可能となる。任意のＰレベルは、画像上に現れるノイズが最も多いレベルを選択することが重要であり、入力画像の種類（ＤＳＣの解像度・銀塩フィルムのＩＳＯ感度・スキャナーの解像度等々）により決定することが好ましい。概ねＩＳＯ２００〜４００程度の１３５ｍｍサイズの銀塩フィルムを４０〜７０ｐｉｘｅｌ／ｍｍ程度の解像度でスキャンニングした場合、Ｐ＝２とすることが好ましい。任意のＰレベルを決定する方法としては、例えば銀塩フィルムの場合潜像バーコードからＩＳＯ感度を自動的に読みとって決定してもよく、ＤＳＣの場合はＪＰＥＧ，ＴＩＦＦ，Ｅｘｉｆ等に代表される各種の汎用画像フォーマットに規定されている既存のタグ情報等から、メーカー名、機種名、画像解像度に関わる各種の情報を参照し決定しても良い。またオペレーターによる手動入力であっても良いが、これらの方法に限定するものではない。本発明に用いる輝度低周波帯域成分は、本発明における輝度信号を二項ウエーブレット変換して得られる低周波帯域成分（図９におけるＳ１〜Ｓｎ）を使用することができる。使用するレベルは特に限定するものではなく、第Ｐレベルの高周波帯域成分に対し、どのレベルの低周波帯域成分を用いてもほぼ同様の効果をしめすが、最も好ましくは同一レベルを使用することが良い。
【００８３】
第２６〜４８の発明（請求項２６〜４８、７６〜９８、１２６〜１４８、１７６〜１９８に記載の発明）による画像処理方法、画像処理装置、画像処理プログラム、画像記録装置は、輝度低周波帯域成分の信号強度に違いで特定条件を変化させることにより、第２〜２４の発明（請求項２〜２４、５２〜７４、１０２〜１２４又は１５２〜１７４に記載の発明）を更に好ましい効果とすることが可能となる。
【００８４】
第１〜第４８の発明（請求項１〜４８、５１〜９８、１０１〜１４８、１５１〜１９８に記載の発明）において、所定レベルまで二項ウエーブレット変換を行う工程と、特定レベルの輝度高周波帯域成分に信号処理を施す工程の順序については、特に限定するものではないが、必要レベルまでの二項ウエーブレット変換を行った後に、特定レベルの輝度高周波帯域成分に信号処理を施すことが好ましい。
【００８５】
第４９の発明（請求項４９、９９、１４９又は１９９に記載の発明）による画像処理方法、画像処理装置、画像処理プログラム、画像記録装置は、第１〜４８の発明において、元画像を表す画像信号が銀塩フィルムをスキャニングして得られたものであることを特徴とする。銀塩フィルムとはカラーネガフィルムやカラーリバーサルフィルムを意味する。カラーネガフィルムあるいはカラーリバーサルフィルムの色素画像は、公知のフィルムスキャニング装置によりラインＣＣＤセンサーまたはエリアＣＣＤセンサー等の受光素子で光電的に透過光量信号に変換される。得られた透過光量信号はアンプで増幅されＡ／Ｄ変換装置でデジタル信号に変換される。次いで、暗時固定パターンノイズ補正・シェーディング補正といった受光素子固有のノイズを除去する補正がなされ、さらに、受光センサ・色分解フィルタ・光源ランプ・レンズその他の光学部品の特性バラツキに起因する装置の個体差を補正するキャリブレーション処理が行なわれる。次いで、補正済の透過光量信号は対数変換等で濃度信号に変換される。この濃度信号は処理条件判定条件部に送られ、画像処理を行なうための処理条件が算出され、この処理条件に基づき前記濃度信号は色バランス補正・階調補正・ネガポジ反転済の画像信号に変換される。ここで作成された色バランス補正・階調補正・ネガポジ反転済の画像信号を、本発明の元画像を表す画像信号として使用することが好ましい。また銀塩フィルムから元画像を表す画像信号を得る工程と本発明による画像処理の工程は両方の機能を有した同じ装置内で実施しても良いし、前者の工程と後者の工程を別の装置で実施してもよい。両者を別の装置で実施する場合、元画像を表す画像信号は通信回線あるいはＣＤ−ＲＯＭ等の媒体を通じて本発明を実施する装置に送られる。この場合の転送データの態様は公知の画像ファイル形式に従えば良いが、圧縮なし或いは可逆圧縮形式でありその量子化ビット数が本発明を実施する装置が出力すべき画像ファイルの量子化ビット数より多いことが好ましい。
【００８６】
第５０の発明（請求項５０、１００、１５０又は２００に記載の発明）による画像処理方法、画像処理装置、画像処理プログラム、画像記録装置は、第１〜４９の発明において処理済みの画像信号に対して微弱なノイズを付加することを特徴とする。画像鑑賞者の好みとして、絹目写真調の画像が好まれる場合があり、この対応として画像信号に微弱なノイズを付加する方法が用いられる場合がある。本発明においては、処理済みの画像信号に対し微弱なノイズを付加することで、粒状ノイズ等を悪化させることなく、絹目写真調の画像を得ることを可能とする。
【００８７】
【発明の実施の形態】
以下に図面を参照して、本発明の画像処理方法、画像処理装置、画像処理プログラム及び画像記録装置の具体的な実施形態について説明する。
【００８８】
図１０は本発明の画像記録装置の一態様である。ここでは画像記録装置１として、感光材料に露光して現像し、プリントを作成するものが例示されているが、これに限らず、画像情報に基づいてプリントを作成できるものであればよく、例えば、インクジェット方式、電子写真方式、感熱方式、昇華方式のプリント作成装置であってもよい。
【００８９】
この実施の形態の画像記録装置１は、本体２の左側面にマガジン装填部３を備え、本体２内には記録媒体である感光材料に露光する露光処理部４と、露光された感光材料を現像処理して乾燥し、プリントを作成するプリント作成部５が備えられ、作成されたプリントは本体２の右側面に設けられたトレー６に排出される。さらに、本体２の内部には、露光処理部４の上方位置に制御部７が備えられている。
【００９０】
また、本体２の上部には、ＣＲＴ８が配置されている。このＣＲＴ８がプリントを作成しようとする画像情報の画像を画面に表示する表示手段を構成している。ＣＲＴ８の左側に透過原稿読み込み装置であるところのフィルムスキャナ部９が配置され、右側に反射原稿入力装置１０が配置されている。
【００９１】
フィルムスキャナ部９や反射原稿入力装置１０から読み込まれる原稿として写真感光材料があり、この写真感光材料としては、カラーネガフィルム、カラーリバーサルフィルムが挙げられ、アナログカメラにより撮像した駒画像情報が記録される。フィルムスキャナ部９のフィルムスキャナーでデジタル情報に変換し、駒画像情報とすることができる。また、写真感光材料がカラーペーパーの場合、反射原稿入力装置１０のフラットベットスキャナーで駒画像情報にすることができる。
【００９２】
また、本体２の制御部７の位置には、画像読込部１４が設けられている。画像読込部１４にはＰＣカード用アダプタ１４ａ、フロッピー（Ｒ）ディスク用アダプタ１４ｂが備えられ、ＰＣカード１３ａやフロッピー（Ｒ）ディスク１３ｂが差し込み可能になっている。ＰＣカード１３ａには、デジタルカメラで撮像して複数の駒画像情報が記憶されたメモリを有する。フロッピー（Ｒ）ディスク１３ｂには、例えばデジタルカメラで撮像して複数の駒画像情報が記憶される。
【００９３】
ＣＲＴ８の前側に操作部１１が配置され、この操作部１１に情報入力手段１２が設けられ、情報入力手段１２は、例えばタッチパネル等で構成される。
【００９４】
前記以外のこの発明に係る駒画像情報を有する記録媒体としては、マルチメディアカード、メモリーステック、ＭＤデータ、ＣＤ−ＲＯＭ等が挙げられる。
【００９５】
なお、操作部１１、ＣＲＴ８、フィルムスキャナ部９、反射原稿入力装置１０、画像読込部１４は、本体２に一体的に設けられて装置の構造となっているが、いずれか１つ以上を別体として設けてもよい。
【００９６】
さらに、本体２の制御部７の位置には、画像書込部１５が設けられている。画像書込部１５にはＦＤ用アダプタ１５ａ、ＭＯ用アダプタ１５ｂ、光ディスク用アダプタ１５ｃが備えられ、ＦＤ１６ａ、ＭＯ１６ｂ、光ディスク１６ｃが差し込み可能になっており、画像情報を画像記録メディアに書き込むことができるようになっている。
【００９７】
更に制御部７には図示されない通信手段が設けられており、施設内の別のコンピュータやインターネット等を介した遠方のコンピュータから直接、撮像画像を表す画像信号とプリント命令を受信し、所謂ネットワークプリンタ装置として機能することが可能になっている。
【００９８】
図１１は画像記録装置の概略構成図である。画像記録装置１の制御部７は、情報入力手段１２からの指令情報に基づき、フィルムスキャナ部９や反射原稿入力装置１０からの原稿情報の読み込みを行い、画像情報を得てＣＲＴ８に表示する。
【００９９】
また、画像記録装置１はデータ蓄積手段７１を有する。データ蓄積手段７１に画像情報とそれに対応する注文情報（どの駒の画像から何枚プリントを作成するかの情報、プリントサイズの情報等）とを記憶し順次蓄積する。フィルムスキャナ部９からは、アナログカメラにより撮像されたネガフィルムを現像して得られる現像済のネガフィルムＮからの駒画像データが入力され、反射原稿入力装置１０からは駒画像を印画紙に焼き付けて現像処理したプリントＰからの駒画像データが入力される。
【０１００】
また、制御部７は、画像処理部７０を有し、この画像処理部７０で画像信号を本発明の画像処理をほどこして露光用画像情報を形成し、露光処理部４に送る。露光処理部４では、感光材料に画像の露光が行われ、この感光材料をプリント作成部５に送り、プリント作成部５で露光された感光材料を現像処理して乾燥し、プリントＰ１、Ｐ２、Ｐ３を作成する。プリントＰ１はサービスサイズ、ハイビジョンサイズ、パノラマサイズ等であり、プリントＰ２はＡ４サイズ、プリントＰ３は名刺サイズのプリントである。
【０１０１】
この画像記録装置１には、デジタルカメラにより撮像して記憶されたＰＣカード１３ａやフロッピー（Ｒ）ディスク１３ｂの駒画像情報を読み出して転送する画像読込部１４が備えられている。この画像読込部１４には、画像転送手段３０としてＰＣカード用アダプタ、フロッピー（Ｒ）ディスク用アダプタ等が設けられている。ＰＣカード用アダプタ１４ａにＰＣカード１３ａを差し込み、またはフロッピー（Ｒ）ディスク用アダプタ１４ｂにフロッピー（Ｒ）ディスク１３ｂを差し込み、ＰＣカード１３ａやフロッピー（Ｒ）ディスク１３ｂに記録された駒画像情報を読み取りマイクロコンピュータで構成される制御部７へ転送する。ＰＣカード用アダプタ１４ａとしては、例えばＰＣカードリーダやＰＣカードスロット等が用いられる。
【０１０２】
また、画像書込部１５には、画像搬送部３１としてＦＤ用アダプタ１５ａ、ＭＯ用アダプタ１５ｂ、光ディスク用アダプタ１５ｃが備えられ、ＦＤ１６ａ、ＭＯ１６ｂ、光ディスク１６ｃが差し込み可能になっており、画像情報を画像記録メディアに書き込むことができるようになっている。
【０１０３】
また、画像処理部７０に接続された、図示されない通信手段を用いて、本発明の画像処理を施した後の撮影画像を表す画像信号と付帯するオーダー情報を、施設内の別のコンピュータやインターネット等を介した遠方のコンピュータに対して送付することも可能になっている。
【０１０４】
このように画像記録装置１は、各種デジタルメディアの画像、及び画像原稿を分割測光して得られた画像情報を取り込む画像入力手段と、この画像入力手段から取り入れた入力画像の画像情報を、「顔の鼻筋周辺や目の周囲の陰影を保ちつつ、色ズレ状のノイズやのっぺりとした化粧顔を生じることもなく、エッジ付近に偽色輪郭が発生したり平坦部に偽色斑点を生じることもなく、カラー画像信号に含まれるモトル状の粒状ノイズを抑制し、併せて画像の鮮鋭性を強調する」ことができる画像処理を行なう画像処理手段と、処理済の画像を表示、またはプリント出力、あるいは画像記録メディアに書き込む画像出力手段、及び通信回線を介して施設内の別のコンピュータやインターネット等を介した遠方のコンピュータに対して画像信号と付帯するオーダー情報を送信する手段とを有し、画像入力手段は、各種デジタルメディアの画像の画像情報を取り込む画像読込部１４、画像原稿を分割測光して得られた画像情報を取り込むフィルムスキャナ部９及び反射原稿入力装置１０、及び図示されない通信手段から構成され、「顔の鼻筋周辺や目の周囲の陰影を保ちつつ、色ズレ状のノイズやのっぺりとした化粧顔を生じることもなく、エッジ付近に偽色輪郭が発生したり平坦部に偽色斑点を生じることもなく、カラー画像信号に含まれるモトル状の粒状ノイズを抑制し、併せて画像の鮮鋭性を強調する」画像処理を行なう画像処理手段は、画像処理部７０に備えられ、また画像出力手段は、画像の表示を行なうＣＲＴ８、プリント出力する露光処理部４及びプリント作成部５、画像記録メディアに書き込む画像書込部１５、及び図示されない通信手段から構成されている。
【０１０５】
図１２は、前記画像処理部７０の前記略構成を示す図である。フィルムスキャナ部９から入力された画像信号は、フィルムスキャンデータ処理部７２において、フィルムスキャナ部固有の校正操作・ネガ原稿の場合のネガポジ反転・グレーバランス調整・コントラスト調整などが施され、画像調整処理部７５に送られる。また、フィルムサイズ・ネガポジ種別・フィルムに光学的或いは磁気的に記録されたＩＳＯ感度、メーカー名、主要被写体に関わる情報・撮影条件に関する情報（例えばＡＰＳの記載情報内容）などが、併せて画像調整処理部７５に送られる。
【０１０６】
反射原稿入力装置１０から入力された画像信号は、反射原稿スキャンデータ処理部７３において、反射原稿入力装置固有の校正操作・ネガ原稿の場合のネガポジ反転・グレーバランス調整・コントラスト調整などが施され、画像調整処理部７５に送られる。
【０１０７】
画像転送手段３０及び通信手段８０から入力された画像信号は、画像データ書式解読処理部７４において、その信号のデータ書式に従い必要に応じて圧縮符号の復元・色信号の表現方法の変換等を行ない、画像処理部内の演算に適したデータ形式に変換されて画像調整処理部７５に送られる。また、画像信号のヘッダ情報・タグ情報から取得したＤＳＣのメーカー名、機種名、主要被写体に関わる情報及び撮影条件に関する情報が、併せて画像調整処理部７５に送られる。
【０１０８】
この他、前記フィルムスキャナ部９・反射原稿入力装置１０・画像転送手段３０・通信手段８０からの主要被写体に関わる情報及び撮影条件に関する情報を補足・補充する形で、操作部１１から前記情報を画像調整処理部７５に送る事もできる。
【０１０９】
出力画像の大きさについての指定は操作部１１から入力されるが、この他に通信手段８０へ送られた出力画像の大きさについての指定や、画像転送手段３０が取得した画像信号のヘッダ情報・タグ情報に埋め込まれた出力画像の大きさについての指定があった場合には、画像データ書式解読処理部７４が前記情報を検出し、画像調整処理部へ転送する。
【０１１０】
画像調整処理部７５では、操作部又は制御部の指令に基づき、フィルムスキャナ部９・反射原稿入力装置１０・画像転送手段３０・通信手段８０・テンプレート処理部（図示せず）から受け取った画像信号に対して後述する方法で粒状ノイズ除去等の画像処理を行ない、ＣＲＴ固有処理部・プリンタ固有処理部・画像データ書式作成部・データ蓄積手段へ処理済みの画像信号を送出する。画像調整処理部７５はプログラムにより作動するコンピュータ又は論理回路で構成することができる。
【０１１１】
ＣＲＴ固有処理部７６では、画像調整処理部７５から受け取った画像信号に対して、必要に応じて画素数変更・カラーマッチング等の処理を行ない、制御情報等表示が必要な情報と合成した表示用の信号をＣＲＴ８に送出する。
【０１１２】
プリンタ固有処理部７８では、必要に応じてプリンタ固有の校正処理・カラーマッチング・画素数変更等を行ない、露光処理部４に画像信号を送出する。本実施態様の画像記録装置１に、更に大判インクジェットプリンタなど、外部プリンタ８３を接続する場合には、接続するプリンタ装置ごとにプリンタ固有処理部７８を設け、適正なプリンタ固有の校正処理・カラーマッチング・画素数変更等を行なうようにする。
【０１１３】
画像データ書式作成処理部７９においては、画像調整処理部７５から受け取った画像信号に対して、必要に応じてＪＰＥＧ、ＴＩＦＦ、Ｅｘｉｆ等に代表される各種の汎用画像フォーマットへの変換を行ない、画像搬送部３１や通信手段８１へ画像信号を転送する。
【０１１４】
以上の、フィルムスキャンデータ処理部７２・反射原稿スキャンデータ処理部７３・画像データ書式解読処理部７４・画像調整処理部７５・ＣＲＴ固有処理部７６・プリンタ固有処理部７７．７８・画像データ書式作成処理部７９という区分は、本態様の画像処理部７０の機能の理解を助ける為に設けた区分であり、必ずしも物理的に独立したデバイスとして実現される必要はなく、たとえば単一のＣＰＵにおけるソフトウエア処理の種類の区分として実現されてもよい。
【０１１５】
図１３は図１２における画像調整処理部７５の内部処理のシステムブロック図例である。本例では第２レベルと第３レベルの輝度高周波帯域成分を１レベル上の輝度高周波帯域成分と比較して信号処理する例を示す。あらかじめカラー画像信号はＲＧＢ信号から輝度信号と色差信号に分解される（図示しない）。輝度信号をＳ０とし、Ｓ０に対しｘ方向のハイパスフィルターＨＰＦ１ｘにより第１レベルのｘ方向輝度高周波帯域成分Ｗｘ１を、ｙ方向のハイパスフィルターＨＰＦ１ｙにより第１レベルのｙ方向輝度高周波帯域成分Ｗｙ１を、ｘ方向・ｙ方向のローパスフィルターＬＰＦ１ｘ・ＬＰＦ１ｙにより第１レベルの輝度低周波帯域成分Ｓ１を得る。次にＳ１にＨＰＦ２ｘ，ＨＰＦ２ｙ，ＬＰＦ２ｘ，ＬＰＦ２ｙのフィルターにより第２レベルのＷｘ１，Ｗｘ１，Ｓ２を得る。同様にして第４レベルまでの二項ウエーブレット変換を実施する。次にＷｘ３とＷｘ４の対応する位置の画素を比較し閾値以下であった場合にはＷｘ３の信号強度を抑制する。Ｗｘ３の全ての画素について比較した後、Ｗｙ３について同様の処理を行う。次いでＷｘ２，Ｗｙ２に対しても同様の処理を行う。次に逆変換の課程を説明する。処理済みの第３レベルｘ方向輝度高周波帯域成分Ｗｘ３’に対して逆変換用ハイパスフィルターＨＰＦ’３ｘ、逆変換用ローパスフィルターＬＰＦ’３ｙにより逆変換、処理済みの第３レベルｙ方向輝度高周波帯域成分Ｗｙ３’に対して逆変換用ローパスフィルターＬＰＦ’３ｘ、逆変換用ハイパスフィルターＨＰＦ’３ｙにより逆変換、第３レベルの輝度低周波帯域成分Ｓ３に対して逆変換用ローパスフィルターＬＰＦ’３ｘ、ＬＰＦ’３ｙにより逆変換し、上記の３つを合成して処理済みの第２レベル輝度低周波帯域成分Ｓ２’を得る。同様にして第２レベル、第１レベルを逆変換し処理済みの輝度信号Ｓ０’を得る。その後処理済みの輝度信号と色差信号をＲＧＢ信号に変換し（図示しない）処理済みのカラー画像信号を得る。
【０１１６】
本例に用いるフィルターとしては、表１に示す係数のフィルターを用いる。
【０１１７】
【表１】
2004127064.tif 000012
【０１１８】
二項ウエーブレットにおいては、レベル毎にフィルタ係数が異なり、レベルｎのフィルタ係数は、レベル１のフィルタの各係数の間に２ｎ−１−１個のゼロを挿入したものが用いられる（前述の参考文献を参照）。
【０１１９】
また二項ウエーブレット変換のレベルｉに応じて定められる補正係数γｉは、表２に示すものを用いる。
【０１２０】
【表２】
2004127064.tif 000013
【０１２１】
本システムブロック図の構成を有する画像処理装置を用いて、コニカカラー　Ｎｅｗ　ＣＥＮＴＵＲＩＡ　８００（ＩＳＯ８００、３５ｍｍサイズ）で撮影した画像を、６１ｐｉｘｅｌ／ｍｍの解像度でスキャニングした画像の画像処理を行った。第１レベルと第２レベルに抑制処理を行うレベルを設定した。また第１レベルの２つの閾値を１．０２と０．８３に、第２レベルの２つの閾値を１．１５と０．９５とした。各レベルとも低い方の閾値以下となった場合には信号強度を０に抑制し、また高い方と低い方の閾値の間になった場合には信号強度を抑制し、更に低い方の閾値に近づくにつれ抑制率を増加させるようにした。本態様により画像処理した画像は未処理の画像に対し、画像処理によるアーティファクトやノッペリ感等の悪影響がほとんど無く、モトル状の粒状ノイズがほとんどない画像とすることができた。
【０１２２】
図１４は図１２における画像調整処理部７５の内部処理の別態様のシステムブロック図例である。本例では第２レベルと第３レベルの輝度高周波帯域成分に抑制処理を施し、第２レベルについては１レベル上と比較、第３レベルについては１レベル下と比較する例を示す。図１３の例とは異なり、第３レベルまで二項ウエーブレット変換を実行後、それぞれのレベルの比較、抑制処理を行った後、二項ウエーブレット逆変換で処理済みの画像信号を得る。図１３とほぼ同様の画像処理効果が得られ更に処理速度を速くすることが可能である。
【０１２３】
図１５は図１２における画像調整処理部７５の内部処理の別態様のシステムブロック図例である。本例では第２レベルの輝度高周波帯域成分に抑制処理を施し、第２レベルの輝度高周波帯域成分の標準偏差と比較して信号処理する例を示す。第２レベルまでの二項ウエーブレット変換を実行後、Ｗｘ２，Ｗｙ２それぞれの輝度高周波帯域成分から標準偏差を計算して閾値を決定し、その後に比較、抑制処理を行う。ここでは抑制処理後の輝度高周波帯域成分に対して逆変換フィルターを通した後に鮮鋭性強調処理を行う構造としているが、逆変換フィルターを通す前でも同じ効果を示す。またここでの鮮鋭性強調処理は、抑制処理がなされていない画素（閾値よりも大きい信号強度の画素）の信号強度を１．４倍することにより鮮鋭性強調を行う。その後二項ウエーブレット逆変換を進め、処理済みの画像信号を得る。ここで第１レベルの輝度高周波帯域成分にも鮮鋭性強調処理を施してもかまわないが（図示しない）、１．１倍程度の倍率とする事が良い。
【０１２４】
図１６は図１２における画像調整処理部７５の内部処理の別態様のシステムブロック図例である。本例では第２レベルの輝度高周波帯域成分に標準偏差から決定する閾値で抑制処理をほどこす際に、同レベルの輝度低周波帯域成分の信号強度の違いにより閾値を変化させ比較、抑制処理する例を示す。図１５と同様に第２レベルまでの二項ウエーブレット変換を実行後、Ｗｘ２，Ｗｙ２それぞれの輝度高周波帯域成分から標準偏差を計算して閾値を決定する。輝度高周波帯域成分に対して、対応する位置の画素の輝度低周波帯域成分の信号強度を参照し、信号強度が低ければ（輝度が低い）、閾値を大きくするように補正する。閾値を補正する量としては、最低〜最高輝度で４０％程度とする。画素毎に補正される閾値により抑制処理を実行後、二項ウエーブレット逆変換し処理済み画像信号を得る。
【０１２５】
【発明の効果】
請求項に記載の発明により、顔の鼻筋周辺や目の周囲の陰影を保ちつつ、色ズレ状のノイズやのっぺりとした化粧顔を生じることもなく、エッジ付近に偽色輪郭が発生したり平坦部に偽色斑点を生じることもなく、カラー画像信号に含まれるモトル状の粒状ノイズを抑制し、併せて画像の鮮鋭性を強調することが可能になった。また計算負荷の少ない画像処理方法、画像処理装置、画像処理プログラム及び画像記録装置が実現された。
【図面の簡単な説明】
【図１】ウエーブレット変換関数を示す図である。
【図２】従来の１レベルのウエーブレット変換システムを示す図である。
【図３】フィルタ処理システムを示す図である。
【図４】従来の３レベルのウエーブレット変換システムを示す図である。
【図５】フィルタ処理システムを示す図である。
【図６】二項ウエーブレット変換システムを示す図である。
【図７】１レベルの二項ウエーブレットシステムを示す図である。
【図８】二項ウエーブレット逆変換システムを示す図である。
【図９】本発明に係る二項ウエーブレット変換システムを示す図である。
【図１０】本発明の実施の形態に係る画像記録装置を示す図である。
【図１１】本発明の実施の形態に係る画像記録装置の概略構成図である。
【図１２】本発明の実施の形態に係る画像記録装置における画像処理装置の概略構成図である。
【図１３】画像処理調整部の内部処理のシステムブロック図である。
【図１４】画像処理調整部の内部処理の別態様のシステムブロック図である。
【図１５】画像処理調整部の内部処理の別態様のシステムブロック図である。
【図１６】画像処理調整部の内部処理の別態様のシステムブロック図である。
【符号の説明】
Ｓ０、Ｓ１、Ｓｎ−１、Ｓ１’、Ｓｎ−１’　入力信号
Ｗｘ１、Ｗｘ１’、Ｗｘ２、Ｗｘ２’、Ｗｘｎ、Ｗｘｎ’、Ｗｙ１、Ｗｙ１’、Ｗｙ２、Ｗｙ２’　高周波帯域成分
Ｓ０’、Ｓ１、Ｓｎ−１、Ｓ１’、Ｓｎ−１’　出力信号
ＨＰＦ１ｘ、ＨＰＦ２ｘ、ＨＰＦｎｘ、ＨＰＦ１ｙ、ＨＰＦ２ｙ、ＨＰＦｎｙ、ＨＰＦ’１ｘ、ＨＰＦ’２ｘ、ＨＰＦ’１ｙ、ＨＰＦ’２ｙ、ＨＰＦ’ｎｙ　ハイパスフィルタ
ＬＰＦ１ｘ、ＬＰＦ２ｘ、ＬＰＦｎｘ、ＬＰＦ１ｙ、ＬＰＦ２ｙ、ＬＰＦｎｙ、ＬＰＦ’１ｘ、ＬＰＦ’２ｘ、ＬＰＦ’ｎｘ、ＬＰＦ’１ｙ、ＬＰＦ’２ｙ、ＬＰＦ’ｎｙ　ローパスフィルタ
【図１】
2004127064.tif 000014
【図２】
2004127064.tif 000015
【図３】
2004127064.tif 000016
【図４】
2004127064.tif 000017
【図５】
2004127064.tif 000018
【図６】
2004127064.tif 000019
【図７】
2004127064.tif 000020
【図８】
2004127064.tif 000021
【図９】
2004127064.tif 000022
【図１０】
2004127064.tif 000023
【図１１】
2004127064.tif 000024
【図１２】
2004127064.tif 000025
【図１３】
2004127064.tif 000026
【図１４】
2004127064.tif 000027
【図１５】
2004127064.tif 000028
【図１６】
2004127064.tif 000029